(57)【要約】  バッテリー交換制御システム（１０）及び方法である。バッテリー交換制御システム（１０）は、制御手段（１１）及びバッテリー交換装置（１２）を備え、制御手段（１１）は、電気自動車（１４）に適用されるバッテリーの型番を特定し、少なくとも一つのバッテリー載置台（１３）から第一バッテリー載置台（１３Ａ）及び第二バッテリー載置台（１３Ｂ）を選択することに用いられ、バッテリー交換装置（１２）は、バッテリーを交換する所定の位置（Ｐ１、Ｐ２）まで移動して、電気自動車（１４）から残量が少ないバッテリーを取り外し、残量が少ないバッテリーを第二載置台（１３Ｂ）に搬送して、空のバッテリー載置棚に載置してから、第一バッテリー載置台（１３Ａ）まで移動し、当該のバッテリーの型番であるバッテリーを取り外し、当該バッテリーの型番であるバッテリーを、バッテリーを交換する所定の位置（Ｐ１、Ｐ２）に搬送し、電気自動車（１４）に搭載することに用いられる。【選択図】図４
2021532012.tif 000002
【特許請求の範囲】
【請求項１】
制御手段及びバッテリー交換装置を備え、
前記制御手段は、電気自動車に適用されるバッテリーの型番を特定することに用いられ、
前記制御手段は、さらに、少なくとも一つのバッテリー載置台から、第一条件を満たすバッテリー載置台を第一バッテリー載置台として選択し、前記少なくとも一つのバッテリー載置台から、第二条件を満たすバッテリー載置台を第二バッテリー載置台として選択することに用いられ、前記バッテリー載置台は、バッテリーを載置するための一つ以上のバッテリー載置棚を有し、前記第一条件は、前記バッテリーの型番であるバッテリーが載置されている旨として設置され、前記第二条件は、空のバッテリー載置棚を有している旨として設置され、
前記バッテリー交換装置は、バッテリーを交換する所定の位置まで移動し、前記電気自動車から残量が少ないバッテリーを取り外し、前記残量が少ないバッテリーを前記第二載置台に搬送し、前記空のバッテリー載置棚に載置してから、前記第一バッテリー載置台まで移動し、前記第一バッテリー載置台から前記バッテリーの型番であるバッテリーを取り外し、前記バッテリーの型番であるバッテリーを、前記バッテリーを交換する所定の位置に搬送し、前記電気自動車に搭載る、ことに用いられ、
前記バッテリーを交換する所定の位置は、前記電気自動車にバッテリーを着脱することに適合される位置である、ことを特徴とするバッテリー交換制御システム。
【請求項２】
前記制御手段は、前記バッテリー載置台に載置されるバッテリーの残量を監視することに用いられ、
前記第一条件は、前記バッテリーの型番でありしかも満充電となるバッテリーを載置している旨として設置され、或いは、前記第一条件は、優先的に、前記バッテリーの型番でありしかも満充電となるバッテリーを載置している旨として設置され、
前記少なくとも一つのバッテリー載置台に、前記第一条件を満たしているバッテリー載置台を有していない場合には、前記第一条件が、前記バッテリーの型番でありしかも残量が最も多いとなるバッテリーを載置している旨に補正される、ことを特徴とする請求項１に記載のバッテリー交換制御システム。
【請求項３】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、或いは、前記第二バッテリー載置台と前記バッテリー車両との間の経路に位置する一つのバッテリー載置台を前記第一バッテリー載置台として選択し、或いは、前記経路に位置し、しかも、前記電気自動車又は前記駐車プラットフォームと距離が最も近い一つのバッテリー載置台を前記第一バッテリー載置台として選択することに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択することに用いられる、ことを特徴とする請求項１又は２に記載のバッテリー交換制御システム。
【請求項４】
前記バッテリー載置台は、前記電気自動車が前記駐車プラットフォームへ走行する方向に沿って、前記駐車プラットフォームの両側に分布される、ことを特徴とする請求項３に記載のバッテリー交換制御システム。
【請求項５】
前記少なくとも一つのバッテリー載置台に、多機能のバッテリー載置台が存在しており、前記多機能のバッテリー載置台が、前記第一条件及び前記第二条件を共に満たすバッテリー載置台である場合には、前記制御手段は、さらに、前記多機能のバッテリー載置台を、同時に、前記第一バッテリー載置台及び前記第二バッテリー載置台とすることに用いられる、ことを特徴とする、ことを特徴とする請求項１に記載のバッテリー交換制御システム。
【請求項６】
前記空のバッテリー載置棚は、さらに、前記残量が少ないバッテリーを充電することに用いられる、ことを特徴とする、ことを特徴とする請求項１に記載のバッテリー交換制御システム。
【請求項７】
前記空のバッテリー載置棚は、バッテリー充電回路を有し、前記バッテリー充電回路は、前記バッテリーの型番とマッチングする一定の電力パラメータを有し、或いは、調節可能な電力パラメータを有し、
前記制御手段は、さらに、前記電力パラメータが前記バッテリーの型番とマッチングするように、前記バッテリーの型番に基づいて、前記電力パラメータを調節することに用いられる、ことを特徴とする請求項６に記載のバッテリー交換制御システム。
【請求項８】
前記制御手段は、さらに、前記電気自動車のナンバープレートを走査し、前記ナンバープレートにより、前記電気自動車に適用されるバッテリーの型番を特定することに用いられる、ことを特徴とする請求項１に記載のバッテリー交換制御システム。
【請求項９】
前記バッテリー交換装置は、前記制御手段により制御され、
前記制御手段は、前記電気自動車が駐車プラットフォームに駐車する前に、前記バッテリー交換装置が予め所定の待ち位置に駐車するように命令するための駐車命令を前記バッテリー交換装置に送信して実行することに用いられる、ことを特徴とする請求項１に記載のバッテリー交換制御システム。
【請求項１０】
バッテリーを交換する所定の位置が駐車可能状態にある場合には、前記所定の待ち位置が前記バッテリーを交換する所定の位置と同じ位置である、ことを特徴とする請求項９に記載のバッテリー交換制御システム。
【請求項１１】
バッテリーを交換する所定の位置が駐車不可状態にある場合には、前記所定の待ち位置が、前記バッテリーを交換する所定の位置からの距離が第一距離閾値を超えない位置であり、
前記制御手段は、さらに、前記電気自動車が前記駐車プラットフォームに駐車していると、前記バッテリー取り外し・交換装置に微細調節命令を送信することに用いられ、前記微細調節命令は、前記バッテリー交換装置が前記所定の待ち位置から前記バッテリーを交換する所定の位置に移動するように命令するためのものである、ことを特徴とする請求項９に記載のバッテリー交換制御システム。
【請求項１２】
前記バッテリーを交換する所定の位置が、空いている位置である条件、
前記バッテリー交換装置が前記バッテリーを交換する所定の位置まで移動するための通過道路が存在している条件、及び、
前記バッテリー交換装置が前記バッテリーを交換する所定の位置に駐車する時に、前記バッテリー交換装置が、前記駐車プラットフォームに走行する電気自動車に支障を与えないと予測する条件、
という三つの条件が同時に満たされている場合には、前記バッテリーを交換する所定の位置は、駐車可能状態となり、さもなければ、前記バッテリーを交換する所定の位置は、駐車不可状態となる、ことを特徴とする請求項１０又は１１に記載のバッテリー交換制御システム。
【請求項１３】
前記駐車プラットフォームの構成により、前記バッテリーを交換する所定の位置が前記駐車プラットフォームの下方に位置するか、それとも、その上方に位置するかを特定する、ことを特徴とする請求項１０又は請求項１１に記載のバッテリー交換制御システム。
【請求項１４】
前記バッテリー交換装置は、前記制御手段により制御され、
前記制御手段は、さらに、前記電気自動車が駐車プラットフォームに駐車していると、前記電気自動車に以下の命令を送信し、前記バッテリー交換装置が以下の命令を実行するようにし、これらの命令は、
前記バッテリー交換装置が前記電気自動車から前記残量が少ないバッテリーを取り外すように命令するためのバッテリー取り外し命令、
前記バッテリー交換装置が第二バッテリー載置台まで移動するように命令するための第一移動命令、
前記バッテリー交換装置が、前記残量が少ないバッテリーを前記空のバッテリー載置棚に置くように命令するためのバッテリー置き命令、
前記バッテリー交換装置が前記第一バッテリー載置台まで移動するように命令するための第二移動命令、
前記バッテリー交換装置が前記第一バッテリー載置台から前記バッテリーの型番であるバッテリーを取り外すように命令するためのバッテリー取り出し命令、
前記バッテリー交換装置が前記バッテリーを交換する所定の位置まで移動するように命令するための第三移動命令、及び、
前記バッテリー交換装置が前記バッテリーの型番であるバッテリーを前記電気自動車に搭載するように命令するためのバッテリー搭載命令である、ことを特徴とする請求項１に記載のバッテリー交換制御システム。
【請求項１５】
制御手段、及び、少なくとも二つのバッテリー交換装置を備え、
前記制御手段は、少なくとも一つのバッテリー載置台から、第一条件を満たすバッテリー載置台を第一バッテリー載置台として選択し、前記少なくとも一つのバッテリー載置台から、第二条件を満たすバッテリー載置台を第二バッテリー載置台として選択することに用いられ、前記バッテリー載置台は、バッテリーを載置するための一つ以上のバッテリー載置棚を有し、前記第一条件は、電気自動車のバッテリーを載置することに適用される旨として設置され、前記第二条件設置は、空のバッテリー載置棚を有する旨として設置され、
前記制御手段は、さらに、前記少なくとも二つのバッテリー交換装置における少なくとも一つのバッテリー交換装置をバッテリー載置・交換装置として配置し、前記少なくとも二つのバッテリー交換装置における少なくとも一つのバッテリー交換装置をバッテリー取り外し・交換装置として配置する、ことに用いられ、
前記バッテリー載置・交換装置は、待ちバッテリーを搬送することに用いられ、前記搭載待ちバッテリーは、前記第一バッテリー載置台から取り外されたものであって、前記電気自動車に適用され、しかも前記電気自動車に搭載されるバッテリーであり、
前記バッテリー取り外し・交換装置は、残量が少ないバッテリーを搬送することに用いられ、前記残量が少ないバッテリーは、前記電気自動車取り外されたものであって、しかも、前記空のバッテリー載置棚に置かれるバッテリーである、ことを特徴とするバッテリー交換制御システム。
【請求項１６】
前記制御手段は、さらに、前記バッテリー載置台に置かれているバッテリーの残量を監視することに用いられ、
前記第一条件は、前記電気自動車に適用されしかも満充電となるバッテリーが置かれている旨として設置され、或いは、
前記第一条件は、優先的に、前記電気自動車に適用されしかも満充電となるバッテリーが置かれている旨として設置され、
前記少なくとも一つのバッテリー載置台に、前記第一条件を満たすバッテリー載置台を有しない場合に、前記第一条件は、前記電気自動車に適用されしかも残量が最も多いバッテリーが置かれている旨に補正して設置される、ことを特徴とする請求項１５に記載のバッテリー交換制御システム。
【請求項１７】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択することに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記電気自動車を駐車するための駐車プラットフォームと距離が最も近い一つのバッテリー載置台を前記第二バッテリー載置台として選択することに用いられる、ことを特徴とする請求項１５又は請求項１６に記載のバッテリー交換制御システム。
【請求項１８】
前記バッテリー載置台は、前記電気自動車が前記駐車プラットフォームへ走行する方向に沿って、前記駐車プラットフォームの両側に分布される、ことを特徴とする請求項１７に記載のバッテリー交換制御システム。
【請求項１９】
前記少なくとも一つのバッテリー載置台に、多機能のバッテリー載置台が存在しており、前記多機能のバッテリー載置台が、前記第一条件及び前記第二条件を共に満たすバッテリー載置台である場合に、前記制御手段は、さらに、
前記多機能のバッテリー載置台を同時に、前記第一バッテリー載置台及び前記第二バッテリー載置台とし、或いは、
前記多機能のバッテリー載置台を前記第一バッテリー載置台及び前記第二バッテリー載置台のうちのいずれか一つとし、若しくは、
残りのバッテリー載置台が、いずれも、前記第一条件を満たさない条件、
残りのバッテリー載置台における、前記第一条件を満たすバッテリー載置台の数が、前記第二条件を満たすバッテリー載置台の数よりも小さい条件、
残りのバッテリー載置台における、前記第一条件を満たすバッテリー載置台の数が前記第二条件を満たすバッテリー載置台の数よりも小さく、しかも、両者の差分の絶対値が第一差分閾値よりも小さい条件、
残りのバッテリー載置台における、前記第一条件を満たすバッテリー載置台の数が第一数閾値よりも小さい条件、
という条件のうちのいずれか一つを、前記多機能のバッテリー載置台を第一バッテリー載置台とすることに必要な条件とし、或いは、
残りのバッテリー載置台がいずれも前記第二条件を満たさない条件、
残りのバッテリー載置台における、前記第二条件を満たすバッテリー載置台の数が前記第一条件を満たすバッテリー載置台の数よりも小さい条件、
残りのバッテリー載置台における、前記第二条件を満たすバッテリー載置台の数が前記第一条件を満たすバッテリー載置台の数よりも小さく、しかも、両者の差分の絶対値がよりも小さい第二差分閾値よりも小さい条件、及び、
残りのバッテリー載置台における、前記第二条件を満たすバッテリー載置台の数が第二数閾値よりも小さい条件
という条件のうちのいずれか一つを、前記多機能のバッテリー載置台を第二バッテリー載置台とすることに必要な条件とする、ことに用いられることを特徴とする請求項１５に記載のバッテリー交換制御システム。
【請求項２０】
前記バッテリー載置棚は、さらに、バッテリーを充電することに用いられる、ことを特徴とする請求項１５に記載のバッテリー交換制御システム。
【請求項２１】
前記少なくとも二つのバッテリー交換装置は、共に、単一機能のバッテリー交換装置であり、或いは、共に、多機能のバッテリー交換装置であり、或いは、一部が単一機能のバッテリー交換装置であるが、一部が多機能のバッテリー交換装置であり、
前記単一機能のバッテリー交換装置は、第一構成を有し、しかも、バッテリー載置・交換装置としてしか配置されておらず、或いは、第二構成を有し、しかも、バッテリー取り外し・交換装置としてしか配置されなく、
前記多機能のバッテリー交換装置は、第一構成及び第二構成を兼有し、しかも、バッテリー取り外し・交換装置とバッテリー載置・交換装置とのうちのいずれか一つとして配置される、ことを特徴とする請求項１５に記載のバッテリー交換制御システム。
【請求項２２】
前記バッテリー載置・交換装置として配置されるバッテリー交換装置は、前記第一バッテリー載置台と距離が最も近いバッテリー交換装置であり、或いは、
前記バッテリー取り外し・交換装置として配置されるバッテリー交換装置は、前記電気自動車又は前記電気自動車を駐車するための駐車プラットフォームと距離が最も近いバッテリー交換装置であり、或いは、
前記バッテリー載置台は、それぞれが少なくとも一つの前記バッテリー交換装置との所定の紐付け関係を有し、
前記バッテリー載置・交換装置として配置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、
前記バッテリー取り外し・交換装置として配置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置である、ことを特徴とする請求項１５に記載のバッテリー交換制御システム。
【請求項２３】
前記電気自動車が駐車プラットフォームに駐車する前に、前記電気自動車に適用されるバッテリーの型番が予め分かる場合に、
前記制御手段は、さらに、前記電気自動車が前記駐車プラットフォームに駐車する前に、前記少なくとも一つのバッテリー載置台から、第一条件を満たすバッテリー載置台を第一バッテリー載置台として選択し、かつ、前記バッテリー載置・交換装置にバッテリー取り出し命令を送信することに用いられ、前記バッテリー取り出し命令は、前記バッテリー載置・交換装置が前記第一バッテリー載置台から前記搭載待ちバッテリーを取り外すように命令するためのものであり、
前記バッテリー載置・交換装置は、さらに、前記バッテリー取り出し命令を実行することに用いられ、
前記制御手段は、さらに、前記バッテリー載置・交換装置が前記バッテリー取り出し命令を実行した後に、前記バッテリー載置・交換装置に第一移動命令を送信することに用いられ、前記第一移動命令は、前記バッテリー載置・交換装置が第一所定の待ち位置に予め駐車するように命令するためのものであり、前記第一所定の待ち位置は、前記駐車プラットフォームとの距離が第一距離閾値を超えない位置であり、
前記バッテリー載置・交換装置は、さらに、前記第一移動命令を実行することに用いられる、ことを特徴とする請求項１５に記載のバッテリー交換制御システム。
【請求項２４】
前記駐車プラットフォームに、前記型番のバッテリーである電気自動車しかを駐車できないことが限定して適用されるということにより、前記電気自動車に適用されるバッテリーの型番が予め分かるようにする、ことを特徴とする請求項２３に記載のバッテリー交換制御システム。
【請求項２５】
前記制御手段は、さらに、前記電気自動車が駐車プラットフォームに駐車する前に、前記バッテリー取り外し・交換装置に第二移動命令を送信することに用いられ、前記第二移動命令は、前記バッテリー取り外し・交換装置が第二所定の待ち位置に予め駐車するように命令するためのものであり、
前記バッテリー取り外し・交換装置は、さらに、前記第二移動命令を実行することに用いられる、ことを特徴とする請求項１５に記載のバッテリー交換制御システム。
【請求項２６】
バッテリーを交換する所定の位置が駐車可能状態にある場合には、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である、ことを特徴とする請求項２５に記載のバッテリー交換制御システム。
【請求項２７】
バッテリーを交換する所定の位置が駐車不可状態にある場合に、前記第二所定の待ち位置は、前記バッテリーを交換する所定の位置との距離が第二距離閾値を超えない位置であり、前記バッテリーを交換する所定の位置は、前記駐車プラットフォームに駐車している電気自動車からバッテリーを取り出すことが適用される位置であり、
前記制御手段は、さらに、前記電気自動車が前記駐車プラットフォームに駐車していると、前記バッテリー取り外し・交換装置に微細調節命令を送信することに用いられ、前記微細調節命令は、前記バッテリー取り外し・交換装置が前記第二所定の待ち位置から前記バッテリーを交換する所定の位置まで移動するように命令するためのものである、ことを特徴とする請求項２５に記載のバッテリー交換制御システム。
【請求項２８】
前記バッテリーを交換する所定の位置が空いている位置である条件、
前記バッテリー取り外し・交換装置が前記バッテリーを交換する所定の位置まで移動するための通過道路が存在している条件、及び、
前記バッテリー取り外し・交換装置が前記バッテリーを交換する所定の位置に駐車すると、前記バッテリー取り外し・交換装置が前記駐車プラットフォームへ走行する電気自動車に支障を与えないと予測する条件、
という条件が同時に満たされている場合には、前記バッテリーを交換する所定の位置が駐車可能状態となり、さもなければ、前記バッテリーを交換する所定の位置が駐車不可状態となる、ことを特徴とする請求項２６又は請求項２７に記載のバッテリー交換制御システム。
【請求項２９】
前記駐車プラットフォームの構成により、前記バッテリーを交換する所定の位置が前記駐車プラットフォームの下方に位置するか、それとも、上方に位置するかを特定する、ことを特徴とする請求項２６又は２７に記載のバッテリー交換制御システム。
【請求項３０】
前記制御手段は、さらに、前記電気自動車が駐車プラットフォームに駐車していると、前記バッテリー取り外し・交換装置に第三移動命令を送信することに用いられ、前記第三移動命令は、前記バッテリー取り外し・交換装置がバッテリーを交換する所定の位置に移動して駐車するように命令するためのものであり、前記バッテリーを交換する所定の位置は、前記駐車プラットフォームに駐車している電気自動車からバッテリーを取り出すことが適用される位置であり、
前記バッテリー取り外し・交換装置は、さらに、前記第三移動命令を実行することに用いられる、ことを特徴とする請求項１５に記載のバッテリー交換制御システム。
【請求項３１】
前記制御手段は、さらに、前記電気自動車が前記駐車プラットフォームに駐車し、しかも、前記バッテリー取り外し・交換装置が前記バッテリーを交換する所定の位置に駐車していると、前記バッテリー取り外し・交換装置にバッテリー取り外し命令を送信することに用いられ、前記バッテリー取り外し命令は、前記バッテリー取り外し・交換装置が前記電気自動車から前記残量が少ないバッテリーを取り外すように命令するためのものであり、
前記バッテリー取り外し・交換装置は、さらに、前記バッテリー取り外し命令を実行することに用いられ、
前記制御手段は、さらに、前記バッテリー取り外し・交換装置が前記バッテリー取り外し命令を実行した後に、前記バッテリー取り外し・交換装置に第四移動命令を送信することに用いられ、前記第四移動命令は、前記バッテリー取り外し・交換装置が前記第二バッテリー載置台まで移動し、前記残量が少ないバッテリーを前記空のバッテリー載置棚に置くように命令するためのものであり、
前記バッテリー取り外し・交換装置は、さらに、前記第四移動命令を実行することに用いられる、ことを特徴とする請求項２６、請求項２７又は請求項３０のうちのいずれか一つに記載のバッテリー交換制御システム。
【請求項３２】
前記制御手段は、さらに、前記バッテリー取り外し・交換装置が前記バッテリーを交換する所定の位置から、或いは、前記バッテリーを交換する所定の位置から離れた距離が第三距離閾値を超えると、前記バッテリー載置・交換装置に第五移動命令を送信することに用いられ、前記第五移動命令は、前記バッテリー載置・交換装置が前記バッテリーを交換する所定の位置まで移動するように命令するためのものであり、
前記バッテリー載置・交換装置は、さらに、前記第五移動命令を実行することに用いられ、
前記制御手段は、さらに、前記バッテリー載置・交換装置が前記第五移動命令を実行した後、前記バッテリー載置・交換装置にバッテリー搭載命令を送信することに用いられ、前記バッテリー搭載命令は、前記バッテリー載置・交換装置が前記搭載待ちバッテリーを前記電気自動車に搭載するように命令するためのものであり、
前記バッテリー載置・交換装置は、さらに、前記バッテリー搭載命令を実行することに用いられる、ことを特徴とする請求項２６、請求項２７又は請求項３０のうちのいずれか一つに記載のバッテリー交換制御システム。
【請求項３３】
制御手段及び少なくとも二つのバッテリー交換装置を備え、
前記制御手段は、バッテリー交換待ち電気自動車に適用されるバッテリーの型番を特定することに用いられ、
前記制御手段は、さらに、少なくとも一つのバッテリー載置台から第一条件を満たすバッテリー載置台を第一バッテリー載置台として選択し、前記少なくとも一つのバッテリー載置台から第二条件を満たすバッテリー載置台を第二バッテリー載置台として選択することに用いられ、前記バッテリー載置台は、バッテリーを置くための一つ以上のバッテリー載置棚を有し、前記第一条件は、前記バッテリーの型番であるバッテリーが置かれている旨として設置され、前記第二条件は、空のバッテリー載置棚を有する旨として設置され、
前記制御手段は、さらに、前記少なくとも二つのバッテリー交換装置における少なくとも一つのバッテリー交換装置をバッテリー載置・交換装置として配置し、前記少なくとも二つのバッテリー交換装置における少なくとも一つのバッテリー交換装置をバッテリー取り外し・交換装置として配置することに用いられ、
前記バッテリー載置・交換装置は、搭載待ちバッテリーを搬送することに用いられ、前記搭載待ちバッテリーが前記第一バッテリー載置台から取り出されたものであって、前記バッテリーの型番であり、しかも、前記電気自動車に搭載されるバッテリーであり、
前記バッテリー取り外し・交換装置は、残量が少ないバッテリーを搬送することに用いられ、前記残量が少ないバッテリーは、前記電気自動車から取り出されたものであって、しかも前記空のバッテリー載置棚に置かれるバッテリーである、ことを特徴とするバッテリー交換制御システム。
【請求項３４】
前記制御手段は、さらに、前記バッテリー載置台に置かれているバッテリーの残量を監視することに用いられ、
前記第一条件は、前記バッテリーの型番であり、しかも、満充電となるバッテリーが置かれている旨として設置され、或いは、
前記第一条件は、優先的に、前記バッテリーの型番であり、しかも、満充電となるバッテリーが置かれている旨として設置され、
前記少なくとも一つのバッテリー載置台に、前記第一条件を満たすバッテリー載置台を有さない場合には、前記第一条件が、前記バッテリーの型番であり、しかも、残量が最も多いバッテリーが置かれている旨に補正して設置される、ことを特徴とする請求項３３に記載のバッテリー交換制御システム。
【請求項３５】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択する、ことに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことに用いられることを特徴とする請求項３３又は請求項３４に記載のバッテリー交換制御システム。
【請求項３６】
前記バッテリー載置台は、前記電気自動車が前記駐車プラットフォームへ走行する方向に沿って前記駐車プラットフォームの両側に分布される、ことを特徴とする請求項３５に記載のバッテリー交換制御システム。
【請求項３７】
前記少なくとも一つのバッテリー載置台に、多機能のバッテリー載置台が存在しており、前記多機能のバッテリー載置台が前記第一条件及び前記第二条件を共に満たすバッテリー載置台である場合に、前記制御手段は、さらに、
前記多機能のバッテリー載置台を、同時に、前記第一バッテリー載置台及び前記第二バッテリー載置台とし、或いは、
前記多機能のバッテリー載置台を、前記第一バッテリー載置台及び前記第二バッテリー載置台のうちのいずれか一つ、若しくは、
残りのバッテリー載置台が、いずれも、前記第一条件を満たさない条件、
残りのバッテリー載置台における、前記第一条件を満たすバッテリー載置台の数が前記第二条件を満たすバッテリー載置台の数よりも小さい条件、
残りのバッテリー載置台における、前記第一条件を満たすバッテリー載置台の数が前記第二条件を満たすバッテリー載置台の数よりも小さく、しかも、両者の差分の絶対値が第一差分閾値よりも小さい条件、及び、
残りのバッテリー載置台における、前記第一条件を満たすバッテリー載置台の数が第一数閾値よりも小さい条件、
という条件のうちのいずれか一つを、前記多機能のバッテリー載置台を第一バッテリー載置台とすることに必要な条件とし、若しくは、
残りのバッテリー載置台がいずれも前記第二条件を満たさない条件、
残りのバッテリー載置台における、前記第二条件を満たすバッテリー載置台の数が前記第一条件を満たすバッテリー載置台の数よりも小さい条件、
残りのバッテリー載置台における、前記第二条件を満たすバッテリー載置台の数が前記第一条件を満たすバッテリー載置台の数よりも小さく、しかも、両者の差分の絶対値が第二差分閾値よりも小さい条件、及び、
残りのバッテリー載置台における、前記第二条件を満たすバッテリー載置台の数が第二数閾値よりも小さい条件
という条件のうちのいずれか一つを、前記多機能のバッテリー載置台を第二バッテリー載置台とすることに必要な条件とする、ことに用いられる、ことを特徴とする請求項３３に記載のバッテリー交換制御システム。
【請求項３８】
前記バッテリー載置棚は、さらに、バッテリーを充電することに用いられる、ことを特徴とする請求項３３に記載のバッテリー交換制御システム。
【請求項３９】
前記少なくとも二つのバッテリー交換装置は、共に、単一機能のバッテリー交換装置であり、或いは、共に、多機能のバッテリー交換装置であり、或いは、一部が単一機能のバッテリー交換装置であるが、一部が多機能のバッテリー交換装置であり、
前記単一機能のバッテリー交換装置は、第一構成を有し、しかもバッテリー載置・交換装置としてしか配置されておらず、或いは第二構成を有し、しかも、バッテリー取り外し・交換装置としてしか配置されなく、
前記多機能のバッテリー交換装置は、第一構成及び第二構成を兼有し、しかも、バッテリー取り外し・交換装置及びバッテリー載置・交換装置のうちのいずれか一つとして配置される、ことを特徴とする請求項３３に記載のバッテリー交換制御システム。
【請求項４０】
前記バッテリー載置・交換装置として配置されるバッテリー交換装置は、前記第一バッテリー載置台と距離が最も近いバッテリー交換装置であり、或いは、
前記バッテリー取り外し・交換装置として配置されるバッテリー交換装置は、前記電気自動車又は前記電気自動車を駐車するための駐車プラットフォームと距離が最も近いバッテリー交換装置であり、或いは、
前記バッテリー載置台は、それぞれが少なくとも一つの前記バッテリー交換装置との所定の紐付け関係を有し、
前記バッテリー載置・交換装置として配置されるバッテリー交換装置は、前記第一バッテリー載置台との紐付け関係を有するバッテリー交換装置であり、或いは、前記第一バッテリー載置台と紐付け関係を有し、しかも前記第一バッテリー載置台と距離が最も近いバッテリー交換装置であり、
前記バッテリー取り外し・交換装置として配置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置である、ことを特徴とする請求項３３に記載のバッテリー交換制御システム。
【請求項４１】
前記制御手段は、さらに、前記第一バッテリー載置台を選択した後に、前記バッテリー載置・交換装置にバッテリー取り出し命令を送信することに用いられ、前記バッテリー取り出し命令は、前記バッテリー載置・交換装置が前記第一バッテリー載置台から前記搭載待ちバッテリーを取り外すように命令するためのものであり、
前記バッテリー載置・交換装置は、さらに、前記バッテリー取り出し命令を実行することに用いられ、
前記制御手段は、さらに、前記バッテリー載置・交換装置が前記バッテリー取り出し命令を実行した後に、前記バッテリー載置・交換装置に第一移動命令を送信することに用いられ、前記第一移動命令は、前記バッテリー載置・交換装置が第一所定の待ち位置に予め駐車するように命令するためのものであり、前記第一所定の待ち位置は、前記駐車プラットフォームとの距離が第一距離閾値を超えない位置であり、
前記バッテリー載置・交換装置は、さらに、前記第一移動命令を実行することに用いられる、ことを特徴とする請求項３３に記載のバッテリー交換制御システム。
【請求項４２】
前記制御手段は、さらに、前記電気自動車のナンバープレートを走査し、前記ナンバープレートにより、前記電気自動車に適用されるバッテリーの型番を特定することに用いられる、ことを特徴とする請求項３３に記載のバッテリー交換制御システム。
【請求項４３】
前記制御手段は、さらに、前記電気自動車が駐車プラットフォームに駐車する前に、前記バッテリー取り外し・交換装置に第二移動命令を送信することに用いられる、前記第二移動命令は、前記バッテリー取り外し・交換装置が第二所定の待ち位置に予め駐車するように命令するためのものであり、
前記バッテリー取り外し・交換装置は、さらに、前記第二移動命令を実行することに用いられる、ことを特徴とする請求項３３に記載のバッテリー交換制御システム。
【請求項４４】
当バッテリーを交換する所定の位置が駐車可能状態にある場合には、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である、ことを特徴とする請求項４３に記載のバッテリー交換制御システム。
【請求項４５】
バッテリーを交換する所定の位置が駐車不可状態にある場合には、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置であり、
前記制御手段さらに、前記電気自動車が前記駐車プラットフォームに駐車していると、前記バッテリー取り外し・交換装置に微細調節命令を送信することに用いられ、前記微細調節命令は、前記バッテリー取り外し・交換装置が前記第二所定の待ち位置から前記バッテリーを交換する所定の位置まで移動するように命令するためのものである、ことを特徴とする請求項４３に記載のバッテリー交換制御システム。
【請求項４６】
前記バッテリーを交換する所定の位置が空いている位置である条件、
存前記バッテリー取り外し・交換装置が前記バッテリーを交換する所定の位置まで移動するための通過道路が存在している条件、及び
前記バッテリー取り外し・交換装置が前記バッテリーを交換する所定の位置に駐車すると、前記バッテリー取り外し・交換装置が前記駐車プラットフォームに走行する電気自動車に支障を与えないと予測する条件、
という条件が同時に満たされている場合には、前記バッテリーを交換する所定の位置が駐車可能状態となり、さもなければ、前記バッテリーを交換する所定の位置が駐車不可状態となる、ことを特徴とする請求項４４又は請求項４５に記載のバッテリー交換制御システム。
【請求項４７】
前記駐車プラットフォームの構成により、前記バッテリーを交換する所定の位置が前記駐車プラットフォームの下方に位置するか、それとも、上方に位置するかを特定する、ことを特徴とする請求項４４又は請求項４５に記載のバッテリー交換制御システム。
【請求項４８】
前記制御手段は、さらに、前記電気自動車が駐車プラットフォームに駐車していると、前記バッテリー取り外し・交換装置に第三移動命令を送信することに用いられ、前記第三移動命令は、前記バッテリー取り外し・交換装置がバッテリーを交換する所定の位置まで移動して駐車するように命令するためのものであり、前記バッテリーを交換する所定の位置は、前記駐車プラットフォームに駐車している電気自動車からバッテリーを取り出すことが適用される位置であり、
前記バッテリー取り外し・交換装置は、さらに、前記第三移動命令を実行することに用いられる、ことを特徴とする請求項３３に記載のバッテリー交換制御システム。
【請求項４９】
前記制御手段は、さらに、前記電気自動車が前記駐車プラットフォームに駐車し、しかも前記バッテリー取り外し・交換装置が前記バッテリーを交換する所定の位置に駐車していると、前記バッテリー取り外し・交換装置にバッテリー取り外し命令を送信することに用いられ、前記バッテリー取り外し命令は、前記バッテリー取り外し・交換装置が前記電気自動車から前記残量が少ないバッテリーを取り外すように命令するためのものであり、
前記バッテリー取り外し・交換装置は、さらに、前記バッテリー取り外し命令を実行することに用いられ、
前記制御手段は、さらに、前記バッテリー取り外し・交換装置が前記バッテリー取り外し命令を実行した後に、前記バッテリー取り外し・交換装置に第四移動命令を送信することに用いられ、前記第四移動命令は、前記バッテリー取り外し・交換装置が前記第二バッテリー載置台まで移動し、前記残量が少ないバッテリーを前記空のバッテリー載置棚に置くことに用いられ、
前記バッテリー取り外し・交換装置は、さらに、前記第四移動命令を実行することに用いられる、ことを特徴とする請求項４４、請求項４５又は請求項４８のうちのいずれか一つに記載のバッテリー交換制御システム。
【請求項５０】
前記制御手段は、さらに、前記バッテリー取り外し・交換装置が前記バッテリーを交換する所定の位置から、或いは、前記バッテリーを交換する所定の位置から離れた距離が第三距離閾値を超えると、前記バッテリー載置・交換装置に第五移動命令を送信することに用いられ、前記第五移動命令は、前記バッテリー載置・交換装置が前記バッテリーを交換する所定の位置まで移動するように命令するためのものであり、
前記バッテリー載置・交換装置は、さらに、前記第五移動命令を実行することに用いられ、
前記制御手段は、さらに、前記バッテリー載置・交換装置が前記第五移動命令を実行した後に、前記バッテリー載置・交換装置にバッテリー搭載命令を送信することに用いられ、前記バッテリー搭載命令は、前記バッテリー載置・交換装置が前記搭載待ちバッテリーを前記電気自動車に搭載することに用いられ、
前記バッテリー載置・交換装置は、さらに、前記バッテリー搭載命令を実行することに用いられる、ことを特徴とする請求項４４、請求項４５又は請求項４８のうちのいずれか一つに記載のバッテリー交換制御システム。
【請求項５１】
電気自動車に適用されるバッテリーの型番を特定すること、
少なくとも一つのバッテリー載置台から、第一条件を満たすバッテリー載置台を第一バッテリー載置台として選択し、前記バッテリー載置台は、バッテリーを置くための一つ以上のバッテリー載置棚を有し、前記第一条件は、前記バッテリーの型番であるバッテリーが置かれている旨として設置されること、
前記少なくとも一つのバッテリー載置台から、第二条件を満たすバッテリー載置台を第二バッテリー載置台として選択し、前記第二条件は、空のバッテリー載置棚を有する旨として設置されること、
バッテリー交換装置をバッテリーを交換する所定の位置まで移動し、前記電気自動車から残量が少ないバッテリーを取り外し、前記残量が少ないバッテリーを前記第二載置台に搬送してから前記空のバッテリー載置棚に置き、前記バッテリーを交換する所定の位置は、前記電気自動車にバッテリーを着脱することが適用される位置であること、
前記バッテリー交換装置を前記第一バッテリー載置台まで移動し、前記第一バッテリー載置台から前記バッテリーの型番であるバッテリーを取り外すこと、及び、
前記バッテリーの型番であるバッテリーを、前記バッテリーを交換する所定の位置に搬送し、前記電気自動車に搭載すること、ことを備えることを特徴とするバッテリー交換制御方法。
【請求項５２】
前記バッテリー交換制御方法は、前記バッテリー載置台に置かれているバッテリーの残量を監視することをさらに備え、
前記第一条件は、前記バッテリーの型番であり、しかも、満充電となるバッテリーが置かれている旨として設置され、或いは、
前記第一条件は、優先的に、前記バッテリーの型番であり、しかも、満充電となるバッテリーが置かれている旨として設置され、
前記少なくとも一つのバッテリー載置台に前記第一条件を満たすバッテリー載置台を有さない場合に、前記第一条件は、前記バッテリーの型番であり、しかも残量が最も多いバッテリーが置かれている旨に補正して設置される、ことを特徴とする請求項５１に記載のバッテリー交換制御方法。
【請求項５３】
前記バッテリー交換制御方法は、前記第一条件を満たすバッテリー載置台が一つを超える場合に、
前記第一条件を満たすバッテリー載置台から、一つのバッテリー載置台を前記第一バッテリー載置台としてランダムに選択し、或いは、
前記電気自動車又は前記電気自動車を駐車するための駐車プラットフォームと距離が最も近い一つのバッテリー載置台を前記第一バッテリー載置台として選択し、或いは、
前記第二バッテリー載置台と前記バッテリー車との間の経路に位置する一つのバッテリー載置台を前記第一バッテリー載置台として選択し、或いは、
前記経路に位置し、しかも、前記電気自動車又は前記駐車プラットフォームと距離が最も近い一つのバッテリー載置台を前記第一バッテリー載置台として選択し、及び／或いは、
前記第二条件を満たすバッテリー載置台が一つを超える場合に、
前記第二条件を満たすバッテリー載置台から、一つのバッテリー載置台を前記第二バッテリー載置台としてランダムに選択し、或いは、
前記電気自動車又は前記駐車プラットフォームと距離が最も近い一つのバッテリー載置台を前記第二バッテリー載置台として選択する、ことをさらに備えることを特徴とする請求項５１に記載のバッテリー交換制御方法。
【請求項５４】
前記バッテリー交換制御方法は、前記少なくとも一つのバッテリー載置台に多機能のバッテリー載置台が存在しているかどうかを判断することをさらに備え、
前記多機能のバッテリー載置台は、前記第一条件及び前記第二条件を共に満たすバッテリー載置台であり、存在の場合に、前記多機能のバッテリー載置台を、同時に、前記第一バッテリー載置台及び前記第二バッテリー載置台とする、ことを特徴とする請求項５１に記載のバッテリー交換制御方法。
【請求項５５】
前記空のバッテリー載置棚は、さらに、前記残量が少ないバッテリーを充電することに用いられる、ことを特徴とする請求項５１に記載のバッテリー交換制御方法。
【請求項５６】
前記空のバッテリー載置棚は、バッテリー充電回路を有し、前記バッテリー充電回路は、前記バッテリーの型番とマッチングする一定の電力パラメータを有し、或いは、調節可能な電力パラメータを有し、
前記バッテリー交換制御方法は、前記電力パラメータが前記バッテリーの型番とマッチングするように、前記バッテリーの型番により、前記電力パラメータを調節することを、さらに備える、ことを特徴とする請求項５５に記載のバッテリー交換制御方法。
【請求項５７】
前記バッテリー交換待ち電気自動車に適用されるバッテリーの型番を特定することは、具体的に、前記電気自動車のナンバープレートを走査し、前記ナンバープレートにより、前記電気自動車に適用されるバッテリーの型番を特定することを備える、ことを特徴とする請求項５１に記載のバッテリー交換制御方法。
【請求項５８】
前記バッテリー交換制御方法は、前記電気自動車が駐車プラットフォームに駐車する前に、前記バッテリー交換装置が所定の待ち位置に予め駐車するようにすること、をさらに備えることを特徴とする請求項５１に記載のバッテリー交換制御方法。
【請求項５９】
バッテリーを交換する所定の位置が駐車可能状態にある場合に、前記所定の待ち位置が前記バッテリーを交換する所定の位置と同じ位置である、ことを特徴とする請求項５８に記載のバッテリー交換制御方法。
【請求項６０】
バッテリーを交換する所定の位置が駐車不可状態にある場合に、前記所定の待ち位置が前記バッテリーを交換する所定の位置からの距離が第一距離閾値を超えない位置であり、
前記バッテリー交換制御方法は、前記電気自動車が前記駐車プラットフォームに駐車していると、前記バッテリー交換装置が前記所定の待ち位置から前記バッテリーを交換する所定の位置まで移動するようにする、をさらに備えることを特徴とする請求項５８に記載のバッテリー交換制御方法。
【請求項６１】
前記バッテリーを交換する所定の位置が空いている位置である条件、
前記バッテリー交換装置が前記バッテリーを交換する所定の位置まで移動するための通過道路が存在している条件、及び、
前記バッテリー交換装置が前記バッテリーを交換する所定の位置に駐車している場合に、前記バッテリー交換装置が、前記駐車プラットフォームへ走行する電気自動車に支障を与えないと予測する条件、
という条件が同時に満たされている場合には、前記バッテリーを交換する所定の位置が駐車可能状態となり、さもなければ、前記バッテリーを交換する所定の位置が駐車不可状態となる、ことを特徴とする請求項５９又は請求項６０に記載のバッテリー交換制御方法。
【請求項６２】
前記駐車プラットフォームの構成により、前記バッテリーを交換する所定の位置が、前記駐車プラットフォームの下方に位置するか、それとも、上方に位置するか、を特定する、ことを特徴とする請求項５９又は請求項６０に記載のバッテリー交換制御方法。
【請求項６３】
少なくとも一つのバッテリー載置台から、第一条件を満たすバッテリー載置台を第一バッテリー載置台として選択し、前記バッテリー載置台は、バッテリーを置くための一つ以上のバッテリー載置棚であり、前記第一条件は、電気自動車に適用されるバッテリーが置かれている旨として設置されること、
前記少なくとも一つのバッテリー載置台から、第二条件を満たすバッテリー載置台を第二バッテリー載置台として選択し、前記第二条件は、空のバッテリー載置棚を有する旨として設置されること、
前記少なくとも二つのバッテリー交換装置における少なくとも一つのバッテリー交換装置をバッテリー載置・交換装置として配置し、前記バッテリー載置・交換装置は、搭載待ちバッテリーを搬送することに用いられ、前記搭載待ちバッテリーは、前記第一バッテリー載置台から取り出されたものであって、前記電気自動車に適用され、しかも、前記電気自動車に搭載されるバッテリーであること、
前記少なくとも二つのバッテリー交換装置における少なくとも一つのバッテリー交換装置をバッテリー取り外し・交換装置として配置し、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーである、ことを備えることを特徴とするバッテリー交換制御方法。
【請求項６４】
前記バッテリー交換制御方法は、前記バッテリー載置台に置かれているバッテリーの残量を監視することをさらに備え、
前記第一条件は、前記電気自動車に適用され、しかも、満充電となるバッテリーが置かれている旨として設置され、或いは、
前記第一条件は、優先的に、前記電気自動車に適用され、しかも、満充電となるバッテリーが置かれている旨として設置され、
前記少なくとも一つのバッテリー載置台に前記第一条件を満たすバッテリー載置台を有さない場合には、前記第一条件は、前記電気自動車に適用され、しかも、残量が最も多いバッテリーが置かれている旨に補正して設置される、ことを特徴とする請求項６３に記載のバッテリー交換制御方法。
【請求項６５】
前記バッテリー交換制御方法は、
前記第一条件を満たすバッテリー載置台が一つを超える場合に、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を、前記第一バッテリー載置台として選択し、及び／或いは、
前記第二条件を満たすバッテリー載置台が一つを超える場合に、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことをさらに備えることを特徴とする請求項６３又は請求項６４に記載のバッテリー交換制御方法。
【請求項６６】
前記バッテリー交換制御方法は、
前記少なくとも一つのバッテリー載置台に、多機能のバッテリー載置台が存在しているかどうかを判断し、前記多機能のバッテリー載置台が前記第一条件及び前記第二条件を共に満たすバッテリー載置台であり、
存在の場合に、前記多機能のバッテリー載置台を同時に、前記第一バッテリー載置台及び前記第二バッテリー載置台とし、或いは、前記多機能のバッテリー載置台を前記第一バッテリー載置台及び前記第二バッテリー載置台のうちのいずれか一つとし、若しくは、
残りのバッテリー載置台が、いずれも前記第一条件を満たさない条件、
残りのバッテリー載置台における、前記第一条件を満たすバッテリー載置台の数が前記第二条件を満たすバッテリー載置台の数よりも小さい条件、
残りのバッテリー載置台における、前記第一条件を満たすバッテリー載置台の数が前記第二条件を満たすバッテリー載置台の数よりも小さく、しかも、両者の差分の絶対値が第一差分閾値よりも小さい条件、及び、
残りのバッテリー載置台における、前記第一条件を満たすバッテリー載置台の数が第一数閾値よりも小さい条件、
という条件のうちのいずれか一つを、前記多機能のバッテリー載置台を第一バッテリー載置台とすることに必要な条件とし、若しくは、
残りのバッテリー載置台が、いずれも、前記第二条件を満たさない条件、
残りのバッテリー載置台における、前記第二条件を満たすバッテリー載置台の数が前記第一条件を満たすバッテリー載置台の数よりも小さい条件、
残りのバッテリー載置台における、前記第二条件を満たすバッテリー載置台の数が前記第一条件を満たすバッテリー載置台の数よりも小さく、しかも、両者の差分の絶対値が第二差分閾値よりも小さい条件、及び、
残りのバッテリー載置台における、前記第二条件を満たすバッテリー載置台の数が第二数閾値よりも小さい条件、
という条件のうちのいずれか一つを、前記多機能のバッテリー載置台を第二バッテリー載置台とすることに必要な条件とする、ことをさらに備えることを特徴とする請求項６５に記載のバッテリー交換制御方法。
【請求項６７】
前記少なくとも二つのバッテリー交換装置は、共に、単一機能のバッテリー交換装置であり、或いは、共に、多機能のバッテリー交換装置であり、或いは、一部が単一機能のバッテリー交換装置であるが、一部が多機能のバッテリー交換装置であり、
前記単一機能のバッテリー交換装置は、第一構成を有し、しかも、バッテリー載置・交換装置としてしか配置されておらず、或いは、第二構成を有し、しかも、バッテリー取り外し・交換装置としてしか配置されなく、
前記多機能のバッテリー交換装置は、第一構成及び第二構成を兼有し、しかも、バッテリー取り外し・交換装置及びバッテリー載置・交換装置のうちのいずれか一つとして設置される、ことを特徴とする請求項６３に記載のバッテリー交換制御方法。
【請求項６８】
前記バッテリー載置・交換装置として設置されるバッテリー交換装置は、前記第一バッテリー載置台と距離が最も近いバッテリー交換装置であり、或いは、前記バッテリー取り外し・交換装置として設置されるバッテリー交換装置は、前記電気自動車又は前記電気自動車を駐車するための駐車プラットフォームと距離が最も近いバッテリー交換装置であり、或いは、
前記バッテリー載置台は、それぞれが少なくとも一つの前記バッテリー交換装置との所定の紐付け関係を有し、前記バッテリー載置・交換装置として設置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、前記バッテリー取り外し・交換装置として設置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置、ことを特徴とする請求項６３に記載のバッテリー交換制御方法。
【請求項６９】
前記電気自動車が駐車プラットフォームに駐車する前に、前記電気自動車に適用されるバッテリーの型番が予め分かる場合に、前記バッテリー交換制御方法は、
前記電気自動車が前記駐車プラットフォームに駐車する前に、前記少なくとも一つのバッテリー載置台から、第一条件を満たすバッテリー載置台を第一バッテリー載置台として選択し、かつ、前記バッテリー載置・交換装置が前記第一バッテリー載置台から前記搭載待ちバッテリーを取り外すように命令し、前記バッテリー載置・交換装置が前記第一バッテリー載置台から前記搭載待ちバッテリーを取り外した後に、前記バッテリー載置・交換装置が第一所定の待ち位置に予め駐車するように命令し、前記第一所定の待ち位置は、前記駐車プラットフォームからの距離が第一距離閾値を超えない位置である、ことをさらに備えることを特徴とする請求項６３に記載のバッテリー交換制御方法。
【請求項７０】
前記駐車プラットフォームに、前記型番のバッテリーである電気自動車駐車しかを駐車できないことが限定して適用されることにより、前記電気自動車に適用されるバッテリーの型番が予め分かるようにする、ことを特徴とする請求項６９に記載のバッテリー交換制御方法。
【請求項７１】
前記バッテリー交換制御方法は、前記電気自動車が駐車プラットフォームに駐車する前に、前記バッテリー取り外し・交換装置が第二所定の待ち位置に予め駐車するように命令すること、をさらに備えることを特徴とする請求項６３に記載のバッテリー交換制御方法。
【請求項７２】
バッテリーを交換する所定の位置が駐車可能状態にある場合に、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である、ことを特徴とする請求項７１に記載のバッテリー交換制御方法。
【請求項７３】
バッテリーを交換する所定の位置が駐車不可状態にある場合に、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置であり、
前記バッテリー交換制御方法は、さらに、前記電気自動車が前記駐車プラットフォームに駐車していると、前記バッテリー取り外し・交換装置が前記第二所定の待ち位置から前記バッテリーを交換する所定の位置まで移動するように命令する、ことをさらに備えることを特徴とする請求項７２に記載のバッテリー交換制御方法。
【請求項７４】
前記バッテリーを交換する所定の位置が空いている位置である条件、
前記バッテリー取り外し・交換装置が前記バッテリーを交換する所定の位置まで移動するための通過道路が存在している条件、及び、
前記バッテリー取り外し・交換装置が前記バッテリーを交換する所定の位置に駐車すると、前記バッテリー取り外し・交換装置が、前記駐車プラットフォームへ走行する電気自動車に支障を与えないと予測する条件、
という条件が同時に満たされている場合には、前記バッテリーを交換する所定の位置が駐車可能状態となり、さもなければ、前記バッテリーを交換する所定の位置が駐車不可状態となる、ことを特徴とする請求項７２又は請求項７３に記載のバッテリー交換制御方法。
【請求項７５】
前記駐車プラットフォームの構成により、前記バッテリーを交換する所定の位置が前記駐車プラットフォームの下方に位置するか、それとも、上方に位置するか、を特定することを特徴とする請求項７２又は請求項７３に記載のバッテリー交換制御方法。
【請求項７６】
前記バッテリー交換制御方法は、前記電気自動車がプラットフォームに駐車していると、前記バッテリー取り外し・交換装置がバッテリーを交換する所定の位置に移動して駐車するように命令し、前記バッテリーを交換する所定の位置は、前記駐車プラットフォームに駐車している電気自動車からバッテリーを取り出すことが適用される位置である、ことをさらに備えることを特徴とする請求項６３に記載のバッテリー交換制御方法。
【請求項７７】
前記バッテリー交換制御方法は、前記電気自動車が前記駐車プラットフォームに駐車し、しかも、前記バッテリー取り外し・交換装置が前記バッテリーを交換する所定の位置に駐車していると、前記バッテリー取り外し・交換装置が前記電気自動車から前記残量が少ないバッテリーを取り外すように命令し、前記バッテリー取り外し・交換装置が前記電気自動車から前記残量が少ないバッテリーを取り出した後に、前記バッテリー取り外し・交換装置が前記第二バッテリー載置台まで移動し、前記残量が少ないバッテリーを前記空のバッテリー載置棚に置く、ように命令することをさらに備える、ことを特徴とする請求項７２、請求項７３又は請求項７６のうちのいずれか一つに記載のバッテリー交換制御方法。
【請求項７８】
前記バッテリー交換制御方法は、前記バッテリー取り外し・交換装置が前記バッテリーを交換する所定の位置から、或いは前記バッテリーを交換する所定の位置から離れた距離が第三距離閾値を超えると、前記バッテリー載置・交換装置が前記バッテリーを交換する所定の位置まで移動するように命令し、前記バッテリー載置・交換装置が前記バッテリーを交換する所定の位置まで移動した後に、前記バッテリー載置・交換装置が前記搭載待ちバッテリーを前記電気自動車に搭載するように命令する、ことをさらに備えることを特徴とする請求項７２、請求項７３又は請求項７６のうちのいずれか一つに記載のバッテリー交換制御方法。
【請求項７９】
バッテリー交換待ち電気自動車に適用されるバッテリーの型番を特定すること、
少なくとも一つのバッテリー載置台から、第一条件を満たすバッテリー載置台を、第一バッテリー載置台として選択し、前記バッテリー載置台がバッテリーを置くためのバッテリー載置棚を有し、前記第一条件は、前記バッテリーの型番であるバッテリーが置かれている旨として設置されること、
前記少なくとも一つのバッテリー載置台から、第二条件を満たすバッテリー載置台を第二バッテリー載置台として選択し、前記第二条件は、空のバッテリー載置棚を有する旨として設置され、
前記少なくとも二つのバッテリー交換装置における少なくとも一つのバッテリー交換装置を、バッテリー載置・交換装置として配置し、前記バッテリー載置・交換装置は、搭載待ちバッテリーを搬送することに用いられ、前記搭載待ちバッテリーは、前記第一バッテリー載置台から取り出されたものであって、前記バッテリーの型番であり、しかも、前記電気自動車に搭載されるバッテリーであること、及び、
前記少なくとも二つのバッテリー交換装置における少なくとも一つのバッテリー交換装置を、バッテリー取り外し・交換装置として配置し、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーであること、ことを備えることを特徴とするバッテリー交換制御方法。
【請求項８０】
前記バッテリー交換制御方法は、前記バッテリー載置台に置かれているバッテリーの残量を監視することをさらに備え、
前記第一条件は、前記バッテリーの型番であり、しかも、満充電となるバッテリーが置かれている旨として設置され、或いは、
前記第一条件は、優先的に、前記バッテリーの型番であり、しかも、満充電となるバッテリーが置かれている旨として設置され、
前記少なくとも一つのバッテリー載置台に、前記第一条件を満たすバッテリー載置台を有さない場合には、前記第一条件は、前記バッテリーの型番であり、しかも、残量が最も多いバッテリーが置かれている旨に補正して設置される、ことを特徴とする請求項７９に記載のバッテリー交換制御方法。
【請求項８１】
前記バッテリー交換制御方法は、
前記第一条件を満たすバッテリー載置台が一つを超える場合に、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、及び／或いは、
前記第二条件を満たすバッテリー載置台が一つを超える場合に、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことをさらに備えることを特徴とする請求項７９又は請求項８０に記載のバッテリー交換制御方法。
【請求項８２】
前記バッテリー交換制御方法は、前記少なくとも一つのバッテリー載置台に、多機能のバッテリー載置台が存在しているかどうかを判断し、前記多機能のバッテリー載置台は、前記第一条件及び前記第二条件を共に満たすバッテリー載置台であり、
存在の場合に、前記多機能のバッテリー載置台を、同時に前記第一バッテリー載置台及び前記第二バッテリー載置台とし、或いは、前記多機能のバッテリー載置台を前記第一バッテリー載置台及び前記第二バッテリー載置台のうちのいずれか一つとし、若しくは、
残りのバッテリー載置台が、いずれも、前記第一条件を満たさない条件、
残りのバッテリー載置台における、前記第一条件を満たすバッテリー載置台の数が前記第二条件を満たすバッテリー載置台の数よりも小さい条件、
残りのバッテリー載置台における、前記第一条件を満たすバッテリー載置台の数が前記第二条件を満たすバッテリー載置台の数よりも小さく、しかも両者の差分の絶対値が第一差分閾値よりも小さい条件、及び、
残りのバッテリー載置台における、前記第一条件を満たすバッテリー載置台の数が第一数閾値よりも小さい条件、
という条件のうちのいずれか一つを、前記多機能のバッテリー載置台を第一バッテリー載置台とすることに必要な条件とし、若しくは、
残りのバッテリー載置台が、いずれも前記第二条件を満たさない条件、
残りのバッテリー載置台における、前記第二条件を満たすバッテリー載置台の数が前記第一条件を満たすバッテリー載置台の数よりも小さい条件、
残りのバッテリー載置台における、前記第二条件を満たすバッテリー載置台の数が前記第一条件を満たすバッテリー載置台の数よりも小さく、しかも両者の差分の絶対値が第二差分閾値よりも小さい条件、
残りのバッテリー載置台における、前記第二条件を満たすバッテリー載置台の数が第二数閾値よりも小さい条件、
という条件のうちのいずれか一つを、前記多機能のバッテリー載置台を第二バッテリー載置台とすることに必要な条件とする、ことをさらに備えることを特徴とする請求項８１に記載のバッテリー交換制御方法。
【請求項８３】
前記少なくとも二つのバッテリー交換装置は、共に、単一機能のバッテリー交換装置であり、或いは、多機能のバッテリー交換装置であり、或いは、一部が単一機能のバッテリー交換装置であるが、一部が多機能のバッテリー交換装置であり、
前記単一機能のバッテリー交換装置は、第一構成を有し、しかも、バッテリー載置・交換装置としてしか配置されておらず、或いは、第二構成を有し、しかも、バッテリー取り外し・交換装置としてしか配置されなく、
前記多機能のバッテリー交換装置は、第一構成及び第二構成を兼有し、しかも、バッテリー取り外し・交換装置及びバッテリー載置・交換装置のうちのいずれか一つとして配置される、ことを特徴とする請求項７９に記載のバッテリー交換制御方法。
【請求項８４】
前記バッテリー載置・交換装置として設置されるバッテリー交換装置は、前記第一バッテリー載置台と距離が最も近いバッテリー交換装置であり、或いは、前記バッテリー取り外し・交換装置として設置されるバッテリー交換装置は、前記電気自動車又は前記電気自動車を駐車するための駐車プラットフォームと距離が最も近いバッテリー交換装置であり、或いは、
前記バッテリー載置台は、それぞれが少なくとも一つの前記バッテリー交換装置との所定の紐付け関係を有し、前記バッテリー載置・交換装置として設置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、前記バッテリー取り外し・交換装置として設置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置である、ことを特徴とする請求項７９に記載のバッテリー交換制御方法。
【請求項８５】
前記バッテリー交換制御方法は、前記第一バッテリー載置台を選択した後に、前記バッテリー載置・交換装置が前記第一バッテリー載置台から前記搭載待ちバッテリーを取り外すように命令し、前記バッテリー載置・交換装置が前記第一バッテリー載置台から前記搭載待ちバッテリーを取り出した後に、前記バッテリー載置・交換装置が第一所定の待ち位置に予め駐車するように命令し、前記第一所定の待ち位置は、前記駐車プラットフォームからの距離が第一距離閾値を超えない位置である、ことをさらに備えることを特徴とする請求項７９に記載のバッテリー交換制御方法。
【請求項８６】
前記バッテリー交換待ち電気自動車に適用されるバッテリーの型番を特定することは、具体的に、前記電気自動車のナンバープレートを走査し、前記ナンバープレートにより、前記電気自動車に適用されるバッテリーの型番を特定すること、を備えることを特徴とする請求項７９に記載のバッテリー交換制御方法。
【請求項８７】
前記バッテリー交換制御方法は、前記電気自動車がプラットフォームに駐車する前に、前記バッテリー取り外し・交換装置が第二所定の待ち位置に予め駐車するように命令する、ことをさらに備えることを特徴とする請求項７９に記載のバッテリー交換制御方法。
【請求項８８】
バッテリーを交換する所定の位置が駐車可能状態にある場合に、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である、ことを特徴とする請求項８７に記載のバッテリー交換制御方法。
【請求項８９】
バッテリーを交換する所定の位置が駐車不可状態にある場合に、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置であり、
前記バッテリー交換制御方法は、前記電気自動車が前記駐車プラットフォームに駐車していると、前記バッテリー取り外し・交換装置が前記第二所定の待ち位置から前記バッテリーを交換する所定の位置まで移動する、ように命令することをさらに備えることを特徴とする請求項８７に記載のバッテリー交換制御方法。
【請求項９０】
前記バッテリーを交換する所定の位置が空いている位置である条件、
前記バッテリー取り外し・交換装置が前記バッテリーを交換する所定の位置まで移動するための通過道路が存在している条件、及び、
前記バッテリー取り外し・交換装置が前記バッテリーを交換する所定の位置に駐車していると、前記バッテリー取り外し・交換装置が前記駐車プラットフォームへ走行する電気自動車に支障を与えないと予測する条件、
という条件が同時に満たされている場合には、前記バッテリーを交換する所定の位置が駐車可能状態となり、さもなければ、前記バッテリーを交換する所定の位置が駐車不可状態となる、ことを特徴とする請求項８８又は請求項８９に記載のバッテリー交換制御方法。
【請求項９１】
前記駐車プラットフォームの構成により、前記バッテリーを交換する所定の位置が前記駐車プラットフォームの下方に位置するか、それとも、上方に位置するか、を特定することを特徴とする請求項８８又は請求項８９に記載のバッテリー交換制御方法。
【請求項９２】
前記バッテリー交換制御方法は、前記電気自動車がプラットフォームに駐車していると、前記バッテリー取り外し・交換装置がバッテリーを交換する所定の位置まで移動して駐車するように命令し、前記バッテリーを交換する所定の位置は、前記駐車プラットフォームに駐車している電気自動車からバッテリーを取り出すことが適用される位置である、ことをさらに備えることを特徴とする請求項７９に記載のバッテリー交換制御方法。
【請求項９３】
前記バッテリー交換制御方法は、前記電気自動車が前記駐車プラットフォームに駐車し、しかも、前記バッテリー取り外し・交換装置が前記バッテリーを交換する所定の位置に駐車していると、前記バッテリー取り外し・交換装置が前記電気自動車から前記残量が少ないバッテリーを取り外すように命令し、前記バッテリー取り外し・交換装置が前記電気自動車から前記残量が少ないバッテリーを取り外した後に、前記バッテリー取り外し・交換装置が前記第二バッテリー載置台まで移動し、前記残量が少ないバッテリーを前記空のバッテリー載置棚に置くように命令する、ことをさらに備えることを特徴とする請求項８８、請求項８９又は請求項９２のうちのいずれか一つに記載のバッテリー交換制御方法。
【請求項９４】
前記バッテリー交換制御方法は、前記バッテリー取り外し・交換装置が前記バッテリーを交換する所定の位置から、或いは、前記バッテリーを交換する所定の位置から離れた距離が第三距離閾値を超えると、前記バッテリー載置・交換装置が前記バッテリーを交換する所定の位置まで移動するように命令し、前記バッテリー載置・交換装置が前記バッテリーを交換する所定の位置まで移動した後に、前記バッテリー載置・交換装置が前記搭載待ちバッテリーを前記電気自動車に搭載するように命令する、ことをさらに備えることを特徴とする請求項８８、請求項８９又は請求項９２のうちのいずれか一つに記載のバッテリー交換制御方法。
【発明の詳細な説明】
【技術分野】
【０００１】
本発明は、バッテリーの交換を制御する分野に関し、特に、バッテリー交換制御システム及び方法に関する。
【背景技術】
【０００２】
従来の電気自動車は、バッテリーを交換することに二つの形態が主に存在しており、その一つが直接に充電できる式であり、もう一つがバッテリーを交換できる急速交換式である。
【発明の概要】
【発明が解決しようとする課題】
【０００３】
前記急速交換式のものは、通常に、バッテリー交換ステーションに行われており、バッテリー交換ステーションにおけるバッテリー交換装置により、車における残量が少なく又は残量が切れたバッテリーを取り外し、集積される充電ホルダーに置いて、充電を行ってから、バッテリー交換装置により、充電ホルダーから新たなもの又は満充電となっているバッテリーを取り外して車に搭載する。このような形態においては、バッテリー交換装置にとって、バッテリーを取り外すことだけではなく、バッテリーを搭載することも必要となっていることから、車と充電ホルダーとの間に往復することが必要となり、バッテリーを交換することに時間がかかり、効率が比較的低い。
【課題を解決するための手段】
【０００４】
本発明の解決しようとする技術問題は、従来技術において、同一のバッテリー交換装置を用いて、バッテリーの取り外しとバッテリーの搭載との両者を実現することにより、バッテリーを交換することにかかる時間が比較的長くなり、効率が比較的低くなるという欠陥を克服するために、バッテリー交換制御システム及び方法を提供するということにある。
【０００５】
本発明は、以下の技術手段により、上記した技術問題を解決する。
【０００６】
本発明は、バッテリー交換制御システムを提供しており、制御手段及びバッテリー交換装置を備え、前記制御手段は、電気自動車に適用されるバッテリーの型番を特定することに用いられ、前記制御手段は、さらに、少なくとも一つのバッテリー載置台から、第一条件を満たすバッテリー載置台を、第一バッテリー載置台として選択し、前記少なくとも一つのバッテリー載置台から、第二条件を満たすバッテリー載置台を、第二バッテリー載置台として選択することに用いられ、前記バッテリー載置台は、バッテリーを置くための一つ以上のバッテリー載置棚を有し、前記第一条件は、前記バッテリーの型番であるバッテリーが置かれている旨として設置され、前記第二条件は、空のバッテリー載置棚を有する旨として設置され、前記バッテリー交換装置は、バッテリーを交換する所定の位置まで移動し、前記電気自動車から残量が少ないバッテリーを取り外し、前記残量が少ないバッテリーを前記第二載置台に搬送し前記空のバッテリー載置棚に置いてから、前記第一バッテリー載置台まで移動し、前記第一バッテリー載置台から前記バッテリーの型番であるバッテリーを取り外し、前記バッテリーの型番であるバッテリーを、前記バッテリーを交換する所定の位置まで搬送し、前記電気自動車に搭載することに用いられ、前記バッテリーを交換する所定の位置は、前記電気自動車からバッテリーを着脱することが適用される位置である。
【０００７】
好適には、前記制御手段は、さらに、前記バッテリー載置台に置かれているバッテリーの残量を監視することに用いられ、前記第一条件は、前記バッテリーの型番であり、しかも、満充電となるバッテリーが置かれている旨として設置され、或いは、前記第一条件は、優先的に、前記バッテリーの型番であり、しかも、満充電となるバッテリーが置かれている旨として設置され、前記少なくとも一つのバッテリー載置台に前記第一条件を満たすバッテリー載置台を有さない場合には、前記第一条件は、前記バッテリーの型番であり、しかも残量が最も多いバッテリーが置かれている旨に補正して設置される。
【０００８】
好適には、前記制御手段は、さらに、前記第一条件を満たすバッテリー載置台が一つを超える時、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、或いは、前記第二バッテリー載置台と前記バッテリー車との間の経路に位置する一つのバッテリー載置台を前記第一バッテリー載置台として選択し、或いは、前記経路に位置し、しかも、前記電気自動車又は前記駐車プラットフォームと距離が最も近い一つのバッテリー載置台を前記第一バッテリー載置台として選択する、ことに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことに用いられる。
【０００９】
好適には、前記バッテリー載置台は、前記電気自動車が前記駐車プラットフォームへ走行する方向に沿って前記駐車プラットフォームの両側に分布される。
【００１０】
好適には、前記少なくとも一つのバッテリー載置台に、多機能のバッテリー載置台が存在しており、前記多機能のバッテリー載置台が前記第一条件及び前記第二条件を共に満たすバッテリー載置台である場合には、前記制御手段は、さらに、前記多機能のバッテリー載置台を、同時に、前記第一バッテリー載置台及び前記第二バッテリー載置台とすることに用いられる。
【００１１】
好適には、前記空のバッテリー載置棚は、さらに、前記残量が少ないバッテリーを充電することに用いられる。
【００１２】
好適には、前記空のバッテリー載置棚は、バッテリー充電回路を有し、前記バッテリー充電回路は、前記バッテリーの型番とマッチングする一定の電力パラメータを有し、或いは、調節可能な電力パラメータを有し、前記制御手段は、さらに、前記電力パラメータが前記バッテリーの型番とマッチングするように、前記バッテリーの型番により、前記電力パラメータを調節することに用いられる。
【００１３】
好適には、前記制御手段は、さらに、前記電気自動車のナンバープレートを走査し、前記ナンバープレートにより、前記電気自動車に適用されるバッテリーの型番を特定することに用いられる。
【００１４】
好適には、前記バッテリー交換装置は、前記制御手段により制御され、前記制御手段は、前記電気自動車が駐車プラットフォームに駐車する前に、前記バッテリー交換装置に、前記バッテリー交換装置が所定の待ち位置に予め駐車するように命令するための駐車命令を送信し、前記バッテリー交換装置により実行することに用いられる。
【００１５】
好適には、バッテリーを交換する所定の位置が駐車可能状態にある場合に、前記所定の待ち位置が前記バッテリーを交換する所定の位置と同じ位置である。
【００１６】
好適には、バッテリーを交換する所定の位置が駐車不可状態にある場合に、前記所定の待ち位置が前記バッテリーを交換する所定の位置からの距離が第一距離閾値を超えない位置であり、前記制御手段は、さらに、前記電気自動車が前記駐車プラットフォームに駐車していると、前記バッテリー取り外し・交換装置に微細調節命令を送信することに用いられ、前記微細調節命令は、前記バッテリー交換装置が前記所定の待ち位置から前記バッテリーを交換する所定の位置まで移動するように命令するためものである。
【００１７】
好適には、前記バッテリーを交換する所定の位置が空いている位置である条件、前記バッテリー交換装置がバッテリーを交換する所定の位置まで移動するための通過道路が存在している条件、及び、前記バッテリー交換装置が前記バッテリーを交換する所定の位置に駐車していると、前記バッテリー交換装置が前記駐車プラットフォームへ走行する電気自動車に支障を与えないと予測する条件、という条件が同時に満たされている場合には、前記バッテリーを交換する所定の位置が駐車可能状態となり、さもなければ、前記バッテリーを交換する所定の位置が駐車不可状態となる。
【００１８】
好適には、前記駐車プラットフォームの構成により、前記バッテリーを交換する所定の位置が前記駐車プラットフォームの下方に位置するか、それとも、上方に位置するか、を特定する。
【００１９】
好適には、前記バッテリー交換装置は、前記制御手段により制御され、前記制御手段は、さらに、前記電気自動車が駐車プラットフォームに駐車していると、前記バッテリー交換装置が前記電気自動車から前記残量が少ないバッテリーを取り外すように命令するためのバッテリー取り外し命令、前記バッテリー交換装置が前記第二バッテリー載置台まで移動するように命令するための第一移動命令、前記バッテリー交換装置が、前記残量が少ないバッテリーを前記空のバッテリー載置棚に置くように命令するためのバッテリー置き命令、前記バッテリー交換装置が前記第一バッテリー載置台まで移動するように命令するための第二移動命令、前記バッテリー交換装置が前記第一バッテリー載置台から前記バッテリーの型番であるバッテリーを取り外すように命令するためのバッテリー取り出し命令、前記バッテリー交換装置が前記バッテリーを交換する所定の位置まで移動するように命令するための第三移動命令、及び、前記バッテリー交換装置が前記バッテリーの型番であるバッテリーを前記電気自動車に搭載するように命令するためのバッテリー搭載命令を、前記電気自動車に送信して、前記バッテリー交換装置により実行する、ことに用いられる。
【００２０】
本発明は、さらに、バッテリー交換制御システムを提供しており、制御手段、及び、少なくとも二つのバッテリー交換装置を備え、前記制御手段は、少なくとも一つのバッテリー載置台から、第一条件を満たすバッテリー載置台を第一バッテリー載置台として選択し、前記少なくとも一つのバッテリー載置台から、第二条件を満たすバッテリー載置台を第二バッテリー載置台として選択することに用いられ、前記バッテリー載置台は、バッテリーを置くための一つ以上のバッテリー載置棚を有し、前記第一条件は、電気自動車に適用されるバッテリーが置かれている旨として設置され、前記第二条件は、空のバッテリー載置棚を有する旨として設置され、前記制御手段は、さらに、前記少なくとも二つのバッテリー交換装置における少なくとも一つのバッテリー交換装置をバッテリー載置・交換装置として配置し、前記少なくとも二つのバッテリー交換装置における少なくとも一つのバッテリー交換装置をバッテリー取り外し・交換装置として配置することに用いられ、前記バッテリー載置・交換装置は、搭載待ちバッテリーを搬送することに用いられ、前記搭載待ちバッテリーは、前記第一バッテリー載置台から取り出されたものであって、前記電気自動車に適用され、しかも、前記電気自動車に搭載されるバッテリーであり、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーである。
【００２１】
好適には、前記制御手段は、さらに、前記バッテリー載置台に置かれているバッテリーの残量を監視することに用いられ、前記第一条件は、前記電気自動車に適用され、しかも、満充電となるバッテリーが置かれている旨として設置され、或いは、前記第一条件は、優先的に、前記電気自動車に適用され、しかも、満充電となるバッテリーを有する旨として設置され、前記少なくとも一つのバッテリー載置台に前記第一条件を満たすバッテリー載置台を有さない場合には、前記第一条件は、前記電気自動車に適用され、しかも、残量が最も多いバッテリーが置かれている旨に補正して設置される。
【００２２】
好適には、前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択する、ことに用いられ、及び／或いは、前記制御手段さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記電気自動車を駐車するための駐車プラットフォームと距離が最も近い一つのバッテリー載置台を前記第二バッテリー載置台として選択する、ことに用いられる。
【００２３】
好適には、前記バッテリー載置台は、前記電気自動車が前記駐車プラットフォームへ走行する方向に沿って前記駐車プラットフォームの両側に分布される。
【００２４】
好適には、前記少なくとも一つのバッテリー載置台に多機能のバッテリー載置台が存在しており、前記多機能のバッテリー載置台が前記第一条件及び前記第二条件を共に満たすバッテリー載置台である場合に、前記制御手段は、さらに、前記多機能のバッテリー載置台を、同時に、前記第一バッテリー載置台及び前記第二バッテリー載置台とし、或いは、前記多機能のバッテリー載置台を、前記第一バッテリー載置台及び前記第二バッテリー載置台のうちのいずれか一つとし、若しくは、残りのバッテリー載置台が、いずれも、前記第一条件を満たさない条件、残りのバッテリー載置台における、前記第一条件を満たすバッテリー載置台の数が前記第二条件を満たすバッテリー載置台の数よりも小さい条件、残りのバッテリー載置台における、前記第一条件を満たすバッテリー載置台の数が前記第二条件を満たすバッテリー載置台の数よりも小さく、しかも、両者の差分の絶対値が第一差分閾値よりも小さい条件、及び、残りのバッテリー載置台における、前記第一条件を満たすバッテリー載置台の数が第一数閾値よりも小さい条件、という条件のうちのいずれか一つを、前記多機能のバッテリー載置台を第一バッテリー載置台とすることに必要な条件とし、或いは、残りのバッテリー載置台が、いずれも、前記第二条件を満たさない条件、残りのバッテリー載置台における、前記第二条件を満たすバッテリー載置台の数が前記第一条件を満たすバッテリー載置台の数よりも小さい条件、残りのバッテリー載置台における、前記第二条件を満たすバッテリー載置台の数が前記第一条件を満たすバッテリー載置台の数よりも小さく、しかも、両者の差分の絶対値が第二差分閾値よりも小さい条件、及び、残りのバッテリー載置台における、前記第二条件を満たすバッテリー載置台の数が第二数閾値よりも小さい条件という、条件のうちのいずれか一つを、前記多機能のバッテリー載置台を第二バッテリー載置台とすることに必要な条件とする、ことに用いられる。
【００２５】
好適には、前記バッテリー載置棚は、さらに、バッテリーを充電することに用いられる。
【００２６】
好適には、前記少なくとも二つのバッテリー交換装置は、共に、単一機能のバッテリー交換装置であり、或いは、共に多機能のバッテリー交換装置であり、或いは、一部が単一機能のバッテリー交換装置であるが、一部が多機能のバッテリー交換装置であり、前記単一機能のバッテリー交換装置は、第一構成を有し、しかも、バッテリー載置・交換装置としてしか配置されておらず、或いは、第二構成を有し、しかも、バッテリー取り外し・交換装置として配置されておらず、前記多機能のバッテリー交換装置は、第一構成及び第二構成を兼有し、しかも、バッテリー取り外し・交換装置及びバッテリー載置・交換装置のうちのいずれか一つとして配置される。
【００２７】
好適には、前記バッテリー載置・交換装置として設置されるバッテリー交換装置は、前記第一バッテリー載置台と距離が最も近いバッテリー交換装置であり、或いは、前記バッテリー取り外し・交換装置として設置されるバッテリー交換装置は、前記電気自動車又は前記電気自動車を駐車するための駐車プラットフォームと距離が最も近いバッテリー交換装置であり、或いは、前記バッテリー載置台は、それぞれが少なくとも一つの前記バッテリー交換装置との所定の紐付け関係を有し、前記バッテリー載置・交換装置として設置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、前記バッテリー取り外し・交換装置として設置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置である。
【００２８】
好適には、前記電気自動車が駐車プラットフォームに駐車する前に、前記電気自動車に適用されるバッテリーの型番が予め分かる場合に、前記制御手段は、さらに、前記電気自動車が前記駐車プラットフォームに駐車する前に、前記少なくとも一つのバッテリー載置台から第一条件を満たすバッテリー載置台を第一バッテリー載置台として選択し、かつ、前記バッテリー載置・交換装置にバッテリー取り出し命令を送信することに用いられ、前記バッテリー取り出し命令は、前記バッテリー載置・交換装置が前記第一バッテリー載置台から前記搭載待ちバッテリーを取り外すように命令するためのものであり、前記バッテリー載置・交換装置は、さらに、前記バッテリー取り出し命令を実行することに用いられ、前記制御手段は、さらに、前記バッテリー載置・交換装置が前記バッテリー取り出し命令を実行した後に、前記バッテリー載置・交換装置に第一移動命令を送信することに用いられ、前記第一移動命令は、前記バッテリー載置・交換装置が第一所定の待ち位置に予め駐車するように命令するためのものであり、前記第一所定の待ち位置は、前記駐車プラットフォームからの距離が第一距離閾値を超えない位置であり、前記バッテリー載置・交換装置は、さらに、前記第一移動命令を実行することに用いられる。
【００２９】
好適には、前記駐車プラットフォームに、前記型番のバッテリーである電気自動車しかを駐車できないことが限定して適用されるということにより、前記電気自動車に適用されるバッテリーの型番が予め分かるようにする。
【００３０】
好適には、前記制御手段は、さらに、前記電気自動車が駐車プラットフォームに駐車する前に、前記バッテリー取り外し・交換装置に第二移動命令を送信することに用いられ、前記第二移動命令は、前記バッテリー取り外し・交換装置が第二所定の待ち位置に予め駐車するように命令するためのものであり、前記バッテリー取り外し・交換装置は、さらに、前記第二移動命令を実行することに用いられる。
【００３１】
好適には、バッテリーを交換する所定の位置が駐車可能状態にある場合に、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である。
【００３２】
好適には、バッテリーを交換する所定の位置が駐車不可状態にある場合に、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置である。
【００３３】
前記制御手段は、さらに、前記電気自動車が前記駐車プラットフォームに駐車していると、前記バッテリー取り外し・交換装置に微細調節命令を送信することに用いられ、前記微細調節命令は、前記バッテリー取り外し・交換装置が前記第二所定の待ち位置から前記バッテリーを交換する所定の位置まで移動するように命令するためのものである。
【００３４】
好適には、前記バッテリーを交換する所定の位置が空いている位置である条件、前記バッテリー取り外し・交換装置が前記バッテリーを交換する所定の位置まで移動するための通過道路が存在している条件、前記バッテリー取り外し・交換装置が前記バッテリーを交換する所定の位置に駐車していると、前記バッテリー取り外し・交換装置が前記駐車プラットフォームへ走行する電気自動車に支障を与えないと予測する条件、という条件が同時に満たされている場合には、前記バッテリーを交換する所定の位置が駐車可能状態となり、さもなければ、前記バッテリーを交換する所定の位置が駐車不可状態となる。
【００３５】
好適には、前記駐車プラットフォームの構成により、前記バッテリーを交換する所定の位置が前記駐車プラットフォームの下方に位置するか、それとも、上方に位置するか、を特定する。
【００３６】
好適には、前記制御手段は、さらに、前記電気自動車が駐車プラットフォームに駐車していると、前記バッテリー取り外し・交換装置に第三移動命令を送信することに用いられ、前記第三移動命令は、前記バッテリー取り外し・交換装置がバッテリーを交換する所定の位置まで移動して駐車するように命令するためのものであり、前記バッテリーを交換する所定の位置は、前記駐車プラットフォームに駐車している電気自動車からバッテリーを取り出すことが適用される位置であり、前記バッテリー取り外し・交換装置は、さらに、前記第三移動命令を実行することに用いられる。
【００３７】
好適には、前記制御手段は、さらに、前記電気自動車が前記駐車プラットフォームに駐車し、しかも、前記バッテリー取り外し・交換装置が前記バッテリーを交換する所定の位置に駐車していると、前記バッテリー取り外し・交換装置にバッテリー取り外し命令を送信することに用いられ、前記バッテリー取り外し命令は、前記バッテリー取り外し・交換装置が前記電気自動車から前記残量が少ないバッテリーを取り外すように命令するためのものであり、前記バッテリー取り外し・交換装置は、さらに、前記バッテリー取り外し命令を実行することに用いられ、前記制御手段は、さらに、前記バッテリー取り外し・交換装置が前記バッテリー取り外し命令を実行した後に、前記バッテリー取り外し・交換装置に第四移動命令を送信することに用いられ、前記第四移動命令は、前記バッテリー取り外し・交換装置が前記第二バッテリー載置台まで移動し前記残量が少ないバッテリーを前記空のバッテリー載置棚に置くように命令するためのものであり、前記バッテリー取り外し・交換装置は、さらに、前記第四移動命令を実行することに用いられる。
【００３８】
好適には、前記制御手段は、さらに、前記バッテリー取り外し・交換装置が前記バッテリーを交換する所定の位置から或いは前記バッテリーを交換する所定の位置から離れた距離が第三距離閾値を超えると、前記バッテリー載置・交換装置に第五移動命令を送信することに用いられ、前記第五移動命令は、前記バッテリー載置・交換装置が前記バッテリーを交換する所定の位置まで移動するように命令するためのものであり、前記バッテリー載置・交換装置は、さらに、前記第五移動命令を実行することに用いられ、前記制御手段は、さらに、前記バッテリー載置・交換装置が前記第五移動命令を実行した後に、前記バッテリー載置・交換装置にバッテリー搭載命令を送信することに用いられ、前記バッテリー搭載命令は、前記バッテリー載置・交換装置が前記搭載待ちバッテリーを前記電気自動車に搭載するように命令するためのものであり、前記バッテリー載置・交換装置は、さらに、前記バッテリー搭載命令を実行することに用いられる。
【００３９】
本発明は、さらに、バッテリー交換制御システムを提供しており、制御手段、及び、少なくとも二つのバッテリー交換装置を備え、前記制御手段は、バッテリー交換待ち電気自動車に適用されるバッテリーの型番を特定することに用いられ、前記制御手段は、さらに、少なくとも一つのバッテリー載置台から、第一条件を満たすバッテリー載置台を第一バッテリー載置台として選択し、前記少なくとも一つのバッテリー載置台から、第二条件を満たすバッテリー載置台を第二バッテリー載置台として選択することに用いられ、前記バッテリー載置台は、バッテリーを置くための一つ以上のバッテリー載置棚を有し、前記第一条件は、前記バッテリーの型番であるバッテリーが置かれている旨として設置され、前記第二条件は、空のバッテリー載置棚を有する旨として設置され、前記制御手段は、さらに、前記少なくとも二つのバッテリー交換装置における少なくとも一つのバッテリー交換装置をバッテリー載置・交換装置として配置し、前記少なくとも二つのバッテリー交換装置における少なくとも一つのバッテリー交換装置をバッテリー取り外し・交換装置として配置することに用いられ、前記バッテリー載置・交換装置は、搭載待ちバッテリーを搬送することに用いられ、前記搭載待ちバッテリーは、前記第一バッテリー載置台から取り外されたものであって、前記バッテリーの型番であり、しかも、前記電気自動車に搭載されるバッテリーであり、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーである。
【００４０】
好適には、前記制御手段は、さらに、前記バッテリー載置台に置かれているバッテリーの残量を監視することに用いられ、前記第一条件は、前記バッテリーの型番であり、しかも、満充電となるバッテリーが置かれている旨として設置され、或いは、前記第一条件は、優先的に、前記バッテリーの型番であり、しかも、満充電となるバッテリーが置かれている旨として設置され、前記少なくとも一つのバッテリー載置台に前記第一条件を満たすバッテリー載置台を有さない場合に、前記第一条件は、前記バッテリーの型番であり、しかも、残量が最も多いバッテリーが置かれている旨に補正して設置される。
【００４１】
好適には、前記制御手段は、さらに、前記第一条件を満たすバッテリー載置台が一つを超えると、从前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択することに用いられ、及び／或いは、前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択することに用いられる。
【００４２】
好適には、前記バッテリー載置台は、前記電気自動車が前記駐車プラットフォームへ走行する方向に沿って前記駐車プラットフォームの両側に分布される。
【００４３】
好適には、前記少なくとも一つのバッテリー載置台に多機能のバッテリー載置台が存在しており、前記多機能のバッテリー載置台が前記第一条件及び前記第二条件を共に満たすバッテリー載置台である場合に、前記制御手段は、さらに、前記多機能のバッテリー載置台を、同時に、前記第一バッテリー載置台及び前記第二バッテリー載置台とし、或いは、前記多機能のバッテリー載置台を、前記第一バッテリー載置台及び前記第二バッテリー載置台のうちのいずれか一つとし、若しくは、残りのバッテリー載置台が、いずれも、前記第一条件を満たさない条件、残りのバッテリー載置台における、前記第一条件を満たすバッテリー載置台の数が前記第二条件を満たすバッテリー載置台の数よりも小さい条件、残りのバッテリー載置台における、前記第一条件を満たすバッテリー載置台の数が前記第二条件を満たすバッテリー載置台の数よりも小さく、しかも、両者の差分の絶対値が第一差分閾値よりも小さい条件、及び、残りのバッテリー載置台における、前記第一条件を満たすバッテリー載置台の数が第一数閾値よりも小さい、という条件のうちのいずれか一つを、前記多機能のバッテリー載置台を第一バッテリー載置台とすることに必要な条件とし、或いは、残りのバッテリー載置台がいずれも前記第二条件を満たさない条件、残りのバッテリー載置台における、前記第二条件を満たすバッテリー載置台の数が前記第一条件を満たすバッテリー載置台の数よりも小さい条件、残りのバッテリー載置台における、前記第二条件を満たすバッテリー載置台の数が前記第一条件を満たすバッテリー載置台の数よりも小さく、しかも、両者の差分の絶対値が第二差分閾値よりも小さい条件、及び、残りのバッテリー載置台における、前記第二条件を満たすバッテリー載置台の数が第二数閾値よりも小さい、という、条件のうちのいずれか一つを、前記多機能のバッテリー載置台を第二バッテリー載置台とすることに必要な条件とする、ことに用いられる。
【００４４】
好適には、前記バッテリー載置棚は、さらに、バッテリーを充電することに用いられる。
【００４５】
好適には、前記少なくとも二つのバッテリー交換装置は、共に、単一機能のバッテリー交換装置であり、或いは、共に、多機能のバッテリー交換装置であり、或いは、一部が単一機能のバッテリー交換装置であるが、一部が多機能のバッテリー交換装置であり、前記単一機能のバッテリー交換装置は、第一構成を有し、しかも、バッテリー載置・交換装置としてしか配置されておらず、或いは、第二構成を有し、しかも、バッテリー取り外し・交換装置としてしか配置されなく、前記多機能のバッテリー交換装置は、第一構成及び第二構成を兼有し、しかも、バッテリー取り外し・交換装置及びバッテリー載置・交換装置のうちのいずれか一つとして配置される。
【００４６】
好適には、前記バッテリー載置・交換装置として設置されるバッテリー交換装置は、前記第一バッテリー載置台と距離が最も近いバッテリー交換装置であり、或いは、前記バッテリー取り外し・交換装置として設置されるバッテリー交換装置は、前記電気自動車又は前記電気自動車を駐車するための駐車プラットフォームと距離が最も近いバッテリー交換装置であり、或いは、前記バッテリー載置台は、それぞれが少なくとも一つの前記バッテリー交換装置との所定の紐付け関係を有し、前記バッテリー載置・交換装置として設置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、前記バッテリー取り外し・交換装置として配置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置である。
【００４７】
好適には、前記制御手段は、さらに、前記第一バッテリー載置台を選択した後に、前記バッテリー載置・交換装置にバッテリー取り出し命令を送信することに用いられ、前記バッテリー取り出し命令は、前記バッテリー載置・交換装置が前記第一バッテリー載置台から前記搭載待ちバッテリーを取り外すように命令するためのものであり、前記バッテリー載置・交換装置は、さらに、前記バッテリー取り出し命令を実行することに用いられ、前記制御手段は、さらに、前記バッテリー載置・交換装置が前記バッテリー取り出し命令を実行した後に、前記バッテリー載置・交換装置に第一移動命令を送信することに用いられ、前記第一移動命令は、前記バッテリー載置・交換装置が第一所定の待ち位置に予め駐車するように命令するためのものであり、前記第一所定の待ち位置は、前記駐車プラットフォームからの距離が第一距離閾値を超えない位置であり、前記バッテリー載置・交換装置は、さらに、前記第一移動命令を実行することに用いられる。
【００４８】
好適には、前記制御手段は、さらに、前記電気自動車のナンバープレートを走査し、前記ナンバープレートにより、前記電気自動車に適用されるバッテリーの型番を特定することに用いられる。
【００４９】
好適には、前記制御手段は、さらに、前記電気自動車が駐車プラットフォームに駐車する前に、前記バッテリー取り外し・交換装置に第二移動命令を送信することに用いられ、前記第二移動命令は、前記バッテリー取り外し・交換装置が第二所定の待ち位置に予め駐車するように命令するためのものであり、前記バッテリー取り外し・交換装置は、さらに、前記第二移動命令を実行することに用いられる。
【００５０】
好適には、バッテリーを交換する所定の位置が駐車可能状態にある場合に、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である。
【００５１】
好適には、バッテリーを交換する所定の位置が駐車不可状態にある場合に、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置である、
【００５２】
前記制御手段は、さらに、前記電気自動車が前記駐車プラットフォームに駐車していると、前記バッテリー取り外し・交換装置に微細調節命令を送信することに用いられ、前記微細調節命令は、前記バッテリー取り外し・交換装置が前記第二所定の待ち位置から前記バッテリーを交換する所定の位置まで移動するように命令するためのものである。
【００５３】
好適には、前記バッテリーを交換する所定の位置が空いている位置である条件、前記バッテリー取り外し・交換装置が前記バッテリーを交換する所定の位置まで移動するための通過道路が存在している条件、及び、前記バッテリー取り外し・交換装置が前記バッテリーを交換する所定の位置に駐車していると、前記バッテリー取り外し・交換装置が前記駐車プラットフォームへ走行する電気自動車に支障を与えないと予測する条件、という条件が同時に満たされている場合には、前記バッテリーを交換する所定の位置が駐車可能状態となり、さもなければ、前記バッテリーを交換する所定の位置が駐車不可状態となる。
【００５４】
好適には、前記駐車プラットフォームの構成により、前記バッテリーを交換する所定の位置が前記駐車プラットフォームの下方に位置するか、それとも、上方に位置するか、を特定する。
【００５５】
好適には、前記制御手段は、さらに、前記電気自動車が駐車プラットフォームに駐車していると、前記バッテリー取り外し・交換装置に第三移動命令を送信することに用いられ、前記第三移動命令は、前記バッテリー取り外し・交換装置がバッテリーを交換する所定の位置まで移動して駐車するように命令するためのものであり、前記バッテリーを交換する所定の位置は、前記駐車プラットフォームに駐車している電気自動車からバッテリーを取り出すことが適用される位置であり、前記バッテリー取り外し・交換装置は、さらに、前記第三移動命令を実行することに用いられる。
【００５６】
好適には、前記制御手段は、さらに、前記電気自動車が前記駐車プラットフォームに駐車し、しかも、前記バッテリー取り外し・交換装置が前記バッテリーを交換する所定の位置に駐車していると、前記バッテリー取り外し・交換装置にバッテリー取り外し命令を送信することに用いられ、前記バッテリー取り外し命令は、前記バッテリー取り外し・交換装置が前記電気自動車から前記残量が少ないバッテリーを取り外すように命令するためのものであり、前記バッテリー取り外し・交換装置は、さらに、前記バッテリー取り外し命令を実行することに用いられ、前記制御手段は、さらに、前記バッテリー取り外し・交換装置が前記バッテリー取り外し命令を実行した後に、前記バッテリー取り外し・交換装置に第四移動命令を送信することに用いられ、前記第四移動命令は、前記バッテリー取り外し・交換装置が前記第二バッテリー載置台まで移動し前記残量が少ないバッテリーを前記空のバッテリー載置棚に置くように命令するためのものであり、前記バッテリー取り外し・交換装置は、さらに、前記第四移動命令を実行することに用いられる。
【００５７】
好適には、前記制御手段は、さらに、前記バッテリー取り外し・交換装置が前記バッテリーを交換する所定の位置から、或いは、前記バッテリーを交換する所定の位置から離れた距離が第三距離閾値を超えると、前記バッテリー載置・交換装置に第五移動命令を送信することに用いられ、前記第五移動命令は、前記バッテリー載置・交換装置が前記バッテリーを交換する所定の位置まで移動するように命令するためのものであり、前記バッテリー載置・交換装置は、さらに、前記第五移動命令を実行することに用いられ、前記制御手段は、さらに、前記バッテリー載置・交換装置が前記第五移動命令を実行した後に、前記バッテリー載置・交換装置にバッテリー搭載命令を送信することに用いられ、前記バッテリー搭載命令は、前記バッテリー載置・交換装置が前記搭載待ちバッテリーを前記電気自動車に搭載するように命令するためのものであり、前記バッテリー載置・交換装置は、さらに、前記バッテリー搭載命令を実行することに用いられる。
【００５８】
本発明さらに、バッテリー交換制御方法を提供しており、電気自動車に適用されるバッテリーの型番を特定すること、少なくとも一つのバッテリー載置台から第一条件を満たすバッテリー載置台を第一バッテリー載置台として選択し、前記バッテリー載置台は、バッテリーを置くためのバッテリー載置棚を有し、前記第一条件は、前記バッテリーの型番であるバッテリーが置かれている旨として設置されること、前記少なくとも一つのバッテリー載置台から、第二条件を満たすバッテリー載置台を第二バッテリー載置台として選択し、前記第二条件は、空のバッテリー載置棚を有する旨として設置されること、バッテリー交換装置を、バッテリーを交換する所定の位置まで移動し、前記電気自動車から残量が少ないバッテリーを取り外し、前記残量が少ないバッテリーを前記第二載置台に搬送し前記空のバッテリー載置棚に置き、前記バッテリーを交換する所定の位置は、前記電気自動車バッテリーを着脱することが適用される位置であること、前記バッテリー交換装置を前記第一バッテリー載置台に移動し、前記第一バッテリー載置台から前記バッテリーの型番であるバッテリーを取り外し、前記バッテリーの型番であるバッテリーを前記バッテリーを交換する所定の位置まで搬送し、前記電気自動車に搭載することを備える。
【００５９】
好適には、前記バッテリー交換制御方法は、さらに、前記バッテリー載置台に置かれているバッテリーの残量を監視することを備え、前記第一条件は、前記バッテリーの型番であり、しかも、満充電となるバッテリーが置かれている旨として設置され、或いは、前記第一条件は、優先的に、前記バッテリーの型番であり、しかも、満充電となるバッテリーが置かれている旨として設置され、前記少なくとも一つのバッテリー載置台に、前記第一条件を満たすバッテリー載置台を有さない場合に、前記第一条件は、前記バッテリーの型番であり、しかも、残量が最も多いバッテリーが置かれている旨に補正して設置される。
【００６０】
好適には、前記バッテリー交換制御方法は、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、或いは、前記第二バッテリー載置台と前記バッテリー車との間の経路に位置する一つのバッテリー載置台を前記第一バッテリー載置台として選択し、或いは、前記経路に位置し、しかも、前記電気自動車又は前記駐車プラットフォームと距離が最も近い一つのバッテリー載置台を前記第一バッテリー載置台とし、及び／或いは、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択することをさらに、備える。
【００６１】
好適には、前記バッテリー交換制御方法は、前記少なくとも一つのバッテリー載置台に多機能のバッテリー載置台が存在しているかどうかを判断し、前記多機能のバッテリー載置台が前記第一条件及び前記第二条件を共に満たすバッテリー載置台であり、存在の場合に、前記多機能のバッテリー載置台を、同時に前記第一バッテリー載置台及び前記第二バッテリー載置台とする、ことをさらに備える。
【００６２】
好適には、前記空のバッテリー載置棚は、さらに、前記残量が少ないバッテリーを充電することに用いられる。
【００６３】
好適には、前記空のバッテリー載置棚は、バッテリー充電回路を有し、前記バッテリー充電回路は、前記バッテリーの型番とマッチングする一定の電力パラメータを有し、或いは、調節可能な電力パラメータを有し、前記バッテリー交換制御方法は、前記電力パラメータが前記バッテリーの型番とマッチングするように、前記バッテリーの型番により、前記電力パラメータを調節することをさらに備える。
【００６４】
好適には、前記バッテリー交換待ち電気自動車に適用されるバッテリーの型番を特定することは、具体的に、前記電気自動車のナンバープレートを走査し、前記ナンバープレートにより、前記電気自動車に適用されるバッテリーの型番を特定することを備える。
【００６５】
好適には、前記バッテリー交換制御方法は、前記電気自動車が駐車プラットフォームに駐車する前に、前記バッテリー交換装置が所定の待ち位置に予め駐車するようにすることをさらに備える。
【００６６】
好適には、バッテリーを交換する所定の位置が駐車可能状態にある場合に、前記所定の待ち位置が前記バッテリーを交換する所定の位置と同じ位置である。
【００６７】
好適には、バッテリーを交換する所定の位置が駐車不可状態にある場合に、前記所定の待ち位置は、前記バッテリーを交換する所定の位置からの距離が第一距離閾値を超えない位置であり、前記バッテリー交換制御方法は、前記電気自動車が前記駐車プラットフォームに駐車していると、前記バッテリー交換装置を前記所定の待ち位置から前記バッテリーを交換する所定の位置まで移動する、ことをさらに備える。
【００６８】
好適には、前記バッテリーを交換する所定の位置が空いている位置である条件、前記バッテリー交換装置が前記バッテリーを交換する所定の位置まで移動するための通過道路が存在している条件、及び、前記バッテリー交換装置が前記バッテリーを交換する所定の位置に駐車していると、前記バッテリー交換装置が前記駐車プラットフォームへ走行する電気自動車に支障を与えないと予測する条件、という条件が同時に満たされている場合には前記バッテリーを交換する所定の位置が駐車可能状態となり、さもなければ、前記バッテリーを交換する所定の位置が駐車不可状態となる。
【００６９】
好適には、根据前記駐車プラットフォームの構成により、前記バッテリーを交換する所定の位置が前記駐車プラットフォームの下方に位置するか、それとも、上方に位置するか、を特定する。
【００７０】
本発明は、さらに、バッテリー交換制御方法を提供しており、
少なくとも一つのバッテリー載置台から、第一条件を満たすバッテリー載置台を第一バッテリー載置台として選択し、前記バッテリー載置台がバッテリーを置くための一つ以上のバッテリー載置棚を有し、前記第一条件は、電気自動車に適用されるバッテリーが置かれている旨として設置されること、前記少なくとも一つのバッテリー載置台から、第二条件を満たすバッテリー載置台を第二バッテリー載置台として選択し、前記第二条件は、空のバッテリー載置棚を有する旨として設置されること、前記少なくとも二つのバッテリー交換装置における少なくとも一つのバッテリー交換装置をバッテリー載置・交換装置として配置し、前記バッテリー載置・交換装置は、搭載待ちバッテリーを搬送することに用いられ、前記搭載待ちバッテリーは、前記第一バッテリー載置台から取り外されたものであって、前記電気自動車に適用され、しかも、前記電気自動車に搭載されるバッテリーであること、前記少なくとも二つのバッテリー交換装置における少なくとも一つのバッテリー交換装置をバッテリー取り外し・交換装置として配置し、前記バッテリー取り外し・交換装置は、残量が少ないバッテリーを搬送することに用いられ、前記残量が少ないバッテリーは、前記電気自動車から取り外されたものであって、しかも、前記空のバッテリー載置棚に置かれるバッテリーであることを備える。
【００７１】
好適には、前記バッテリー交換制御方法は、前記バッテリー載置台に置かれているバッテリーの残量を監視することをさらに備え、前記第一条件は、前記電気自動車に適用され、しかも、満充電となるバッテリーが置かれている旨として設置され、或いは、前記第一条件は、優先的に、前記電気自動車に適用され、しかも、満充電となるバッテリーが置かれている旨として設置され、前記少なくとも一つのバッテリー載置台に前記第一条件を満たすバッテリー載置台を有さない場合に、前記第一条件は、前記電気自動車に適用され、しかも、残量が最も多いバッテリーが置かれている旨に補正して設置される。
【００７２】
好適には、前記バッテリー交換制御方法は、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、及び／或いは、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことをさらに備える。
【００７３】
好適には、前記バッテリー交換制御方法は、前記少なくとも一つのバッテリー載置台に多機能のバッテリー載置台が存在しているかどうかを判断し、前記多機能のバッテリー載置台が前記第一条件及び前記第二条件を共に満たすバッテリー載置台であり、存在の場合に、前記多機能のバッテリー載置台を、同時に、前記第一バッテリー載置台及び前記第二バッテリー載置台とし、或いは、前記多機能のバッテリー載置台を、前記第一バッテリー載置台及び前記第二バッテリー載置台のうちのいずれか一つとし、或いは、残りのバッテリー載置台がいずれも前記第一条件を満たさない条件、残りのバッテリー載置台における、前記第一条件を満たすバッテリー載置台の数が前記第二条件を満たすバッテリー載置台の数よりも小さい条件、残りのバッテリー載置台における、前記第一条件を満たすバッテリー載置台の数が前記第二条件を満たすバッテリー載置台の数よりも小さく、しかも両者の差分の絶対値が第一差分閾値よりも小さい条件、及び、残りのバッテリー載置台における、前記第一条件を満たすバッテリー載置台の数が第一数閾値よりも小さい条件という条件のうちのいずれか一つを、前記多機能のバッテリー載置台を第一バッテリー載置台とすることに必要な条件とし、或いは、残りのバッテリー載置台がいずれも前記第二条件を満たさない条件、残りのバッテリー載置台における、前記第二条件を満たすバッテリー載置台の数が前記第一条件を満たすバッテリー載置台の数よりも小さい条件、残りのバッテリー載置台における、前記第二条件を満たすバッテリー載置台の数が前記第一条件を満たすバッテリー載置台の数よりも小さく、しかも、両者の差分の絶対値が第二差分閾値よりも小さい条件、残りのバッテリー載置台における、前記第二条件を満たすバッテリー載置台の数が第二数閾値よりも小さい条件という、条件のうちのいずれか一つを、前記多機能のバッテリー載置台を第二バッテリー載置台とすることに必要な条件とする、ことをさらに備える。
【００７４】
好適には、前記少なくとも二つのバッテリー交換装置が共に単一機能のバッテリー交換装置であり、或いは、共に多機能のバッテリー交換装置であり、或いは、一部が単一機能のバッテリー交換装置であるが、一部が多機能のバッテリー交換装置であり、前記単一機能のバッテリー交換装置は、第一構成を有し、しかも、バッテリー載置・交換装置としてしか配置されておらず、或いは、第二構成を具有し、しかも、バッテリー取り外し・交換装置としてしか配置されなく、前記多機能のバッテリー交換装置は、第一構成及び第二構成を兼有し、しかも、バッテリー取り外し・交換装置及びバッテリー載置・交換装置のうちのいずれか一つとして配置される。
【００７５】
好適には、前記バッテリー載置・交換装置として設置されるバッテリー交換装置は、前記第一バッテリー載置台と距離が最も近いバッテリー交換装置であり、或いは、前記バッテリー取り外し・交換装置として設置されるバッテリー交換装置は、前記電気自動車又は前記電気自動車を駐車するための駐車プラットフォームと距離が最も近いバッテリー交換装置であり、或いは、前記バッテリー載置台は、それぞれが少なくとも一つの前記バッテリー交換装置との所定の紐付け関係を有し、前記バッテリー載置・交換装置として設置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、前記バッテリー取り外し・交換装置として設置されるバッテリー交換装置は、前記第二バッテリー載置台との紐付け関係を有するバッテリー交換装置であり、或いは、前記第二バッテリー載置台との紐付け関係を有し、しかも、前記電気自動車又は電気自動車を駐車するための駐車プラットフォームと距離が最も近いバッテリー交換装置である。
【００７６】
好適には、前記電気自動車が駐車プラットフォームに駐車する前に、前記電気自動車に適用されるバッテリーの型番が予め分かる場合に、前記バッテリー交換制御方法は、さらに、前記電気自動車が前記駐車プラットフォームに駐車する前に、前記少なくとも一つのバッテリー載置台から、第一条件を満たすバッテリー載置台を第一バッテリー載置台として選択、かつ、前記バッテリー載置・交換装置が前記第一バッテリー載置台から前記搭載待ちバッテリーを取り外すように命令し、前記バッテリー載置・交換装置が前記第一バッテリー載置台から前記搭載待ちバッテリーを取り外した後に、前記バッテリー載置・交換装置が第一所定の待ち位置に予め駐車するように命令し、前記第一所定の待ち位置は、前記駐車プラットフォームからの距離が第一距離閾値を超えない位置であることをさらに備える。
【００７７】
好適には、前記駐車プラットフォームに、前記型番のバッテリーである電気自動車駐車しかを駐車できないことが限定して適用されることにより、前記電気自動車に適用されるバッテリーの型番が予め分かるようにする。
【００７８】
好適には、前記バッテリー交換制御方法は、前記電気自動車が駐車プラットフォームに駐車する前に、前記バッテリー取り外し・交換装置が第二所定の待ち位置に予め駐車するように命令することをさらに備える。
【００７９】
好適には、バッテリーを交換する所定の位置が駐車可能状態にある場合に、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である。
【００８０】
好適には、バッテリーを交換する所定の位置が駐車不可状態にある場合に、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置であり、前記バッテリー交換制御方法は、さらに、前記電気自動車が前記駐車プラットフォームに駐車していると、前記バッテリー取り外し・交換装置が前記第二所定の待ち位置から前記バッテリーを交換する所定の位置まで移動するように命令することをさらに備える。
【００８１】
好適には、前記バッテリーを交換する所定の位置が空いている位置である条件、前記バッテリー取り外し・交換装置が前記バッテリーを交換する所定の位置まで移動するための通過道路が存在している条件、前記バッテリー取り外し・交換装置が前記バッテリーを交換する所定の位置に駐車していると、前記バッテリー取り外し・交換装置が前記駐車プラットフォームへ走行する電気自動車に支障を与えないと予測する条件、という条件が同時に満たされている場合には、前記バッテリーを交換する所定の位置が駐車可能状態となり、さもなければ、前記バッテリーを交換する所定の位置が駐車不可状態となる。
【００８２】
好適には、前記駐車プラットフォームの構成により、前記バッテリーを交換する所定の位置が前記駐車プラットフォームの下方に位置するか、それとも、上方に位置するか、を特定する。
【００８３】
好適には、前記バッテリー交換制御方法は、前記電気自動車がプラットフォームに駐車していると、前記バッテリー取り外し・交換装置がバッテリーを交換する所定の位置に移動して駐車するように命令し、前記バッテリーを交換する所定の位置は、前記駐車プラットフォームに駐車している電気自動車からバッテリーを取り出すことが適用される位置であることをさらに備える。
【００８４】
好適には、前記バッテリー交換制御方法は、前記電気自動車が前記駐車プラットフォームに駐車し、しかも、前記バッテリー取り外し・交換装置が前記バッテリーを交換する所定の位置に駐車していると、前記バッテリー取り外し・交換装置が前記電気自動車から前記残量が少ないバッテリーを取り外すように命令し、前記バッテリー取り外し・交換装置は、前記電気自動車から前記残量が少ないバッテリーを取り外した後に、前記バッテリー取り外し・交換装置が第二バッテリー載置台まで移動し前記残量が少ないバッテリーを前記空のバッテリー載置棚に置くように命令する、ことをさらに備える。
【００８５】
好適には、前記バッテリー交換制御方法は、前記バッテリー取り外し・交換装置が前記バッテリーを交換する所定の位置から、或いは、前記バッテリーを交換する所定の位置から離れた距離が第三距離閾値を超えると、前記バッテリー載置・交換装置が前記バッテリーを交換する所定の位置まで移動するように命令し、前記バッテリー載置・交換装置がバッテリーを交換する所定の位置まで移動した後に、前記バッテリー載置・交換装置が前記搭載待ちバッテリーを前記電気自動車に搭載するように命令することをさらに備える。
【００８６】
本分野の常識に基づいて上記した好ましい各条件を任意に組み合わせると、本発明における好ましい各実施例を得ることができる。
【００８７】
本発明による積極的な進歩・効果は、本発明に、制御手段の制御により、車にバッテリーを交換する過程全体において、移動する軌跡が第一バッテリー載置台と電気自動車との間に位置し、搭載待ちバッテリーを搬送することを実現するバッテリー載置・交換装置、及び、移動する軌跡が電気自動車と第二バッテリー載置台との間に位置し、残量が少ないバッテリーを搬送することを実現するバッテリー取り外し・交換装置という二つのバッテリー交換装置が使われる、ということにある。
【００８８】
当該二つのバッテリー交換装置は、それぞれ、異なる役割を有し、一緒に、バッテリーを交換するタスクを完了させることから、バッテリーを交換することにかかる時間全体は、一つのバッテリー交換装置だけによりバッテリーの交換を実現することに比べると、少なくとも、半分の時間を短くすることができ、バッテリーを交換するスピード及び効率が向上する。
【００８９】
本発明さらに、バッテリー交換制御方法を提供しており、バッテリー交換待ち電気自動車に適用されるバッテリーの型番を特定すること、少なくとも一つのバッテリー載置台から、第一条件を満たすバッテリー載置台を第一バッテリー載置台として選択し、前記バッテリー載置台は、バッテリーを置くための一つ以上のバッテリー載置棚を有し、前記第一条件は、前記バッテリーの型番であるバッテリーが置かれている旨として設置され、前記少なくとも一つのバッテリー載置台から、第二条件を満たすバッテリー載置台を第二バッテリー載置台として選択し、前記第二条件は、空のバッテリー載置棚を有する旨として設置されること、前記少なくとも二つのバッテリー交換装置における少なくとも一つのバッテリー交換装置をバッテリー載置・交換装置として配置し、前記バッテリー載置・交換装置は、搭載待ちバッテリーを搬送することに用いられ、前記搭載待ちバッテリーは、前記第一バッテリー載置台から取り出されたものであって、前記バッテリーの型番であり、しかも、前記電気自動車に搭載されるバッテリーであること、及び、前記少なくとも二つのバッテリー交換装置における少なくとも一つのバッテリー交換装置をバッテリー取り外し・交換装置として配置し、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーであること、ことを備える。
【００９０】
好適には、前記バッテリー交換制御方法は、前記バッテリー載置台に置かれているバッテリーの残量を監視することをさらに備え、前記第一条件は、前記バッテリーの型番であり、しかも、満充電となるバッテリーが置かれている旨として設置され、或いは、前記第一条件は、優先的に、前記バッテリーの型番であり、しかも、満充電となるバッテリーが置かれている旨として設置され、前記少なくとも一つのバッテリー載置台に、前記第一条件を満たすバッテリー載置台を有さない場合に、前記第一条件は、前記バッテリーの型番であり、しかも、残量が最も多いバッテリーが置かれている旨に補正して設置される。
【００９１】
好適には、前記バッテリー交換制御方法は、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、及び／或いは、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことをさらに備える。
【００９２】
好適には、前記バッテリー交換制御方法は、前記少なくとも一つのバッテリー載置台に多機能のバッテリー載置台が存在しているかどうかを判断し、前記多機能のバッテリー載置台は、前記第一条件及び前記第二条件を共に、満たすバッテリー載置台であり、存在の場合に、前記多機能のバッテリー載置台を、同時に、前記第一バッテリー載置台及び前記第二バッテリー載置台とし、或いは、前記多機能のバッテリー載置台を前記第一バッテリー載置台及び前記第二バッテリー載置台のうちのいずれか一つとし、或いは、残りのバッテリー載置台が、いずれも前記第一条件を満たさない条件、残りのバッテリー載置台における、前記第一条件を満たすバッテリー載置台の数が前記第二条件を満たすバッテリー載置台の数よりも小さい条件、残りのバッテリー載置台における、前記第一条件を満たすバッテリー載置台の数が前記第二条件を満たすバッテリー載置台の数よりも小さく、しかも両者の差分の絶対値が第一差分閾値よりも小さい条件、及び、残りのバッテリー載置台における、前記第一条件を満たすバッテリー載置台の数が第一数閾値よりも小さいという条件のうちのいずれか一つを、前記多機能のバッテリー載置台を第一バッテリー載置台とすることに必要な条件とし、或いは、残りのバッテリー載置台が、いずれも前記第二条件を満たさない条件、残りのバッテリー載置台における、前記第二条件を満たすバッテリー載置台の数が前記第一条件を満たすバッテリー載置台の数よりも小さい条件、残りのバッテリー載置台における、前記第二条件を満たすバッテリー載置台の数が前記第一条件を満たすバッテリー載置台の数よりも小さく、しかも両者の差分の絶対値が第二差分閾値よりも小さい条件、及び、残りのバッテリー載置台における、前記第二条件を満たすバッテリー載置台の数が第二数閾値よりも小さい条件、という条件のうちのいずれか一つを、前記多機能のバッテリー載置台を第二バッテリー載置台とすることに必要な条件とする、ことをさらに備える。
【００９３】
好適には、前記少なくとも二つのバッテリー交換装置は、共に単一機能のバッテリー交換装置であり、或いは、共に多機能のバッテリー交換装置であり、或いは、一部が単一機能のバッテリー交換装置であるが、一部が多機能のバッテリー交換装置であり、前記単一機能のバッテリー交換装置は、第一構成を有し、しかも、バッテリー載置・交換装置としてしか配置されておらず、或いは、第二構成を有し、しかも、バッテリー取り外し・交換装置としてしか配置されなく、前記多機能のバッテリー交換装置は、第一構成及び第二構成を兼有し、しかも、バッテリー取り外し・交換装置及びバッテリー載置・交換装置のうちのいずれか一つとして配置される。
【００９４】
好適には、前記バッテリー載置・交換装置として設置されるバッテリー交換装置は、前記第一バッテリー載置台と距離が最も近いバッテリー交換装置であり、或いは、前記バッテリー取り外し・交換装置として設置されるバッテリー交換装置は、前記電気自動車又は前記電気自動車を駐車するための駐車プラットフォームと距離が最も近いバッテリー交換装置であり、或いは、前記バッテリー載置台は、それぞれが少なくとも一つの前記バッテリー交換装置との所定の紐付け関係を有し、前記バッテリー載置・交換装置として設置されるバッテリー交換装置は、前記第一バッテリー載置台との紐付け関係を有するバッテリー交換装置であり、或いは、前記第一バッテリー載置台との紐付け関係を有し、しかも、前記第一バッテリー載置台と距離が最も近いバッテリー交換装置であり、前記バッテリー取り外し・交換装置として設置されるバッテリー交換装置は、前記第二バッテリー載置台との紐付け関係を有するバッテリー交換装置であり、或いは、前記第二バッテリー載置台との紐付け関係を有し、しかも、前記電気自動車又は前記電気自動車を駐車するための駐車プラットフォームと距離が最も近いバッテリー交換装置である。
【００９５】
好適には、前記バッテリー交換制御方法は、前記第一バッテリー載置台を選択した後に、前記バッテリー載置・交換装置が前記第一バッテリー載置台から前記搭載待ちバッテリーを取り外すように命令し、前記バッテリー載置・交換装置が前記第一バッテリー載置台から前記搭載待ちバッテリーを取り外した後に、前記バッテリー載置・交換装置が第一所定の待ち位置に予め駐車するように命令し、前記第一所定の待ち位置は、前記駐車プラットフォームからの距離が第一距離閾値を超えない位置である、ことをさらに備える。
【００９６】
好適には、前記バッテリー交換待ち電気自動車に適用されるバッテリーの型番を特定することは、具体的に、前記電気自動車のナンバープレートを走査し、前記ナンバープレートにより、前記電気自動車に適用されるバッテリーの型番を特定することを備える。
【００９７】
好適には、前記バッテリー交換制御方法は、前記電気自動車が駐車プラットフォームに駐車する前に、前記バッテリー取り外し・交換装置が第二所定の待ち位置に予め駐車するように命令する、ことをさらに備える。
【００９８】
好適には、バッテリーを交換する所定の位置が駐車可能状態にある場合に、前記第二所定の待ち位置が前記バッテリーを交換する所定の位置と同じ位置であり、前記バッテリーを交換する所定の位置は、前記駐車プラットフォームに駐車している電気自動車からバッテリーを取り出すことが適用される位置である。
【００９９】
好適には、バッテリーを交換する所定の位置が駐車不可状態にある場合に、前記第二所定の待ち位置は、前記バッテリーを交換する所定の位置からの距離が第二距離閾値を超えない位置であり、前記バッテリーを交換する所定の位置は、前記駐車プラットフォームに駐車している電気自動車からバッテリーを取り出すことが適用される位置であり、前記バッテリー交換制御方法は、前記電気自動車が前記駐車プラットフォームに駐車していると、前記バッテリー取り外し・交換装置が前記第二所定の待ち位置から前記バッテリーを交換する所定の位置まで移動するように命令することをさらに備える。
【０１００】
好適には、記バッテリーを交換する所定の位置が空いている位置である条件、前記バッテリー取り外し・交換装置が前記バッテリーを交換する所定の位置まで移動するための通過道路が存在している条件、及び、前記バッテリー取り外し・交換装置が前記バッテリーを交換する所定の位置に駐車していると、前記バッテリー取り外し・交換装置が前記駐車プラットフォームへ走行する電気自動車に支障を与えないと予測する条件という、条件が同時に満たされている場合には、前記バッテリーを交換する所定の位置が駐車可能状態となり、さもなければ、前記バッテリーを交換する所定の位置が駐車不可状態となる。
【０１０１】
好適には、前記駐車プラットフォームの構成により、前記バッテリーを交換する所定の位置が前記駐車プラットフォームの下方に位置するか、それとも、上方に位置するか、を特定する。
【０１０２】
好適には、前記バッテリー交換制御方法は、前記電気自動車が駐車プラットフォームに駐車していると、前記バッテリー取り外し・交換装置がバッテリーを交換する所定の位置まで移動して駐車するように命令し、前記バッテリーを交換する所定の位置は、前記駐車プラットフォームに駐車している電気自動車からバッテリーを取り出すことが適用される位置であることをさらに備える。
【０１０３】
好適には、前記バッテリー交換制御方法は、前記電気自動車が前記駐車プラットフォームに駐車し、しかも、前記バッテリー取り外し・交換装置が前記バッテリーを交換する所定の位置に駐車していると、前記バッテリー取り外し・交換装置が前記電気自動車から前記残量が少ないバッテリーを取り外すように命令し、前記バッテリー取り外し・交換装置が前記電気自動車から前記残量が少ないバッテリーを取り外した後に、前記バッテリー取り外し・交換装置が前記第二バッテリー載置台まで移動し前記残量が少ないバッテリーを前記空のバッテリー載置棚に置くように命令することをさらに備える。
【０１０４】
好適には、前記バッテリー交換制御方法は、前記バッテリー取り外し・交換装置が前記バッテリーを交換する所定の位置から、或いは、前記バッテリーを交換する所定の位置から離れた距離が第三距離閾値を超えると、前記バッテリー載置・交換装置が前記バッテリーを交換する所定の位置まで移動するように命令し、前記バッテリー載置・交換装置が前記バッテリーを交換する所定の位置まで移動した後に、前記バッテリー載置・交換装置が前記搭載待ちバッテリーを前記電気自動車に搭載するように命令することをさらに備える。
【発明の効果】
【０１０５】
本分野の常識に基づいて上記した好ましい各条件を任意に組み合わせると、本発明における好ましい各実施例を得ることができる。
【０１０６】
本発明による積極的な進歩・効果は、本発明に、制御手段により、電気自動車に適用されるバッテリーの型番を確認することにより、第一バッテリー載置台を選択して搭載待ちバッテリーを抽出することが簡便となる。また、さらに、前記制御手段の制御により、車にバッテリーを交換する過程全体において、移動する軌跡が第一バッテリー載置台と電気自動車との間に位置し、搭載待ちバッテリーを搬送することが実現されるバッテリー載置・交換装置、及び、移動する軌跡が電気自動車と第二バッテリー載置台との間に位置し、残量が少ないバッテリーを搬送することが実現されるバッテリー取り外し・交換装置という二つのバッテリー交換装置が使われる。当該二つのバッテリー交換装置は、それぞれ、異なる役割を有し、一緒に、バッテリーを交換するタスクを完了させることから、バッテリーを交換することにかかる時間全体は、一つのバッテリー交換装置だけによりバッテリーの交換を実現することに比べると、少なくとも、半分の時間を短くすることができ、バッテリーを交換するスピード及び効率が向上する。
【０１０７】
本発明による積極的な進歩・効果は、本発明に、バッテリーを交換する工程におけるバッテリー交換装置の移動回数が少なくなり、バッテリーを交換することにかかる時間が短くなり、バッテリーを交換する効率が向上する。
【図面の簡単な説明】
【０１０８】
【図１】本発明の実施例１に係るバッテリー交換制御システムの模式的なブロック図である。
【図２】本発明の実施例１に係る第一構成の駐車プラットフォームの側面図である。
【図３】本発明の実施例１に係る第二構成の駐車プラットフォームの側面図である。
【図４】本発明の実施例２及び実施例８に係るバッテリー交換制御システムの模式的なブロック図である。
【図５】本発明の実施例１０及び実施例１２に係るバッテリー交換制御システム配置バッテリー載置・交換装置及びバッテリー取り外し・交換装置の平面図である。
【図６】本発明の実施例１１及び実施例１３に係る第一構成の駐車プラットフォームの側面図である。
【図７】本発明の実施例１１及び実施例１３に係る第二構成の駐車プラットフォームの側面図である。
【図８】本発明の実施例２０に係るバッテリー交換制御方法のフローチャートである。
【図９】本発明の実施例２４に係るバッテリー交換制御方法のフローチャートである。
【図１０】本発明の実施例２５に係るバッテリー交換制御方法のフローチャートである。
【図１１】本発明の実施例３０に係るバッテリー交換制御方法のフローチャートである。
【図１２】本発明の実施例３１に係るバッテリー交換制御方法のフローチャートである。
【図１３】本発明の実施例３２に係るバッテリー交換制御方法のフローチャートである。
【図１４】本発明の実施例３７に係るバッテリー交換制御方法のフローチャートである。
【図１５】本発明の実施例３８に係るバッテリー交換制御方法のフローチャートである。
【発明を実施するための形態】
【０１０９】
以下に実施例の形態に基づいて本発明をさらに詳しく説明していくが、本発明が上記した実施例による範囲に限定されるわけではない。
【０１１０】
実施例１
図１は、本実施例に係るバッテリー交換制御システムを示す。前記バッテリー交換制御システム１０は、制御手段１１及びバッテリー交換装置１２を備える。そのうち、前記制御手段１１は、前記バッテリー交換装置１２に通信接続される。前記通信接続は、好ましくは、無線通信接続であり、具体的に、２Ｇ、３Ｇ、４Ｇ、又は、ブルートゥース（登録商標）などの通信手段により実現されえるものであり、勿論、ある特殊的な場合に（例えば、制御手段１１が前記バッテリー交換装置１２と近接すると、前記バッテリー交換装置１２による作業範囲が極めて小さい場合に）、前記通信接続が有線通信接続であることが排除されるわけではない。
【０１１１】
前記制御手段１１は、電気自動車に適用されるバッテリーの型番を特定することに用いられる。具体的には、前記制御手段１１は、前記電気自動車のナンバープレートを走査し、前記ナンバープレートにより、前記電気自動車に適用されるバッテリーの型番を特定することができる。
【０１１２】
前記制御手段１１は、さらに、少なくとも一つのバッテリー載置台１３から、第一条件を満たすバッテリー載置台を第一バッテリー載置台１３Ａとして選択し、前記少なくとも一つのバッテリー載置台１３から、第二条件を満たすバッテリー載置台を、第二バッテリー載置台１３Ｂとして選択することに用いられ、前記バッテリー載置台は、バッテリーを置くための一つ以上のバッテリー載置棚を有し、前記第一条件は、前記バッテリーの型番であるバッテリーが置かれている旨として設置され、前記第二条件は、空のバッテリー載置棚を有する旨として設置される。
【０１１３】
前記バッテリー交換装置１２は、バッテリーを交換する所定の位置まで移動し、前記電気自動車から残量が少ないバッテリーを取り外し、前記残量が少ないバッテリーを前記第二載置台１３Ｂまで搬送し前記空のバッテリー載置棚に置いてから、前記第一バッテリー載置台１３Ａまで移動し、前記第一バッテリー載置台１３Ａから前記バッテリーの型番であるバッテリーを取り外し、前記バッテリーの型番であるバッテリーを、前記バッテリーを交換する所定の位置まで搬送し前記電気自動車に搭載することに用いられ、前記バッテリーを交換する所定の位置は、前記電気自動車からバッテリーを着脱することが適用される位置である。
【０１１４】
本実施例では、前記制御手段１１は、電気自動車に適用されるバッテリーの型番を確認することにより、第一バッテリー載置台が選択され易く、車にバッテリーを交換する工程全体において、前記バッテリー交換装置１２の移動が円滑となり、バッテリーを交換するスピード及び効率が向上する。
【０１１５】
本実施例では、前記バッテリーを交換する所定の位置とは、前記バッテリー交換装置１２が前記バッテリーを交換する所定の位置に位置する際に、一番少ない動作により、電気自動車からバッテリーを取り外し、又は、電気自動車にバッテリーを搭載することができる位置であると理解すればよい。前記バッテリーを交換する所定の位置については、具体的に、前記電気自動車を駐車する駐車プラットフォームの構成により、前記バッテリーを交換する所定の位置が前記駐車プラットフォームの下方に位置するか、それとも、上方に位置するかを特定すればよい。
【０１１６】
第一構成とされる駐車プラットフォームを例に挙げると、図２に示されるように、駐車プラットフォーム１５は、地面よりも高く、しかも、中にくり抜き領域を有し、電気自動車１４にバッテリーを交換すると、前記駐車プラットフォーム１５に駐車し、しかも、電気自動車１４のバッテリーケースを前記くり抜き領域の上方に位置することが必要となる。このような構成とされる駐車プラットフォーム１５については、一般的に、前記バッテリーを交換する所定の位置Ｐ１が前記駐車プラットフォームの下方に位置し、特に、くり抜き領域の下方に位于し、前記電気自動車１４のバッテリーの外部ケースと位置合わせる。前記駐車プラットフォーム１５に駐車してバッテリーを交換される電気自動車１４については、前記バッテリー交換装置１２が前記バッテリーを交換する所定の位置Ｐ１に、前記残量が少ないバッテリーを前記電気自動車からアンロックするためのアンロック機構を垂直に立ち上がり、前記くり抜き領域を通り抜け、前記アンロック機構を前記電気自動車１４のバッテリーの外部ケースとバッテリーとの間の隙間に挿入し、バッテリーケースをロックするためのタッチ部をタッチする、ということだけにより、前記残量が少ないバッテリーをアンロックすることができ、ひいては、前記残量が少ないバッテリーを取り外すことができる。同様に、前記バッテリー交換装置１２は、前記バッテリーを交換する所定の位置Ｐ１に、前記電気自動車に搭載されるバッテリーを垂直に持ち上がることにより、搭載を済ませることができる。
【０１１７】
また、第二構成とされる駐車プラットフォームを例に挙げると、図３に示されるように、駐車プラットフォーム１５は、中に昇降プラットフォーム１５１を有し、前記昇降プラットフォーム１５１は、中にくり抜き領域を有する。電気自動車１４は、バッテリーを交換されると、駐車プラットフォーム１５へ走行して、前記昇降プラットフォーム１５１に駐車し、しかも、電気自動車１４のバッテリーケースを前記くり抜き領域の上方に位置させることが必要となる。このような構成とされる駐車プラットフォーム１５については、前記バッテリーを交換する所定の位置Ｐ２が、一般的に、前記駐車プラットフォーム１５の上方に位置し、特に、前記昇降プラットフォーム１５１が立ち上がったと前記くり抜き領域の下方に位置する。前記昇降プラットフォーム１５１に駐車してバッテリーを交換される電気自動車１４については、前記バッテリー交換装置１２が前記バッテリーを交換する所定の位置Ｐ２に、前記残量が少ないバッテリーを前記電気自動車１４からアンロックするためのアンロック機構を垂直に立ち上がり、前記くり抜き領域を通り抜け、前記アンロック構成を前記電気自動車１４のバッテリーの外部ケースとバッテリーとの間の隙間に挿入し、バッテリーケースをロックするためのタッチ部をタッチするということだけにより、前記残量が少ないバッテリーをアンロックすることができ、ひいては、前記残量が少ないバッテリーを取り外すことができる。同様に、前記バッテリー交換装置１２は、前記バッテリーを交換する所定の位置Ｐ２に、前記電気自動車に搭載されるバッテリーを垂直に持ち上がることにより、搭載を済ませることができる。
【０１１８】
勿論、前記駐車プラットフォームは、上記した構成に限定されておらず、さらに、他の構成であってもよい。前記バッテリーを交換する所定の位置は、前記駐車プラットフォームの構成により、さらに、前記バッテリー交換装置１２が、残量が少ないバッテリーを取り出し、又は、バッテリーを搭載することに必要な構成の移動経路等の条件により設定され得る。
【０１１９】
実施例２
本実施例のバッテリー交換制御システムは、実施例１に基づいてさらに変形してなされたものであって、第一条件への設置という点が主なものである。第一条件は、前記第一バッテリー載置台１３Ａを選択する根拠として、前記バッテリーの型番であるバッテリーが置かれるという必要な点以外に、さらに、好ましい対応条件を設置してもよい。本実施例では、対応条件が主にバッテリーの残量に関連する。前記制御手段１１は、さらに、前記バッテリー載置台に置かれているバッテリーの残量を監視することに用いられる。
【０１２０】
具体的に、前記第一条件は、前記バッテリーの型番であり、しかも、満充電となるバッテリーが置かれている旨として設置されてもよい。それに伴い、前記制御手段１１は、前記少なくとも一つのバッテリー載置台に前記第一条件を満たすバッテリー載置台が存在しているかどうかを判断することに用いられ、存在している場合には、その中から一つのものを前記第一バッテリー載置台１３Ａとして選択する。前記制御手段１１は、前記第一条件を満たすバッテリー載置台が存在していない場合に、警報信号を送信して、前記電気自動車にバッテリーを交換できないように提示してもよい。
【０１２１】
或いは、電気自動車にバッテリーを交換できる確率を高めるように、前記第一条件は、優先的に、前記バッテリーの型番であり、しかも、満充電となるバッテリーが置かれている旨として設置されてもよい。前記少なくとも一つのバッテリー載置台に前記第一条件を満たすバッテリー載置台を有さない場合に、前記第一条件は、前記バッテリーの型番であり、しかも、残量が最も多いバッテリーが置かれている旨に補正して設置される。それに伴い、前記第一条件は、デフォルトに、前記バッテリーの型番であり、しかも、満充電となるバッテリーが置かれている旨として設置され、前記制御手段１１は、前記少なくとも一つのバッテリー載置台に、デフォルトとされる第一条件を満たすバッテリー載置台が存在しているかどうかを判断することに用いられ、存在の場合に、その中から一つのものを第一バッテリー載置台１３Ａとして選択し、さもなければ、前記第一条件を、前記バッテリーの型番であり、しかも残量が最も多いバッテリーが置かれている旨に補正して設置し、前記少なくとも一つのバッテリー載置台に、現在の第一条件を満たすバッテリー載置台が存在しているかどうかを再度判断し、存在の場合に、その中から、一つのものを第一バッテリー載置台１３Ａとして選択する。依然として、前記第一条件を満たすバッテリー載置台が存在していない場合に、前記制御手段１１は、警報信号を送信して、前記電気自動車にバッテリーを交換できないように提示してもよい。
【０１２２】
また、本実施例では、前記空のバッテリー載置棚は、さらに、前記残量が少ないバッテリーを充電することに用いられる。具体的に、前記空のバッテリー載置棚は、バッテリー充電回路を有し、前記バッテリー充電回路は、前記バッテリーの型番とマッチングする一定の電力パラメータを有してもよく、或いは、前記バッテリー充電回路は、調節可能な電力パラメータを有してもよい。前記制御手段は、さらに、前記バッテリーの型番とマッチングするように、前記バッテリーの型番により、前記電力パラメータを調節することに用いられる。前記電力パラメータには、電流や電圧等が含まれている。
【０１２３】
勿論、他の実施例では、第一条件は、さらに、必要に応じて他の条件として設置されてもよい。
【０１２４】
実施例３
本実施例に係るバッテリー交換制御システムは、実施例１又は実施例２に基づいてさらに変形してなされたものであって、制御手段１１により第一バッテリー載置台１３Ａ及び第二バッテリー載置台１３Ｂを選択することが主なものである。バッテリー載置台の数が二つであり、ひいては、それ以上である場合に、二つ又は二つの以上バッテリー載置台が前記第一条件又は第二条件を同時に満たす可能性が高い。前記制御手段１１は、必要に応じて、さらに、前記第一バッテリー載置台１３Ａ及び前記第二バッテリー載置台１３Ｂへの選択要求を設定してもよい。
【０１２５】
本実施例では、二つ又は二つの以上バッテリー載置台が前記第一条件を同時に満たすということに応じるために、前記制御手段１１は、前記第一条件を満たすバッテリー載置台が一つを超えるかどうかを判断することに用いられる。
【０１２６】
超えの場合は、前記第一条件を満たすバッテリー載置台から、一つのバッテリー載置台を前記第一バッテリー載置台１３Ａとしてランダムに選択し、或いは、前記バッテリー交換装置１２による移動距離及び移動時間を短くし、バッテリーを交換する効率を高めるように、前記第一条件を満たすバッテリー載置台から、前記電気自動車と距離が最も近い一つのバッテリー載置台、或いは、前記電気自動車を駐車するための駐車プラットフォームのホルダーと距離が最も近い一つのバッテリー載置台を、前記第一バッテリー載置台１３Ａとして選択し、或いは、前記第二バッテリー載置台と前記バッテリー車との間の経路における一つのバッテリー載置台を、前記第一バッテリー載置台として選択し、或いは、前記経路に位置し、しかも、前記電気自動車又は前記駐車プラットフォームと距離が最も近い一つのバッテリー載置台を前記第一バッテリー載置台として選択する。
【０１２７】
勿論、前記第一条件を満たすバッテリー載置台が一つしかを有さない場合には、通常に、それを第一バッテリー載置台１３Ａとする以外のことがない。
【０１２８】
同様に、二つ又は二つ以上バッテリー載置台が同時に前記第二条件を満たすことに応じるために、前記制御手段１１は、前記第二条件を満たすバッテリー載置台が一つを超えるかどうかを判断することに用いられてもよい。超えの場合には、前記第二条件を満たすバッテリー載置台から、一つのバッテリー載置台を前記第二バッテリー載置台１３Ｂとしてランダムに選択し、或いは、前記バッテリー交換装置１２による移動距離及び移動時間を短くし、バッテリーを交換する効率を高めるように、前記第二条件を満たすバッテリー載置台から、前記電気自動車と距離が最も近い一つのバッテリー載置台を選択し、或いは、前記電気自動車を駐車するための駐車プラットフォームホルダーと距離が最も近い一つのバッテリー載置台を前記第二バッテリー載置台１３Ｂとして選択する。
【０１２９】
勿論、前記第二条件を満たすバッテリー載置台が一つしかを有さない場合には、通常に、それを第二バッテリー載置台１３Ｂとする以外のことがない。
【０１３０】
さらに、各バッテリー載置台を便宜に位置決めるように、第一バッテリー載置台１３Ａ／第二バッテリー載置台１３Ｂを選択することにより、バッテリー交換装置１２による移動距離を短くさせてもよい。前記バッテリー載置台は、前記電気自動車が前記駐車プラットフォームへ走行する方向に、前記駐車プラットフォームの両側に分布される。そのうち、前記駐車プラットフォームは、車にバッテリーを交換するために専用のプラットフォーム、又は、車を駐車でき、しかも、バッテリーを便宜に交換するための他の一般的なプラットフォームとされてもよい。
【０１３１】
本実施例では、第一バッテリー載置台１３Ａ及び第二バッテリー載置台１３Ｂへの選択が相対的に独立していることであり、言い換えると、異なる場合によって、それぞれ、前記第一バッテリー載置台１３Ａ及び前記第二バッテリー載置台１３Ｂへの選択要求を設定してもよい。
【０１３２】
実施例４
本実施例に係るバッテリー交換制御システムは、実施例１又は２に基づいてさらに変形してなされたものであって、制御手段１１により第一バッテリー載置台１３Ａ及び第二バッテリー載置台１３Ｂを選択することが主なものである。実施例３との相違点は、本実施例に、前記第一バッテリー載置台１３Ａ及び前記第二バッテリー載置台１３Ｂを選択する際に、ある程度で、両者間の関連性を考えるということである。
【０１３３】
具体的に、前記制御手段１１は、前記少なくとも一つのバッテリー載置台に、多機能のバッテリー載置台が存在しているかどうかを判断することに用いられてもよく、そのうち、前記多機能のバッテリー載置台は、前記第一条件及び前記第二条件を共に満たすバッテリー載置台である。
【０１３４】
前記多機能のバッテリー載置台が存在しない場合には、実施例３に係る手段により、それぞれ、第一条件を満たすバッテリー載置台から、第一バッテリー載置台１３Ａを選択し、また、第二条件を満たすバッテリー載置台から、第二バッテリー載置台１３Ｂを選択すればよい。
【０１３５】
前記多機能のバッテリー載置台が存在している場合には、前記制御手段１１は、さらに、前記多機能のバッテリー載置台を、同時に、前記第一バッテリー載置台及び前記第二バッテリー載置台としてもよい。そして、前記バッテリー交換装置１２による移動距離が短くなる。
【０１３６】
実施例５
本実施例に係るバッテリー交換制御システムは、実施例１に基づいてさらに変形してなされたものであって、前記制御手段１１により前記バッテリー交換装置１２を制御する過程が主な点である。バッテリーを交換する過程全体は、電気自動車が駐車プラットフォームに駐車する前にバッテリーを交換する用意の過程と、及び、電気自動車が駐車プラットフォームに駐車しているとバッテリーを交換する操作過程とに分かられる。
【０１３７】
前記バッテリー交換装置１２は、前記制御手段１１により制御される。
【０１３８】
バッテリーを交換する用意の過程では、前記制御手段１１が前記バッテリー交換装置１２に、駐車命令を送信して、前記バッテリー交換装置１２により実行する。そのうち、駐車命令は、前記バッテリー交換装置１２が所定の待ち位置まで予め駐車するように命令するためのものである。前記所定の待ち位置は、前記バッテリーを交換する所定の位置に関連し、前記バッテリーを交換する所定の位置と同じ位置であってもよく、前記バッテリーを交換する所定の位置と近い位置であってもよい。
【０１３９】
具体的に、前記制御手段１１は、前記所定の待ち位置を設定するように、前記バッテリーを交換する所定の位置が駐車可能状態にあるかどうかを判断する。
前記バッテリーを交換する所定の位置が空いている位置である条件（１）、
前記バッテリー交換装置１２が前記バッテリーを交換する所定の位置まで移動するための通過道路が存在している条件（２）、及び、
前記バッテリー交換装置１２が前記バッテリーを交換する所定の位置に駐車していると前記バッテリー交換装置１２が前記駐車プラットフォームへ走行する電気自動車に支障を与えないと予測する条件（３）、
という三つの条件が同時に満たされている場合には、前記バッテリーを交換する所定の位置が駐車可能状態となり、さもなければ、前記バッテリーを交換する所定の位置が駐車不可状態となる。
【０１４０】
条件（３）が満たされているかどうかということは、通常に、駐車プラットフォームの構成による。
【０１４１】
実施例１における第一構成とされる駐車プラットフォームを例に挙げると、電気自動車は、バッテリーを交換される時に、前記駐車プラットフォームに駐車しており、前記バッテリーを交換する所定の位置が、通常に、前記駐車プラットフォームの下方に位置することから、通常の場合に、たとえ前記バッテリー交換装置１２が、電気自動車が前記駐車プラットフォームへ走行する前に、前記バッテリーを交換する所定の位置に駐車しても、前記バッテリー交換装置１２が前記駐車プラットフォームへ走行する電気自動車に支障を与えず、条件（３）が満たされている。
【０１４２】
また、実施例１における第二構成とされる駐車プラットフォームを例に挙げると、電気自動車は、バッテリーを交換される際に前記昇降プラットフォームに駐車しており、前記バッテリーを交換する所定の位置が、通常に、前記駐車プラットフォームの上方に位于することから、前記バッテリー交換装置１２が、電気自動車が前記駐車プラットフォームに走行する前に、前記バッテリーを交換する所定の位置に駐車している場合には、電気自動車が前記駐車プラットフォームへ走行すると、前記バッテリー交換装置１２が、走行する電気自動車に支障を与える恐れが高い。故に、第二構成とされる駐車プラットフォームについては、バッテリーを交換する所定の位置は、通常に、条件（３）が満たされておらず、駐車不可状態となる。
【０１４３】
前記バッテリーを交換する所定の位置が駐車可能状態にある場合には、前記所定の待ち位置が前記バッテリーを交換する所定の位置と同じ位置である。前記バッテリーを交換する所定の位置が駐車不可状態にある場合には、前記所定の待ち位置が前記バッテリーを交換する所定の位置からの距離が第二距離閾値を超えない位置であり、つまり、前記バッテリーを交換する所定の位置と近い位置である。
【０１４４】
ここまで、バッテリーを交換する用意の過程が済む。前記バッテリー交換制御システムは、前記電気自動車が前記駐車プラットフォームに走行して駐車するように待ち、バッテリーを交換する操作過程へ移行する。
【０１４５】
前記制御手段１１は、バッテリーを交換する操作過程において、前記所定の待ち位置が前記バッテリーを交換する所定の位置と同じ位置であるかどうかを判断する。同じ位置である場合には、前記バッテリー交換装置１２にバッテリー取り外し命令を送信し、前記バッテリー取り外し命令は、前記バッテリー交換装置１２が前記電気自動車から前記残量が少ないバッテリーを取り外すように命令するためのものであり、前記バッテリー交換装置１２は、前記バッテリー取り外し命令を実行する。さもなければ、前記バッテリー交換装置１２に微細調節命令を送信し、前記微細調節命令は、前記バッテリー交換装置１２が前記所定の待ち位置から前記バッテリーを交換する所定の位置まで移動するように命令するためのものであり、前記バッテリー交換装置１２は、前記微細調節命令を実行する。そして、前記制御手段１１は、前記バッテリー交換装置１２が前記微細調節命令を実行した後に、前記バッテリー交換装置１２に前記バッテリー取り外し命令を送信し、前記バッテリー交換装置１２は、前記バッテリー取り外し命令を実行する。
【０１４６】
次に、前記制御手段１１は、前記バッテリー交換装置１２に第一移動命令を送信し、前記第一移動命令は、前記バッテリー交換装置が前記第二バッテリー載置台まで移動するように命令するためのものであり、前記バッテリー交換装置１２は、前記第一移動命令を実行する。
【０１４７】
次に、前記制御手段１１は、前記バッテリー交換装置１２に、バッテリー置き命令を送信し、前記バッテリー置き命令は、前記バッテリー交換装置が前記残量が少ないバッテリーを前記空のバッテリー載置棚に置くように命令するためのものであり、前記バッテリー交換装置１２は、前記バッテリー置き命令を実行する。
【０１４８】
次に、前記制御手段１１は、前記バッテリー交換装置１２に、第二移動命令を送信し、前記第二移動命令は、前記バッテリー交換装置が前記第一バッテリー載置台まで移動するように命令するためのものであり、前記バッテリー交換装置１２は、前記第二移動命令を実行する。
【０１４９】
次に、前記制御手段１１は、前記バッテリー交換装置１２にバッテリー取り出し命令を送信し、前記バッテリー取り出し命令は、前記バッテリー交換装置が前記第一バッテリー載置台から前記バッテリーの型番であるバッテリーを取り外すように命令するためのものであり、前記バッテリー交換装置１２は、前記バッテリー取り出し命令を実行する。
【０１５０】
次に、前記制御手段１１は、前記バッテリー交換装置１２に第三移動命令を送信し、前記バッテリー取り出し命令は、前記バッテリー交換装置が前記バッテリーを交換する所定の位置まで移動するように命令するためのものであり、前記バッテリー交換装置１２は、前記バッテリー取り出し命令を実行する。
【０１５１】
次に、前記制御手段１１は、前記バッテリー交換装置１２にバッテリー搭載命令を送信し、前記バッテリー搭載命令は、前記バッテリー交換装置が前記バッテリーの型番であるバッテリーを前記電気自動車に搭載するように命令するためのものであり、前記バッテリー交換装置１２は、前記バッテリー搭載命令を実行する。
【０１５２】
ここまで、前記電気自動車にバッテリーを交換することが済む、前記制御手段１１は、前記バッテリー交換装置１２が前記バッテリーを交換する所定の位置から離れて走行するように命令する。
【０１５３】
本実施例に係るバッテリー交換制御システムは、バッテリーを交換する用意の過程において、一部の制御が行われることから、電気自動車が駐車プラットフォームに走行してからバッテリーを交換される時間を大幅に短くすることができ、バッテリーを交換する効率が高まる。
【０１５４】
実施例６
図４は、本実施例に係るバッテリー交換制御システムを示す。当該システムは、実施例１に係るものと基本的に同じであるが、その相違点が、少なくとも二つのバッテリー交換装置１２が含まれているということにある。
【０１５５】
前記制御手段１１は、さらに、前記少なくとも二つのバッテリー交換装置１２における少なくとも一つのバッテリー交換装置をバッテリー載置・交換装置１２Ａとして配置することに用いられる。前記バッテリー載置・交換装置１２Ａは、搭載待ちバッテリーを搬送することに用いられ、前記搭載待ちバッテリーは、前記第一バッテリー載置台１３Ａから取り外されたものであって、前記バッテリーの型番であり、しかも、前記電気自動車に搭載されるバッテリーである。
【０１５６】
前記制御手段１１は、さらに、前記少なくとも二つのバッテリー交換装置１２における少なくとも一つのバッテリー交換装置をバッテリー取り外し・交換装置１２Ｂとして配置することに用いられる。前記バッテリー取り外し・交換装置１２Ｂは、残量が少ないバッテリーを搬送することに用いられ、前記残量が少ないバッテリーは、前記電気自動車から取り外されたものであって、しかも、前記空のバッテリー載置棚に置かれるバッテリーである。
【０１５７】
本実施例では、前記制御手段１１は、電気自動車に適用されるバッテリーの型番を確認し、第一バッテリー載置台への選択及び搭載待ちバッテリーへの抽出を便宜にすることができる。車にバッテリーを交換する過程全体においては、バッテリー載置・交換装置１２Ａ及びバッテリー取り外し・交換装置１２Ｂという二つのバッテリー交換装置１２が使われており、バッテリー載置・交換装置１２Ａによる移動軌跡は、第一バッテリー載置台１３Ａと電気自動車との間にあり、搭載待ちバッテリーの搬送を実現しており、バッテリー取り外し・交換装置１２Ｂによる移動軌跡は、電気自動車と第二バッテリー載置台１３Ｂとの間にあり、残量が少ないバッテリーの搬送を実現する。当該二つのバッテリー交換装置は、それぞれ、異なる担当を有しているが一緒にバッテリーを交換する作業を行うことから、バッテリーを交換する時間全体は、一つのバッテリー交換装置だけによりバッテリーを交換することに比べると、少なくとも半分の時間が省かれることになり、バッテリーを交換するスピード及び効率が向上する。
【０１５８】
実施例７
本実施例に係るバッテリー交換制御システムは、実施例６に基づいてさらに変形してなされたものであって、本実施例における実施例６への変形が実施例２における実施例１への変形と比べると基本的同じであるが、その相違点が、制御手段１１は、さらに、バッテリーの残量をリアルタイムで監視して、第一バッテリー載置台１３Ａを選択することに役立つことが可能である、ということにある。
【０１５９】
実施例８
本実施例に係るバッテリー交換制御システムは、実施例６又は実施例７に基づいてさらに変形してなされたものであって、本実施例における実施例６又は実施例７の変形が実施例３における実施例１又は実施例２への変形と基本的に同じであるが、その相違点が、本実施例では、さらに、各バッテリー載置台を便宜に位置決め、第一バッテリー載置台１３Ａ／第二バッテリー載置台１３Ｂを選択し、バッテリー載置・交換装置１２Ａ／バッテリー取り外し・交換装置１２Ｂによる移動距離を短くするように、前記バッテリー載置台は、前記電気自動車が前記駐車プラットフォームへ走行する方向に沿って前記駐車プラットフォームの両側に分布されてもよいということにある。
【０１６０】
実施例９
本実施例に係るバッテリー交換制御システムは、実施例６又は実施例７に基づいてさらに変形してなされたものであって、制御手段１１により第一バッテリー載置台１３Ａ及び第二バッテリー載置台１３Ｂを選択することが主なことである。実施例８に比べるとその相違点は、本実施例では、前記第一バッテリー載置台１３Ａ及び前記第二バッテリー載置台１３Ｂを選択する際に、ある程度で、両者間の関連を考えるということにある。
【０１６１】
具体的に、前記制御手段１１は、前記少なくとも一つのバッテリー載置台に多機能のバッテリー載置台が存在しているかどうかを判断することに用いられ、前記多機能のバッテリー載置台は、前記第一条件及び前記第二条件を共に満たすバッテリー載置台である。
【０１６２】
前記多機能のバッテリー載置台が存在しない場合には、実施例８に係る手段に従って、第一条件を満たすバッテリー載置台から、第一バッテリー載置台１３Ａを選択し、第二条件を満たすバッテリー載置台から、第二バッテリー載置台１３Ｂを、それぞれ、選択すればよい。
【０１６３】
前記多機能のバッテリー載置台が存在する場合に、前記制御手段１１は、さらに、優先的に、前記多機能のバッテリー載置台を利用し、以下の四つの形態から、いずれか一つを選択して、身分を配置する。
【０１６４】
第一形態は、前記多機能のバッテリー載置台を、同時に、前記第一バッテリー載置台１３Ａ及び前記第二バッテリー載置台１３Ｂとする。
【０１６５】
第二形態は、前記多機能のバッテリー載置台を、前記第一バッテリー載置台１３Ａ及び前記第二バッテリー載置台１３Ｂのうちのいずれか一つとする。
【０１６６】
第三形態は、第一条件を満たすバッテリー載置台と、第二条件を満たすバッテリー載置台とについて、それらの数からのバランスを保持するように、以下のいずれか一つの条件を、前記多機能のバッテリー載置台を第一バッテリー載置台１３Ａとすることに必要な条件とする。
【０１６７】
条件（１）は、残りのバッテリー載置台がいずれも前記第一条件を満たさないというものである。
条件（２）は、残りのバッテリー載置台における、前記第一条件を満たすバッテリー載置台の数が前記第二条件を満たすバッテリー載置台の数よりも小さいというものである。
条件（３）は、残りのバッテリー載置台における、前記第一条件を満たすバッテリー載置台の数が前記第二条件を満たすバッテリー載置台の数よりも小さく、しかも、両者の差分の絶対値が第一差分閾値よりも小さいというものである。
条件（４）は、残りのバッテリー載置台における、前記第一条件を満たすバッテリー載置台の数が第一数閾値よりも小さいというものである。
【０１６８】
第三形態は、例えば、条件（１）を、前記多機能のバッテリー載置台を第一バッテリー載置台１３Ａとすることに必要な条件とし、つまり、それに伴い、前記制御手段１１は、前記少なくとも一つのバッテリー載置台における前記多機能のバッテリー載置台以外のバッテリー載置台が、いずれも、前記第一条件を満たさないかを判断することが必要となり、満たさない場合に、前記多機能のバッテリー載置台を第一バッテリー載置台１３Ａとする。
【０１６９】
なお、条件（２）を、前記多機能のバッテリー載置台を第一バッテリー載置台１３Ａとすることに必要な条件とし、つまり、それに伴い、前記制御手段１１は、前記少なくとも一つのバッテリー載置台における前記多機能のバッテリー載置台以外のバッテリー載置台において、前記第一条件を満たすバッテリー載置台の数が前記第二条件を満たすバッテリー載置台の数よりも小さいかどうかを判断することが必要となり、小さい場合に、前記多機能のバッテリー載置台を、第一バッテリー載置台１３Ａとする（例えば、第一条件を満たすバッテリー載置台が二つであり、第二条件を満たすバッテリー載置台が三つである場合に、前記多機能のバッテリー載置台を第一バッテリー載置台１３Ａとする）。
【０１７０】
なお、条件（３）を、前記多機能のバッテリー載置台を第一バッテリー載置台１３Ａとすることに必要な条件とし、つまり、それに伴い、前記制御手段１１は、前記少なくとも一つのバッテリー載置台における前記多機能のバッテリー載置台以外のバッテリー載置台において、前記第一条件を満たすバッテリー載置台の数が前記第二条件を満たすバッテリー載置台の数よりも小さく、しかも、両者の差分の絶対値が第一差分閾値よりも小さいかどうかを判断することが必要となり、小さい場合には、前記多機能のバッテリー載置台を第一バッテリー載置台１３Ａとする（例えば、第一条件を満たすバッテリー載置台が二つであり、第二条件を満たすバッテリー載置台が六つであり、しかも、第一差分閾値が三つである場合に、前記多機能のバッテリー載置台を第一バッテリー載置台１３Ａとする）。
【０１７１】
さらに、条件（４）を、前記多機能のバッテリー載置台を、第一バッテリー載置台１３Ａとすることに必要な条件とし、つまり、それに伴い、前記制御手段１１は、前記少なくとも一つのバッテリー載置台における前記多機能のバッテリー載置台以外のバッテリー載置台において、前記第一条件を満たすバッテリー載置台の数が第一数閾値よりも小さいかどうかを判断することが必要となり、小さい場合には、前記多機能のバッテリー載置台を、第一バッテリー載置台１３Ａとする（例えば、第一条件を満たすバッテリー載置台が一つであり、第一数閾値が２である場合に、前記多機能のバッテリー載置台を、第一バッテリー載置台１３Ａとする）。
【０１７２】
第四形態は、第一条件を満たすバッテリー載置台と第二条件を満たすバッテリー載置台とについて、数からのバランスを保持するように、いずれか一つ条件を、前記多機能のバッ  テリー載置台を第二バッテリー載置台１３Ｂとすることに必要な条件とする。
【０１７３】
条件（１）は、残りのバッテリー載置台がいずれも前記第二条件を満たさないというものである。
条件（２）は、残りのバッテリー載置台における、前記第二条件を満たすバッテリー載置台の数が前記第一条件を満たすバッテリー載置台の数よりも小さいというものである。
条件（３）は、残りのバッテリー載置台における、前記第二条件を満たすバッテリー載置台の数が前記第一条件を満たすバッテリー載置台の数よりも小さく、しかも、両者の差分の絶対値が第二差分閾値よりも小さいというものである。
条件（４）は、残りのバッテリー載置台における、前記第二条件を満たすバッテリー載置台の数が第二数閾値よりも小さいというものである。
【０１７４】
第四形態については、第三形態を参照すればよいため、ここで、具体的な説明を省略する。
【０１７５】
実施例１０
本実施例に係るバッテリー交換制御システムは、実施例６に基づいてさらに変形してなされたものであって、制御手段１１により、バッテリー載置・交換装置１２Ａ及びバッテリー取り外し・交換装置１２Ｂを配置することが主なことである。前記バッテリー交換装置１２は、大雑把に、単一機能とされるバッテリー交換装置、及び、多機能とされるバッテリー交換装置という二つのものに分かられる。
単一機能とされるバッテリー交換装置は、その構成が比較的単一であり、第一構成を有し、しかも、バッテリー載置・交換装置１２Ａとしてしか配置されておらず、或いは、第二構成を有し、しかも、バッテリー取り外し・交換装置１２Ｂとしてしか配置されない。
多機能とされるバッテリー交換装置は、その構成が比較的複雑であり、前記第一構成及び前記第二構成を兼有し、しかも、バッテリー取り外し・交換装置１２Ｂ及びバッテリー載置・交換装置１２Ａのうちのいずれか一つとして配置される。
【０１７６】
そのうち、前記第一構成は、前記搭載待ちバッテリーを前記第一バッテリー載置台１３Ａから取り外し、前記電気自動車に搭載することを実現することに必要な構成を含み、例えば、前記搭載待ちバッテリーを前記第一バッテリー載置台１３Ａから取り外すための把持機構や前記搭載待ちバッテリーを前記電気自動車に搭載するための持ち上がり機構等を含む。
【０１７７】
前記第二構成は、前記残量が少ないバッテリーを前記電気自動車から取り外し、前記第二バッテリー載置台１３Ｂに置くことを実現することに必要な構成を含み、例えば、前記残量が少ないバッテリーを前記電気自動車からアンロックするためのアンロック機構や前記残量が少ないバッテリーを前記第二バッテリー載置台１３Ｂに置くための置き機構等を含む。
【０１７８】
本実施例に係るバッテリー交換制御システムは、前記少なくとも二つのバッテリー交換装置１２が共に単一機能のバッテリー交換装置であってもよく（しかしながら、前記第一構成を有する単一機能のバッテリー交換装置と、前記第二構成を有する単一機能のバッテリー交換装置との両者が共に存在することが必要となる）、共に多機能のバッテリー交換装置であってもよく、一部が単一機能のバッテリー交換装置であるが一部が多機能のバッテリー交換装置であってもよい。
【０１７９】
前記バッテリー載置・交換装置１２Ａによる移動距離及び移動時間を短くして、バッテリーを交換する効率を高めるように、前記制御手段１１は、バッテリー載置・交換装置１２Ａを配置する時に、前記第一バッテリー載置台１３Ａと距離が最も近いバッテリー交換装置が好ましい。具体的に、図５に示されるように、前記制御手段１１は、第一バッテリー載置台１３Ａを選択してから、前記第一バッテリー載置台１３Ａの位置を特定し、第一構成を有する単一機能のバッテリー交換装置及び多機能のバッテリー交換装置（図において「○」で示すもの）を選別し、それぞれ、第一構成を有する単一機能のバッテリー交換装置及び多機能のバッテリー交換装置のそれぞれについて、前記第一バッテリー載置台１３Ａまでの距離を算出し、距離が最も近い一つのバッテリー交換装置配置をバッテリー載置・交換装置１２Ａとして選択し、図における箇所１２Ａの矢印は、前記バッテリー載置・交換装置１２Ａによる移動方向を示す。
【０１８０】
前記バッテリー取り外し・交換装置１２Ｂによる移動距離及び移動時間を短くして、バッテリーを交換する効率を高めるように、前記制御手段１１は、バッテリー取り外し・交換装置１２Ｂを配置する時に、前記電気自動車のバッテリー交換装置又は前記電気自動車を駐車するための駐車プラットフォームと距離が最も近いバッテリー交換装置が好ましい。具体的に、前記制御手段１１は、第二構成を有する単一機能のバッテリー交換装置及び多機能のバッテリー交換装置（図において、「□」で示すもの）を選別し、第二構成を有する単一機能のバッテリー交換装置及び多機能のバッテリー交換装置のそれぞれについて、前記電気自動車１４までの距離、又は、前記駐車プラットフォーム１５までの距離を算出し、距離が最も近い一つのバッテリー交換装置を選択してバッテリー取り外し・交換装置１２Ｂとして配置し、図における箇所１２Ｂの矢印は、前記バッテリー載置・交換装置１２Ｂによる移動方向を示す。
【０１８１】
他の実施例では、バッテリー交換装置を便宜に管理して分配するように、各前記バッテリー載置台は、少なくとも一つの前記バッテリー交換装置との所定の紐付け関係を有しており、つまり、各バッテリー載置台は、紐付け関係を有するバッテリー交換装置のみによりバッテリーを着脱できる。
【０１８２】
前記制御手段１１は、バッテリー載置・交換装置１２Ａを配置する時に、前記第一バッテリー載置台１３Ａとの紐付け関係を有するバッテリー交換装置、或いは、前記第一バッテリー載置台１３Ａとの紐付け関係を有し、しかも、前記第一バッテリー載置台１３Ａと距離が最も近いバッテリー交換装置が好ましい。具体的に、前記制御手段１１は、第一バッテリー載置台１３Ａを選択してから、前記第一バッテリー載置台１３Ａとの紐付け関係を有し、しかも、第一構成を有する単一機能のバッテリー交換装置及び多機能のバッテリー交換装置を選別し、そのうちから一つをランダムに選択して、バッテリー載置・交換装置１２Ａとして配置し、或いは、さらに、前記第一バッテリー載置台１３Ａの位置を特定し、それぞれ、選別されているバッテリー交換装置から前記第一バッテリー載置台１３Ａまでの距離を算出し、距離が最も近い一つのバッテリー交換装置を選択してバッテリー載置・交換装置１２Ａとして配置する。
【０１８３】
前記制御手段１１は、バッテリー取り外し・交換装置１２Ｂを配置する時に、前記第二バッテリー載置台１３Ｂとの紐付け関係を有するバッテリー交換装置、或いは、前記第二バッテリー載置台１３Ｂとの紐付け関係を有し、しかも、前記電気自動車と距離が最も近いバッテリー交換装置、或いは、前記電気自動車を駐車するための駐車プラットフォームホルダーと距離が最も近いバッテリー交換装置が好ましい。具体的に、前記制御手段１１は、第二バッテリー載置台１３Ｂを選択してから、前記第二バッテリー載置台１３Ｂとの紐付け関係を有し、しかも、第二構成を有する単一機能のバッテリー交換装置及び多機能のバッテリー交換装置を選別し、そのうちから一つをランダムに選択し、バッテリー取り外し・交換装置１２Ｂとして配置し、或いは、さらに、それぞれ、選別されているバッテリー交換装置から前記電気自動車までの距離、又は、前記駐車プラットフォームまでの距離を算出し、距離が最も近い一つのバッテリー交換装置を選択してバッテリー取り外し・交換装置１２Ｂとして配置する。
【０１８４】
実施例１１
本実施例に係るバッテリー交換制御システムは、実施例６に基づいてさらに変形してなされたものであって、前記バッテリー交換制御システムによりバッテリーを交換する制御過程が主なことである。本実施例では、バッテリーを交換する制御過程は、電気自動車がプラットフォームに駐車する前に、バッテリーを交換する用意の過程と、電気自動車が駐車プラットフォームに駐車している時に、バッテリーを交換する操作過程で分かられる。
【０１８５】
バッテリーを交換する用意の過程では、前記制御手段１１は、前記電気自動車が駐車プラットフォームに駐車する前に、前記第二バッテリー載置台１３Ｂを予め選択し、続いて、バッテリー取り外し・交換装置１２Ｂを配置することに用いられる。そのうち、前記第二バッテリー載置台１３Ｂを選択する過程については、実施例７−９を参照すればよく、バッテリー取り外し・交換装置１２Ｂを配置する過程については、実施例１０を参照すればよい。
【０１８６】
バ  ッテリーを交換する操作過程では、前記制御手段１１は、さらに、前記電気自動車がプラットフォームに駐車していると、前記バッテリー取り外し・交換装置１２Ｂに第三移動命令を送信することに用いられ、前記第三移動命令は、前記バッテリー取り外し・交換装置１２Ｂがバッテリーを交換する所定の位置まで移動して駐車するように命令するためのものである。前記バッテリー取り外し・交換装置１２Ｂは、さらに、前記第三移動命令を実行することに用いられる。
【０１８７】
前記制御手段１１は、さらに、前記電気自動車が前記駐車プラットフォームに駐車し、しかも、前記バッテリー取り外し・交換装置１２Ｂが前記バッテリーを交換する所定の位置に駐車していると、前記バッテリー取り外し・交換装置１２Ｂにバッテリー取り外し命令を送信することに用いられ、前記バッテリー取り外し命令は、前記バッテリー取り外し・交換装置１２Ｂが前記電気自動車から前記残量が少ないバッテリーを取り外すように命令するためのものである。前記バッテリー取り外し・交換装置１２Ｂは、さらに、前記バッテリー取り外し命令を実行することに用いられる。
【０１８８】
本実施例では、前記バッテリーを交換する所定の位置は、前記駐車プラットフォームに駐車している電気自動車からバッテリーを取り出すことが適用される位置であり、理解すると、前記バッテリー取り外し・交換装置１２Ｂが前記バッテリーを交換する所定の位置に位置する場合に、前記バッテリー取り外し・交換装置１２Ｂが最も少ない動作だけにより、前記駐車プラットフォームに駐車している電気自動車からバッテリーを取り外すことができるということである。前記バッテリーを交換する所定の位置は、具体的に、前記駐車プラットフォームの構成により、前記バッテリーを交換する所定の位置が前記駐車プラットフォームの下方に位置するか、それとも、上方に位置するかを特定することができる。
【０１８９】
第一構成とされる駐車プラットフォームを例に挙げると、前記駐車プラットフォームが実施例６に係る駐車プラットフォームと基本的に一致しているが、その相違点が、実施例６に係るバッテリー交換装置１２がバッテリー取り外し・交換装置１２Ｂに取り替えられるということにあり、図６に示すように、駐車プラットフォーム１５が地面よりも高く、しかも、中にくり抜き領域を有し、電気自動車１４は、バッテリーを交換されると前記駐車プラットフォーム１５に駐車し、しかも、電気自動車１４のバッテリーケースが前記くり抜き領域の上方に駐車することが必要となり、このような構成となる駐車プラットフォーム１５については、前記バッテリーを交換する所定の位置Ｐ１が通常に、前記駐車プラットフォームの下方に位置し、特に、くり抜き領域の下方に位置し、前記電気自動車１４のバッテリーの外部ケースと位置合わせる。前記駐車プラットフォーム１５に駐車してバッテリーを交換される電気自動車１４については、前記バッテリー取り外し・交換装置１２Ｂが前記バッテリーを交換する所定の位置Ｐ１に位置すると、前記残量が少ないバッテリーを前記電気自動車からアンロックするためのアンロック機構を垂直に持ち上がり、前記くり抜き領域を通り抜け、前記アンロック機構を前記電気自動車１４のバッテリーの外部ケースとバッテリーとの間の隙間に挿入し、バッテリーケースをロックするためのタッチ部をタッチするということだけにより、前記残量が少ないバッテリーをアンロックすることができ、ひいては、前記残量が少ないバッテリーを取り外すことができる。
【０１９０】
さらに、第二構成とされる駐車プラットフォームを例に挙げると、前記駐車プラットフォームが実施例６に係る駐車プラットフォームと基本的に一致するが、その相違点が、実施例６に係るバッテリー交換装置１２がバッテリー取り外し・交換装置１２Ｂに取り替えられるということにあり、図７に示されるように、駐車プラットフォーム１５は、中に昇降プラットフォーム１５１を有し、前記昇降プラットフォーム１５１は、その中、くり抜き領域を有し、電気自動車１４がバッテリーを交換されると駐車プラットフォーム１５に走行し前記昇降プラットフォーム１５１に駐車し、しかも、電気自動車１４のバッテリーケースが前記くり抜き領域の上方に位置することが必要となり、このような構成とされる駐車プラットフォーム１５は、前記バッテリーを交換する所定の位置Ｐ２が通常に、前記駐車プラットフォーム１５の上方に位置し、特に、前記昇降プラットフォーム１５１を立ち上がり、前記くり抜き領域の下方に位置する。前記昇降プラットフォーム１５１に駐車してバッテリーを交換される電気自動車１４については、前記バッテリー取り外し・交換装置１２Ｂが前記バッテリーを交換する所定の位置Ｐ２に位置すると、前記残量が少ないバッテリーを前記電気自動車１４からアンロックするためのアンロック機構を垂直に持ち上がり、前記くり抜き領域を通り抜け、前記アンロック構成を前記電気自動車１４のバッテリーの外部ケースとバッテリーとの間の隙間に挿入し、バッテリーケースをロックするためのタッチ部をタッチするということだけにより前記残量が少ないバッテリーをアンロックすることができ、ひいては、前記残量が少ないバッテリーを取り外すことができる。
【０１９１】
勿論、前記駐車プラットフォームは、上記した構成に限定されておらず、さらに、他の構成であってもよい。前記バッテリーを交換する所定の位置は、前記駐車プラットフォームの構成に基づいて、さらに、前記バッテリー取り外し・交換装置１２Ｂの第二構成、又は、残量が少ないバッテリーを取り出す第二構成の移動経路等の条件に基づいて、設定されてもよい。
【０１９２】
前記制御手段１１は、さらに、前記バッテリー取り外し・交換装置１２Ｂが前記バッテリー取り外し命令を実行した後に、前記バッテリー取り外し・交換装置１２Ｂに第四移動命令を送信することに用いられ、前記第四移動命令は、前記バッテリー取り外し・交換装置１２Ｂが前記第二バッテリー載置台１３Ｂまで移動し、前記残量が少ないバッテリーを前記空のバッテリー載置棚に置くように命令するためのものである。前記バッテリー取り外し・交換装置１２Ｂは、さらに、前記第四移動命令を実行することに用いられる。
【０１９３】
バッテリーを交換する操作の過程では、前記制御手段１１は、さらに、前記電気自動車が于駐車プラットフォームに駐車し、或いは、前記電気自動車のナンバープレートが見えると、前記電気自動車のナンバープレートを走査し、前記ナンバープレートにより、前記電気自動車に適用されるバッテリーの型番を特定し、ひいては、前記第一バッテリー載置台１３Ａを選択し、次に、バッテリー載置・交換装置１２Ａを配置し、前記バッテリー載置・交換装置１２Ａにバッテリー取り出し命令を送信することに用いられ、前記バッテリー取り出し命令は、前記バッテリー載置・交換装置１２Ａが前記第一バッテリー載置台１３Ａから前記搭載待ちバッテリーを取り外すように命令するためのものである。前記バッテリー載置・交換装置１２Ａは、さらに、前記バッテリー取り出し命令を実行することに用いられる。そのうち、前記第一バッテリー載置台１３Ａを選択する過程については、実施例７−９を参照すればよく、バッテリー載置・交換装置１２Ａを配置する過程については実施例１０を参照すればよい。
【０１９４】
前記制御手段１１は、さらに、前記バッテリー載置・交換装置１２Ａが前記バッテリー取り出し命令を実行した後に、前記バッテリー載置・交換装置１２Ａに第一移動命令を送信することに用いられ、前記第一移動命令は、前記バッテリー載置・交換装置１２Ａが第一所定の待ち位置に予め駐車するように命令するためのものであり、前記第一所定の待ち位置は、前記駐車プラットフォームからの距離が第一距離閾値を超えない位置である。前記バッテリー載置・交換装置は、さらに、前記第一移動命令を実行することに用いられる。
【０１９５】
前記制御手段１１は、さらに、前記バッテリー取り外し・交換装置１２Ｂが前記バッテリーを交換する所定の位置から、又は、前記バッテリーを交換する所定の位置から離れた距離が第三距離閾値を超えると、前記バッテリー載置・交換装置１２Ａに第五移動命令を送信することに用いられ、前記第五移動命令は、前記バッテリー載置・交換装置１２Ａが前記バッテリーを交換する所定の位置まで移動するように命令するためのものである。前記バッテリー載置・交換装置１２Ａは、さらに、前記第五移動命令を実行することに用いられる。
【０１９６】
前記制御手段１１は、さらに、前記バッテリー載置・交換装置１２Ａが前記第五移動命令を実行した後に、前記バッテリー載置・交換装置１２Ａにバッテリー搭載命令を送信することに用いられ、前記バッテリー搭載命令は、前記バッテリー載置・交換装置１２Ａが前記搭載待ちバッテリーを前記電気自動車に搭載するように命令するためのものである。前記バッテリー載置・交換装置１２Ａは、さらに、前記バッテリー搭載命令を実行することに用いられる。ここまで、前記電気自動車にバッテリーを交換することが済み、前記バッテリー載置・交換装置１２Ａが前記バッテリーを交換する所定の位置から離れて走行する。
【０１９７】
実施例１２
本実施例に係るバッテリー交換制御システムは、実施例６に基づいてさらに変形してなされたものであって、前記バッテリー交換制御システムにおけるバッテリーを交換する制御の過程が主なことである。本実施例では、バッテリーを交換する制御の過程は、電気自動車が駐車プラットフォームに駐車する前にバッテリーを交換する用意の過程と、電気自動車がプラットフォームに駐車しているとバッテリーを交換する操作の過程とに分かられる。バッテリーを交換する用意の過程及びバッテリーを交換する操作の過程では、前記制御手段の制御命令が実施例１１に係るものと異なる。
【０１９８】
バッテリーを交換する用意の過程では、前記制御手段１１は、バッテリーを外す時間を省くように、前記第二バッテリー載置台１３Ｂを予め選択し、バッテリー取り外し・交換装置１２Ｂを配置し、また、前記バッテリー取り外し・交換装置１２Ｂが一部の命令を完了させるように制御してもよい。そのうち、前記第二バッテリー載置台１３Ｂを選択する過程については実施例７−９を参照すればよく、バッテリー取り外し・交換装置１２Ｂを配置する過程については実施例１０を参照すればよい。
【０１９９】
そのうち、前記制御手段１１は、前記バッテリー取り外し・交換装置１２Ｂが一部の命令を完了させるように制御することは、前記制御手段１１は、前記バッテリーを交換する所定の位置が駐車可能状態にあるかどうかを判断し、そして、第二所定の待ち位置を設定し、前記バッテリー取り外し・交換装置１２Ｂに第二移動命令を送信することを備え、前記第二移動命令は、前記バッテリー取り外し・交換装置１２Ｂが前記第二所定の待ち位置に予め駐車するように命令するためのものである。前記バッテリー取り外し・交換装置１２Ｂは、さらに、前記第二移動命令を実行することに用いられる。そのうち、前記第二所定の待ち位置は、前記バッテリーを交換する所定の位置に関連しており、前記バッテリーを交換する所定の位置と同じ位置であってもよく、或いは、前記バッテリーを交換する所定の位置と近い位置であってもよい（前記バッテリーを交換する所定の位置についての説明は、実施例１１を参照すればよい）。
【０２００】
前記バッテリーを交換する所定の位置が駐車可能状態にあるかどうかを判断することは、具体的に、以下のことを備える。
【０２０１】
前記バッテリーを交換する所定の位置が空いている位置である条件（１）、前記バッテリー取り外し・交換装置１２Ｂが前記バッテリーを交換する所定の位置まで移動するための通過道路が存在している条件（２）、及び、前記バッテリー取り外し・交換装置１２Ｂが前記バッテリーを交換する所定の位置に駐車していると、前記バッテリー取り外し・交換装置１２Ｂが前記駐車プラットフォームへ走行する電気自動車に支障を与えないと予測する条件（３）、という三つの条件が同時に満たされている場合には、前記バッテリーを交換する所定の位置が駐車可能状態となり、さもなければ、前記バッテリーを交換する所定の位置が駐車不可状態となる。
【０２０２】
条件（３）を満たしているかどうかということは、通常に、駐車プラットフォームの構成による。
【０２０３】
実施例１１における第一構成とされる駐車プラットフォームを例に挙げると、電気自動車は、バッテリーを交換されると前記駐車プラットフォームに駐車し、前記バッテリーを交換する所定の位置が通常に前記駐車プラットフォームの下方に位置することから、通常の場合には、たとえ前記バッテリー取り外し・交換装置１２Ｂが、電気自動車が前記駐車プラットフォームに走行する前に前記バッテリーを交換する所定の位置に駐車しても、前記バッテリー取り外し・交換装置１２Ｂが前記駐車プラットフォームに走行する電気自動車に支障を与えず、条件（３）が満たされている。
【０２０４】
実施例１１における第二構成とされる駐車プラットフォームを例に挙げると、電気自動車は、バッテリーを交換されると前記昇降プラットフォームに駐車し、前記バッテリーを交換する所定の位置が通常にも前記駐車プラットフォームの上方に位置することから、前記バッテリー取り外し・交換装置１２Ｂが、電気自動車が前記駐車プラットフォームに走行する前に前記バッテリーを交換する所定の位置に駐車している場合に、電気自動車が前記駐車プラットフォームに走行すると、前記バッテリー取り外し・交換装置１２Ｂが走行する電気自動車に支障を与える恐れが非常に高い。故に、第二構成とされる駐車プラットフォームは、バッテリーを交換する所定の位置が通常に条件（３）を満たさず、駐車不可状態にある。
【０２０５】
前記バッテリーを交換する所定の位置が駐車可能状態にある場合には、前記第二所定の待ち位置が前記バッテリーを交換する所定の位置と同じ位置である。前記バッテリーを交換する所定の位置が駐車不可状態にある場合には、前記第二所定の待ち位置が前記バッテリーを交換する所定の位置からの距離が第二距離閾値を超えない位置であり、つまり、前記バッテリーを交換する所定の位置と近い位置である。
【０２０６】
ここまで、バッテリーを交換する用意の過程が済み、前記バッテリー交換制御システムは、前記電気自動車が前記駐車プラットフォームに走行して駐車することを待ち、バッテリーを交換する操作の過程へ移行する。
【０２０７】
バッテリーを交換する操作の過程では、前記制御手段１１は、前記バッテリー取り外し・交換装置１２Ｂの位置する第二所定の待ち位置が前記バッテリーを交換する所定の位置と同じ位置であるかどうかを判断する。
【０２０８】
同じである場合に、前記バッテリー取り外し・交換装置１２Ｂにバッテリー取り外し命令を送信し、前記バッテリー取り外し命令は、前記バッテリー取り外し・交換装置１２Ｂが前記電気自動車から前記残量が少ないバッテリーを取り外すように命令するためのものであり、前記バッテリー取り外し・交換装置１２Ｂは、さらに、前記バッテリー取り外し命令を実行することに用いられる。
【０２０９】
さもなければ、前記バッテリー取り外し・交換装置１２Ｂに微細調節命令を送信し、前記微細調節命令は、前記バッテリー取り外し・交換装置１２Ｂが前記第二所定の待ち位置から前記バッテリーを交換する所定の位置まで移動するように命令するためのものであり、前記バッテリー取り外し・交換装置１２Ｂは、前記微細調節命令を実行することに用いられ、次に、前記制御手段１１は、前記バッテリー取り外し・交換装置１２Ｂに前記バッテリー取り外し命令を送信することに用いられ、前記バッテリー取り外し・交換装置１２Ｂは、さらに、前記バッテリー取り外し命令を実行することに用いられる。
【０２１０】
前記制御手段１１は、さらに、前記バッテリー取り外し・交換装置１２Ｂが前記バッテリー取り外し命令を実行した後に、前記バッテリー取り外し・交換装置１２Ｂに第四移動命令を送信することに用いられ、前記第四移動命令は、前記バッテリー取り外し・交換装置１２Ｂが前記第二バッテリー載置台１３Ｂまで移動し、前記残量が少ないバッテリーを前記空のバッテリー載置棚に置くように命令するためのものである。前記バッテリー取り外し・交換装置１２Ｂは、さらに、前記第四移動命令を実行することに用いられる。
【０２１１】
バッテリーを交換する操作の過程では、前記制御手段１１は、さらに、前記電気自動車が駐車プラットフォームに駐車し、或いは、前記電気自動車のナンバープレートが見えると、前記電気自動車のナンバープレートを走査し、前記ナンバープレートにより、前記電気自動車に適用されるバッテリーの型番を特定し、そして、前記第一載置台１３Ａを選択し、次に、バッテリー載置・交換装置１２Ａを配置し、前記バッテリー載置・交換装置１２Ａにバッテリー取り出し命令を送信することに用いられ、前記バッテリー取り出し命令は、前記バッテリー載置・交換装置１２Ａが前記第一バッテリー載置台から前記搭載待ちバッテリーを取り外すように命令するためのものである。前記バッテリー載置・交換装置１２Ａは、さらに、前記バッテリー取り出し命令を実行することに用いられる。
【０２１２】
前記制御手段１１は、さらに、前記バッテリー載置・交換装置１２Ａが前記バッテリー取り出し命令を実行した後に、前記バッテリー載置・交換装置１２Ａに第一移動命令を送信することに用いられ、前記第一移動命令は、前記バッテリー載置・交換装置１２Ａが第一所定の待ち位置に予め駐車するように命令するためのものであり、前記第一所定の待ち位置は、前記駐車プラットフォームからの距離が第一距離閾値を超えない位置である。前記バッテリー載置・交換装置１２Ａは、さらに、前記第一移動命令を実行することに用いられる。
【０２１３】
前記制御手段１１は、さらに、前記バッテリー取り外し・交換装置１２Ｂが前記バッテリーを交換する所定の位置から、又は、前記バッテリーを交換する所定の位置から離れた距離が第三距離閾値を超えると、前記バッテリー載置・交換装置１２Ａに第五移動命令を送信することに用いられ、前記第五移動命令は、前記バッテリー載置・交換装置１２Ａが前記バッテリーを交換する所定の位置まで移動するように命令するためのものである。前記バッテリー載置・交換装置１２Ａは、さらに、前記第五移動命令を実行することに用いられる。
【０２１４】
前記制御手段１１は、さらに、前記バッテリー載置・交換装置１２Ａが前記第五移動命令を実行した後に、前記バッテリー載置・交換装置１２Ａにバッテリー搭載命令を送信することに用いられ、前記バッテリー搭載命令は、前記バッテリー載置・交換装置１２Ａが前記搭載待ちバッテリーを前記電気自動車に搭載するように命令するためのものである。前記バッテリー載置・交換装置１２Ａは、さらに、前記バッテリー搭載命令を実行することに用いられる。ここまで、前記電気自動車にバッテリーを交換することが済み、前記制御手段１１は、前記バッテリー載置・交換装置１２Ａが前記バッテリーを交換する所定の位置から離れて走行するように命令する。
【０２１５】
本実施例に係るバッテリー交換制御システムは、バッテリーを交換する用意の過程で、一部の制御が行われることから、電気自動車が駐車プラットフォームへ走行してバッテリーを交換される時間が大幅に短くなり、バッテリーを交換する効率が高まる。
【０２１６】
実施例１３
図４は、本実施例に係るバッテリー交換制御システムを示す。本実施例が実施例６に比べると基本的に同じであるが、その相違点が、本実施例では、前記電気自動車に適用されるバッテリーが、通常に、前記電気自動車に用いられるバッテリーの型番と同じであるということである。
【０２１７】
実施例１４
本実施例に係るバッテリー交換制御システムは、実施例１３に基づいてさらに変形してなされたものであって、本実施例における実施例１３への変形が実施例７における実施例６への変形に比べると基本的に同じであるが、その相違点が、前記第一条件が前記電気自動車に適用され、しかも、満充電のバッテリーが置かれている旨として設置されてもよく、或いは、電気自動車にバッテリーを交換できる確率を高めるように、前記第一条件は、優先的に、前記電気自動車に適用され、しかも、満充電のバッテリーが置かれている旨として設置されてもよく、前記少なくとも一つのバッテリー載置台に、前記第一条件を満たすバッテリー載置台を有さない場合に、前記第一条件は、前記電気自動車に適用され、しかも、残量が最も多いバッテリー旨に補正して設置されてもよいということにある。
【０２１８】
それに伴い、前記第一条件は、デフォルトに、前記電気自動車に適用され、しかも、満充電のバッテリーが置かれている旨として設置される。
【０２１９】
前記制御手段１１は、前記少なくとも一つのバッテリー載置台に、デフォルトとしての第一条件を満たすバッテリー載置台が存在しているかどうかを判断し、存在している場合に、そのうちから一つを第一バッテリー載置台１３Ａとして選択し、さもなければ、前記第一条件を、前記電気自動車に適用され、しかも、残量が最も多いバッテリーが置かれている旨に補正して設置され、前記少なくとも一つのバッテリー載置台に、現在の第一条件を満たすバッテリー載置台が存在しているかどうかを再度判断し、存在している場合にそのうちから一つを第一バッテリー載置台１３Ａとして選択する。依然として、前記第一条件を満たすバッテリー載置台が存在しない場合に、前記制御手段１１は、警報信号を送信し、前記電気自動車にバッテリーを交換できないように提示する。
【０２２０】
実施例１５
本実施例に係るバッテリー交換制御システムは、実施例１３又は実施例１４に基づいてさらに変形してなされたものであって、本実施例における実施例１３又は実施例１４への変形が実施例８における実施例６又は実施例７への変形に比べると基本的に同じであるが、その相違点が、本実施例では、若前記バッテリー車がまだ駐車していないと、前記電気自動車を駐車するための駐車プラットフォームホルダーと距離が最も近い一つのバッテリー載置台を前記第一バッテリー載置台１３Ａとするということにある。同様に、前記バッテリー車がまだ駐車していないと、前記電気自動車を駐車するための駐車プラットフォームホルダーと距離が最も近い一つのバッテリー載置台を前記第二バッテリー載置台１３Ｂとして選択する。また、本実施例では、前記駐車プラットフォームは、車にバッテリーを交換する専用のプラットフォーム、或いは、車を駐車し、しかも、バッテリーを便宜に交換する他の普通のプラットフォームとされてもよい。
【０２２１】
実施例１６
本実施例に係るバッテリー交換制御システムは、実施例１３又は実施例１４に基づいてさらに変形してなされたものであって、本実施例における実施例１３又は実施例１４への変形について、実施例９における実施例６又は実施例７への変形を参照すればよい。
【０２２２】
実施例１７
本実施例に係るバッテリー交換制御システムは、実施例１３に基づいてさらに変形してなされたものであって、本実施例における実施例１３への変形が実施例１０における実施例６への変形に比べると基本的に同じであるが、その相違点が、前記電気自動車がまだ駐車していないと、前記電気自動車を駐車するための駐車プラットフォームと距離が最も近いバッテリー交換装置が好ましい。同様に、前記電気自動車１４がまだ駐車していないと、それぞれ、選別されているバッテリー交換装置から前記駐車プラットフォーム１５までの距離を算出する。
【０２２３】
他の実施例では、各前記バッテリー載置台が少なくとも一つの前記バッテリー交換装置との所定の紐付け関係を有する場合に、前記バッテリー車がまだ駐車していないと、前記第二バッテリー載置台１３Ｂとの紐付け関係を有し、しかも、前記電気自動車を駐車するための駐車プラットフォームホルダーと距離が最も近いバッテリー交換装置が好ましい。
【０２２４】
同様に、前記バッテリー車がまだ駐車していないと、選別されているバッテリー交換装置から前記駐車プラットフォームまでの距離を算出する。
【０２２５】
実施例１８
本実施例に係るバッテリー交換制御システムは、実施例１３に基づいてさらに変形してなされたものであって、本実施例における実施例１３への変形が実施例１１における実施例６への変形に比べると基本的に同じであるが、その相違点が、本実施例では、前記第二バッテリー載置台１３Ｂを選択する過程について、実施例１４−１６を参照すればよく、バッテリー取り外し・交換装置１２Ｂを配置する過程について、実施例１７を参照すればよい。
【０２２６】
また、本実施例では、前記制御手段１１は、さらに、前記電気自動車が駐車プラットフォームに駐車していると、前記第一バッテリー載置台１３Ａを選択し、次にバッテリー載置・交換装置１２Ａを配置し、前記バッテリー載置・交換装置１２Ａにバッテリー取り出し命令を送信することに用いられ、前記バッテリー取り出し命令は、前記バッテリー載置・交換装置１２Ａが前記第一バッテリー載置台１３Ａから前記搭載待ちバッテリーを取り外すように命令するためのものである。前記バッテリー載置・交換装置１２Ａは、さらに、前記バッテリー取り出し命令を実行するに用いられる。そのうち、前記第一バッテリー載置台１３Ａを選択する過程について、実施例１４−１６を参照すればよく、バッテリー載置・交換装置１２Ａを配置する過程については実施例１７を参照すればよい。
【０２２７】
実施例１９
本実施例に係るバッテリー交換制御システムは、実施例１３に基づいてさらに変形してなされたものであって、本実施例における実施例１３への変形が実施例１２における実施例６への変形に比べると基本的に同じであるが、その相違点が、本実施例では、前記電気自動車がプラットフォームに駐車する前に、前記電気自動車に適用されるバッテリーの型番が予め分かる場合に、バッテリーを交換する用意の過程で、前記制御手段１１は、さらに、バッテリーを搭載する時間を省くように、前記第一バッテリー載置台１３Ａを予め選択し、前記バッテリー載置・交換装置１２Ａを配置し、また、前記バッテリー載置・交換装置１２Ａが一部の命令を完成させるように制御してもよい。そのうち、前記第二バッテリー載置台１３Ｂを選択する過程について、実施例１４−１６を参照すればよく、バッテリー取り外し・交換装置１２Ｂを配置する過程について、実施例１７を参照すればよい。また、前記駐車プラットフォームに、前記型番のバッテリーである電気自動車しかを駐車できないことが限定して適用されるということにより、前記電気自動車に適用されるバッテリーの型番が予め分かるようにする。例えば、ある所定の駐車プラットフォームには、特定の型番のバッテリーである電気自動車しかを駐車できないことが限定されると、電気自動車が駐車プラットフォームに駐車しているかどうかに関わらず、電気自動車に適用されるバッテリーの型番が必ず前記特定型番であることを特定することができる。
【０２２８】
そのうち、前記制御手段１１は、前記バッテリー載置・交換装置１２Ａが一部の命令を完了させるように制御することは、前記制御手段１１が前記バッテリー載置・交換装置１２Ａにバッテリー取り出し命令を送信することを備え、前記バッテリー取り出し命令は、前記バッテリー載置・交換装置１２Ａが前記第一バッテリー載置台１３Ａから前記搭載待ちバッテリーを取り外すように命令するためのものである。前記バッテリー載置・交換装置１２Ａは、さらに、前記バッテリー取り出し命令を実行することに用いられる。
【０２２９】
前記制御手段１１は、さらに、前記バッテリー載置・交換装置１２Ａがバッテリー取り出し命令を実行した後に、前記バッテリー載置・交換装置１２Ａに第一移動命令を送信することに用いられ、前記第一移動命令は、前記バッテリー載置・交換装置１２Ａが第一所定の待ち位置に予め駐車するように命令するためのものであり、前記第一所定の待ち位置は、前記駐車プラットフォームと近く、前記駐車プラットフォームからの距離が第一距離閾値を超えない位置である。前記バッテリー載置・交換装置１２Ａは、さらに、前記第一移動命令を実行することに用いられる。
【０２３０】
ここまで、バッテリーを交換する用意の過程が済み、前記バッテリー交換制御システムは、前記電気自動車が前記駐車プラットフォームに走行して駐車することを待ち、バッテリーを交換する操作の過程へ移行する。
【０２３１】
バッテリーを交換する操作の過程では、前記制御手段１１は、前記バッテリー取り外し・交換装置１２Ｂの位置する第二所定の待ち位置が前記バッテリーを交換する所定の位置と同じ位置であるかどうかを判断し、同じ位置である場合に、前記バッテリー取り外し・交換装置１２Ｂにバッテリー取り外し命令を送信し、前記バッテリー取り外し命令は、前記バッテリー取り外し・交換装置１２Ｂが前記電気自動車から前記残量が少ないバッテリーを取り外すように命令するためのものであり、前記バッテリー取り外し・交換装置１２Ｂは、さらに、前記バッテリー取り外し命令を実行することに用いられ、さもなければ、前記バッテリー取り外し・交換装置１２Ｂに微細調節命令を送信し、前記微細調節命令は、前記バッテリー取り外し・交換装置１２Ｂが前記第二所定の待ち位置から前記バッテリーを交換する所定の位置まで移動するように命令するためのものであり、前記バッテリー取り外し・交換装置１２Ｂは、前記微細調節命令を実行することに用いられ、次に、前記制御手段１１は、前記バッテリー取り外し・交換装置１２Ｂに前記バッテリー取り外し命令を送信し、前記バッテリー取り外し・交換装置１２Ｂは、さらに、前記バッテリー取り外し命令を実行することに用いられる。
【０２３２】
前記制御手段１１は、さらに、前記バッテリー取り外し・交換装置１２Ｂが前記バッテリー取り外し命令を実行した後に、前記バッテリー取り外し・交換装置１２Ｂに第四移動命令を送信することに用いられる、前記第四移動命令は、前記バッテリー取り外し・交換装置１２Ｂが前記第二バッテリー載置台１３Ｂまで移動し前記残量が少ないバッテリーを前記空のバッテリー載置棚に置くように命令するためのものである。前記バッテリー取り外し・交換装置１２Ｂは、さらに、前記第四移動命令を実行することに用いられる。
【０２３３】
前記制御手段１１は、さらに、前記バッテリー取り外し・交換装置１２Ｂが前記バッテリーを交換する所定の位置から、又は、前記バッテリーを交換する所定の位置から離れた距離が第三距離閾値を超えると、前記バッテリー載置・交換装置に第五移動命令を送信し、前記第五移動命令は、前記バッテリー載置・交換装置１２Ａが前記バッテリーを交換する所定の位置まで移動するように命令するためのものである。前記バッテリー載置・交換装置１２Ａは、さらに、前記第五移動命令を実行することに用いられる。
【０２３４】
前記制御手段１１は、さらに、前記バッテリー載置・交換装置１２Ａが前記第五移動命令を実行した後に、前記バッテリー載置・交換装置１２Ａにバッテリー搭載命令を送信することに用いられ、前記バッテリー搭載命令は、前記バッテリー載置・交換装置１２Ａが前記搭載待ちバッテリーを前記電気自動車に搭載するように命令するためのものである。前記バッテリー載置・交換装置１２Ａは、さらに、前記バッテリー搭載命令を実行することに用いられる。ここまで、前記電気自動車にバッテリーを交換することが済み、前記制御手段１１は、前記バッテリー載置・交換装置１２Ａが前記バッテリーを交換する所定の位置から離れて走行するように命令する。
【０２３５】
本実施例に係るバッテリー交換制御システムは、バッテリーを交換する用意の過程で一部の制御が行われることから、電気自動車が駐車プラットフォームへ走行してバッテリーを交換される時間が大幅に短くなり、バッテリーを交換する効率が高まる。
【０２３６】
実施例２０
図８は、本実施例に係るバッテリー交換制御方法を示す。
【０２３７】
前記バッテリー交換制御方法は、以下のステップを備える。
ステップ２１は、電気自動車に適用されるバッテリーの型番を特定する。具体的に、前記電気自動車のナンバープレートを走査し、前記ナンバープレートにより、前記電気自動車に適用されるバッテリーの型番を特定してもよい。
ステップ２２は、少なくとも一つのバッテリー載置台から、第一条件を満たすバッテリー載置台を、第一バッテリー載置台として選択し、前記バッテリー載置台は、バッテリーを置くための一つ以上のバッテリー載置棚を有し、前記第一条件は、前記バッテリーの型番であるバッテリーが置かれている旨として設置される。
【０２３８】
ステップ２３は、前記少なくとも一つのバッテリー載置台から、第二条件を満たすバッテリー載置台を、第二バッテリー載置台として選択し、前記第二条は、空のバッテリー載置棚が置かれている旨として設置される。
【０２３９】
ステップ２４は、バッテリー交換装置がバッテリーを交換する所定の位置まで移動し、前記電気自動車から残量が少ないバッテリーを取り外し、前記残量が少ないバッテリーを前記第二載置台に搬送し前記空のバッテリー載置棚に置くようにする。前記バッテリーを交換する所定の位置は、前記電気自動車にバッテリーを着脱することが適用される位置である。
【０２４０】
ステップ２５は、前記バッテリー交換装置が第一バッテリー載置台まで移動し、前記第一バッテリー載置台から前記バッテリーの型番であるバッテリーを取り外し、前記バッテリーの型番であるバッテリーを、前記バッテリーを交換する所定の位置まで搬送し、前記電気自動車に搭載するようにする。
【０２４１】
本実施例では、電気自動車に適用されるバッテリーの型番を確認することから、第一バッテリー載置台を便宜に選択することができ、車にバッテリーを交換する過程全体に、前記バッテリー交換装置の移動が円滑となり、バッテリーを交換するスピード及び効率が高まる。
【０２４２】
本実施例では、前記バッテリーを交換する所定の位置について理解すると、前記バッテリー交換装置が前記バッテリーを交換する所定の位置に位置すると、最も少ない動作により電気自動車からバッテリーを取り外し、又は、電気自動車にバッテリーを搭載することができる。前記バッテリーを交換する所定の位置は、具体的に、前記電気自動車を駐車する駐車プラットフォームの構成により、前記バッテリーを交換する所定の位置が前記駐車プラットフォームの下方に位置するかそれとも上方に位置するかを特定する。
【０２４３】
実施例２１
本実施例に係るバッテリー交換制御方法は、実施例２０に基づいてさらに変形してなされたものであって、第一条件を設置することが主なことである。第一条件は、前記第一バッテリー載置台を選択する根拠として、前記バッテリーの型番であるバッテリーが置かれるという条件が必要である以外に、さらに、他の好ましい対応条件をさらに設定してもよい。本実施例では、対応する条件は、主に、バッテリーの残量に関連しており、前記バッテリー交換制御方法は、さらに、前記バッテリー載置台に置かれているバッテリーの残量を監視することをさらに備えてもよい。
【０２４４】
具体的に、前記第一条件は、前記バッテリーの型番であり、しかも、満充電となるバッテリーが置かれている旨として設置される。それに伴い、ステップ２２には、前記少なくとも一つのバッテリー載置台に前記第一条件を満たすバッテリー載置台が存在しているかどうかを判断し、存在している場合に、そのうちから一つを前記第一バッテリー載置台として選択する。前記第一条件を満たすバッテリー載置台が存在していない場合に警報信号を送信し、前記電気自動車にバッテリーを交換できないように提示する。
【０２４５】
或いは、電気自動車にバッテリーを交換できる確率を高めるように、優先的に、前記バッテリーの型番であり、しかも、満充電となるバッテリーが置かれている旨として設置される。前記少なくとも一つのバッテリー載置台に、前記第一条件を満たすバッテリー載置台を有さない場合に、前記第一条件は、前記バッテリーの型番であり、しかも、残量が最も多いバッテリーが置かれている旨に補正して設置される。それに伴い、前記第一条件は、前記バッテリーの型番であり、しかも、満充電となるバッテリーが置かれている旨として、デフォルトに設置される。ステップ２２は、前記少なくとも一つのバッテリー載置台に、デフォルトとしての第一条件を満たすバッテリー載置台が存在しているかどうかを判断し、存在している場合に、そのうちから一つを第一バッテリー載置台として選択する。
【０２４６】
さもなければ、前記第一条件は、前記バッテリーの型番であり、しかも、残量が最も多いバッテリーが置かれている旨に補正して設置され、再度、前記少なくとも一つのバッテリー載置台に現在の第一条件を満たすバッテリー載置台が存在しているかどうかを判断し、存在している場合にそのうちから一つを第一バッテリー載置台として選択する。依然として、前記第一条件を満たすバッテリー載置台が存在していない場合に、警報信号を送信し、前記電気自動車にバッテリーを交換できないように提示してもよい。
【０２４７】
また、本実施例では、前記空のバッテリー載置棚は、さらに、前記残量が少ないバッテリーを充電することに用いられる。具体的に、前記空のバッテリー載置棚は、バッテリー充電回路を有し、前記バッテリー充電回路は、前記バッテリーの型番とマッチングする一定の電力パラメータを有してもよく、或いは、前記バッテリー充電回路は、調節可能な電力パラメータを有してもよい。前記制御手段は、さらに、前記電力パラメータが前記バッテリーの型番とマッチングするように、前記バッテリーの型番に基づいて、前記電力パラメータを調節することに用いられる。前記電力パラメータには、電流や電圧等が含まれている。
【０２４８】
勿論、他の実施例では、第一条件は、さらに、必要に応じて他の条件として設置されてもよい。
【０２４９】
実施例２２
本実施例に係るバッテリー交換制御方法は、実施例２０又は実施例２１に基づいてさらに変形してなされたものであって、第一バッテリー載置台及び第二バッテリー載置台を選択することが主なことである。バッテリー載置台の数が二つであり、ひいては、それ以上であると、二つ又は二つ以上のバッテリー載置台が前記第一条件或いは第二条件を同時に満たす可能性が高い。前記方法には、必要に応じて、さらに、前記第一バッテリー載置台及び前記第二バッテリー載置台への選択要求を設定してもよい。
【０２５０】
本実施例では、二つ又は二つ以上のバッテリー載置台が同時に前記第一条件を満たすことに応じるために、ステップ２２は、さらに、前記第一条件を満たすバッテリー載置台が一つを超えるかどうかを判断することを備える。
【０２５１】
超える場合には、前記バッテリー交換装置による移動距離及び移動時間を短くし、バッテリーを交換する効率を高めるように、前記第一条件を満たすバッテリー載置台から、前記電気自動車と距離が最も近い一つのバッテリー載置台又は前記電気自動車を駐車するための駐車プラットフォームホルダーと距離が最も近い一つのバッテリー載置台を、前記第一バッテリー載置台として選択し、或いは、前記第二バッテリー載置台と前記バッテリー車との間の経路に位置する一つのバッテリー載置台を、前記第一バッテリー載置台として選択し、或いは、前記経路に位置し、しかも、前記電気自動車又は前記駐車プラットフォームと距離が最も近い一つのバッテリー載置台を前記第一バッテリー載置台として選択する。
【０２５２】
勿論、前記第一条件を満たすバッテリー載置台が一つしかを有さない場合には、通常に、それを第一バッテリー載置台とする以外のことがない。
【０２５３】
同様に、二つ又は二つ以上のバッテリー載置台が同時に、前記第二条件を満たす場合に、ステップ２３は、さらに、前記第二条件を満たすバッテリー載置台が一つを超えるかどうかを判断することを備える。
【０２５４】
超える場合に、前記第二条件を満たすバッテリー載置台から、一つのバッテリー載置台を前記第二バッテリー載置台としてランダムに選択し、或いは、前記バッテリー交換装置による移動距離及び移動時間を短くし、バッテリーを交換する効率を高めるように、前記第二条件を満たすバッテリー載置台から、前記電気自動車と距離が最も近い一つのバッテリー載置台、又は、前記電気自動車を駐車するための駐車プラットフォームホルダーと距離が最も近い一つのバッテリー載置台を前記第二バッテリー載置台として選択する。
【０２５５】
勿論、前記第二条件を満たすバッテリー載置台が一つを有さない場合には、通常に、それを第二バッテリー載置台とする以外のことがない。
【０２５６】
さらに各バッテリー載置台を便宜に位置決め、第一バッテリー載置台／第二バッテリー載置台を選択し、バッテリー交換装置による移動距離を短くするように、前記バッテリー載置台は、前記電気自動車が前記駐車プラットフォームへ走行する方向に沿って前記駐車プラットフォームの両側に分布されてもよい。そのうち、前記駐車プラットフォームは、車にバッテリーを交換する専用のプラットフォーム、又は、車を駐車でき、しかも、バッテリーを便宜に交換できる他の普通のプラットフォームとされてもよい。
【０２５７】
本実施例では、第一バッテリー載置台及び第二バッテリー載置台への選択が相対的に独立していることであり、言い換えると、異なる場合によって、それぞれ、前記第一バッテリー載置台及び前記第二バッテリー載置台への選択要求を設定してもよい。
【０２５８】
実施例２３
本実施例に係るバッテリー交換制御方法は、実施例２０又は実施例２１に基づいてさらに変形してなされたものであって、第一バッテリー載置台及び第二バッテリー載置台を選択することが主なことである。実施例２１に比べると、その相違点が、本実施例では、前記第一バッテリー載置台及び前記第二バッテリー載置台を選択する際に、ある程度で、両者間の関連を考えるということにある。
【０２５９】
具体的に、前記方法は、前記少なくとも一つのバッテリー載置台に多機能のバッテリー載置台が存在しているかどうかを判断することをさらに備え、前記多機能のバッテリー載置台は、前記第一条件及び前記第二条件を共に満たすバッテリー載置台である。
【０２６０】
前記多機能のバッテリー載置台が存在しない場合に、実施例２１の手段に従って、それぞれ、第一条件を満たすバッテリー載置台から第一バッテリー載置台を選択し、また、第二条件を満たすバッテリー載置台から第二バッテリー載置台を選択すればよい。
【０２６１】
前記多機能のバッテリー載置台が存在している場合に、さらに、前記多機能のバッテリー載置台を、同時に、前記第一バッテリー載置台及び前記第二バッテリー載置台としてもよい。そして、バッテリー交換装置による移動距離が短くなる。
【０２６２】
実施例２４
本実施例に係るバッテリー交換制御方法は、実施例２０に基づいてさらに変形してなされたものであって、前記バッテリー交換装置に対する制御の流れが主なことである。バッテリーを交換する過程全体は、電気自動車がプラットフォームに駐車する前にバッテリーを交換する用意の流れと、電気自動車が駐車プラットフォームに駐車しているとバッテリーを交換する操作の流れと、に分かられる。
【０２６３】
バッテリーを交換する用意の流れでは、前記バッテリー交換制御方法は、前記バッテリー交換装置が所定の待ち位置に予め駐車するようにすることを備える。前記所定の待ち位置が前記バッテリーを交換する所定の位置に関連しており、前記バッテリーを交換する所定の位置と同じ位置であってもよく、或いは、前記バッテリーを交換する所定の位置と近い位置であってもよい。
【０２６４】
本実施例では、前記所定の待ち位置は、バッテリーを交換する所定の位置が駐車可能状態にある場合に、前記バッテリーを交換する所定の位置と同じ位置である。
【０２６５】
前記所定の待ち位置は、バッテリーを交換する所定の位置が駐車不可状態にある場合に、前記バッテリーを交換する所定の位置からの距離が第一距離閾値を超えない位置である。
【０２６６】
具体的に、前記バッテリーを交換する所定の位置が空いている位置である条件、前記バッテリー交換装置が前記バッテリーを交換する所定の位置まで移動するための通過道路が存在している条件、及び、予測前記バッテリー交換装置が前記バッテリーを交換する所定の位置に駐車していると、前記バッテリー交換装置が前記駐車プラットフォームへ走行する電気自動車に支障を与えない条件、という三つの条件が同時に満たされている場合には、前記バッテリーを交換する所定の位置が駐車可能状態となり、さもなければ、前記バッテリーを交換する所定の位置が駐車不可状態となる。
【０２６７】
ここまで、バッテリーを交換する用意の流れが済み、前記電気自動車が前記駐車プラットフォームに走行して駐車することを待ち、バッテリーを交換する操作の流れへ移行する。
【０２６８】
バッテリーを交換する操作の流れにおいて、前記バッテリー交換制御方法は、以下のことを備える。
前記所定の待ち位置が前記バッテリーを交換する所定の位置と同じ位置であるかどうかを判断し、同じ位置である場合に、前記バッテリー交換装置が前記電気自動車から前記残量が少ないバッテリーを取り外しするようにし、さもなければ、前記バッテリー交換装置が前記所定の待ち位置から前記バッテリーを交換する所定の位置まで移動するようにする。
次に、前記バッテリー交換装置は、前記電気自動車から前記残量が少ないバッテリーを取り外す。
前記バッテリー交換装置が前記電気自動車から前記残量が少ないバッテリーを取り外した後に、前記バッテリー交換装置が前記第二バッテリー載置台まで移動するようにする。
次に、前記バッテリー交換装置が、前記残量が少ないバッテリーを前記空のバッテリー載置棚に置くようにする。
次に、前記バッテリー交換装置が前記第一バッテリー載置台まで移動するようにする。
次に、前記バッテリー交換装置が前記第一バッテリー載置台から前記バッテリーの型番であるバッテリーを取り外すようにする。
次に、前記バッテリー交換装置がバッテリーを交換する所定の位置まで移動するようにする。
次に、前記バッテリー交換装置が前記バッテリーの型番であるバッテリーを前記電気自動車に搭載するようにする。
ここまで、前記電気自動車にバッテリーを交換することが済む。最後に、前記バッテリー交換装置が前記バッテリーを交換する所定の位置から離れて走行するようにする。
【０２６９】
本実施例に係るバッテリー交換制御システムは、バッテリーを交換する用意の流れに、一部の制御が行われることから、電気自動車が駐車プラットフォームへ走行してからバッテリーを交換される時間を大幅に短くすることができ、バッテリーを交換する効率が高まる。
【０２７０】
実施例２５
図１０は、本実施例に係るバッテリー交換制御方法を示す。
前記バッテリー交換制御方法は、以下のステップを備える。
ステップ２１’には、少なくとも一つのバッテリー載置台から、第一条件を満たすバッテリー載置台を第一バッテリー載置台として選択する。そのうち、前記バッテリー載置台は、バッテリーを置くための一つ以上のバッテリー載置棚を有し、前記第一条件は、電気自動車に適用されるバッテリーが置かれている旨として設置され、前記電気自動車に適用されるバッテリーは、通常に、前記電気自動車に用いられるバッテリーの型番と同じものである。
ステップ２２’には、前記少なくとも一つのバッテリー載置台から、第二条件を満たすバッテリー載置台を第二バッテリー載置台として選択する。そのうち、前記第二条件は、空のバッテリー載置棚を有する旨として設置される。
ステップ２３’には、前記少なくとも二つのバッテリー交換装置における少なくとも一つのバッテリー交換装置をバッテリー載置・交換装置として設置する。そのうち、前記バッテリー載置・交換装置は、搭載待ちバッテリーを搬送することに用いられ、前記搭載待ちバッテリーは、前記第一バッテリー載置台から取り出されたものであって、前記電気自動車に適用され、しかも、前記電気自動車に搭載されるバッテリーである。
ステップ２４’には、前記少なくとも二つのバッテリー交換装置における少なくとも一つのバッテリー交換装置をバッテリー取り外し・交換装置として配置する。そのうち、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーである。
【０２７１】
上記したステップ順番は、上記した各ステップに対する一つの可能な順番付けであり、他の実施例では、上記した各ステップが他の順番であってもよく、例えば、先にステップ２２’を実行し、次に、順番に従ってステップ２４’、ステップ２１’、ステップ２３’を実行してもよく、先にステップ２１’を実行し、次に、順番に従ってステップ２３’、ステップ２２’、ステップ２４’を実行してもよい。
【０２７２】
本実施例では、車にバッテリーを交換する過程全体に、バッテリー載置・交換装置、及びバッテリー取り外し・交換装置という二つのバッテリー交換装置が使われており、バッテリー載置・交換装置による移動軌跡が、第一バッテリー載置台と電気自動車との間にあり、搭載待ちバッテリーへの搬送を実現し、バッテリー取り外し・交換装置による移動軌跡が電気自動車と第二バッテリー載置台との間にあり、残量が少ないバッテリーへの搬送を実現する。当該二つのバッテリー交換装置は、それぞれ、異なる役割を有し、一緒に、バッテリーを交換するタスクを完了させることから、バッテリーを交換することにかかる時間全体は、一つのバッテリー交換装置だけによりバッテリーの交換を実現することに比べると、少なくとも、半分の時間を短くすることができ、バッテリーを交換するスピード及び効率が向上する。
【０２７３】
実施例２６
本実施例に係るバッテリー交換制御方法は、実施例２５に基づいてさらに変形してなされたものであって、本実施例における実施例２５への変形が実施例２１における実施例２０への変形と基本的に同じであるが、その相違点が、前記バッテリー交換制御方法は、さらに、前記バッテリー載置台に置かれているバッテリーの残量を監視することにより、第一バッテリー載置台への選択に役立つということにある。
【０２７４】
実施例２７
本実施例に係るバッテリー交換制御方法は、実施例２５又は実施例２６に基づいてさらに変形してなされたものであって、本実施例における実施例２５又は実施例２６への変形が実施例２２における実施例２０又は実施例２１への変形と基本的に同じであるが、その相違点が、本実施例では、さらに、各バッテリー載置台を便宜に位置決め、第一バッテリー載置台／第二バッテリー載置台を選択し、バッテリー載置・交換装置／バッテリー取り外し・交換装置による移動距離を短くするように、前記バッテリー載置台は、前記電気自動車が前記駐車プラットフォームへ走行する方向に沿って前記駐車プラットフォームの両側に分布されてもよいということにある。
【０２７５】
実施例２８
本実施例に係バッテリー交換制御方法は、実施例２５又は実施例２６に基づいてさらに変形してなされたものであって、第一バッテリー載置台及び第二バッテリー載置台を選択することが主なことである。実施例２７に比べると、その相違点が、本実施例では前記第一バッテリー載置台及び前記第二バッテリー載置台を選択する時に、ある程度で両者間の関連を考えるということにある。
【０２７６】
前記バッテリー交換制御方法は、前記少なくとも一つのバッテリー載置台に、多機能のバッテリー載置台が存在しているかどうかを判断することをさらに備え、前記多機能のバッテリー載置台は、前記第一条件及び前記第二条件を共に満たすバッテリー載置台である。
【０２７７】
存在しない場合には、実施例２７の手段に従って、それぞれ、第一条件を満たすバッテリー載置台から第一バッテリー載置台を選択し、第二条件を満たすバッテリー載置台から第二バッテリー載置台を選択すればよい。存在している場合に、優先的に、前記多機能のバッテリー載置台を利用して、以下の四つの形態から、いずれ一つを選択して身分を配置する。
【０２７８】
第一形態は、前記多機能のバッテリー載置台を、同時に、前記第一バッテリー載置台及び前記第二バッテリー載置台とする。
第二形態は、前記多機能のバッテリー載置台を、前記第一バッテリー載置台及び前記第二バッテリー載置台のうちのいずれか一つとする。
第三形態は、第一条件を満たすバッテリー載置台及び第二条件を満たすバッテリー載置台について、数からのバランスを保持するように、以下いずれか一つ条件を、前記多機能のバッテリー載置台を第一バッテリー載置台とすることに必要な条件する。
条件（１）は、残りのバッテリー載置台がいずれも前記第一条件を満たさないというものである。
条件（２）は、残りのバッテリー載置台における、前記第一条件を満たすバッテリー載置台の数が前記第二条件を満たすバッテリー載置台の数よりも小さいというものである。
条件（３）は、残りのバッテリー載置台における、前記第一条件を満たすバッテリー載置台の数が前記第二条件を満たすバッテリー載置台の数よりも小さく、しかも、両者の差分の絶対値が第一差分閾値よりも小さいというものである。
条件（４）は、残りのバッテリー載置台における、前記第一条件を満たすバッテリー載置台の数が第一数閾値よりも小さいというものである。
【０２７９】
第四形態は、第一条件を満たすバッテリー載置台、及び、第二条件を満たすバッテリー載置台について、数からのバランスを保持するように、いずれか一つ条件を、前記多機能のバッテリー載置台を第二バッテリー載置台とすることに必要な条件とする。
条件（１）は、残りのバッテリー載置台がいずれも前記第二条件を満たさないというものである。
条件（２）は、残りのバッテリー載置台における、前記第二条件を満たすバッテリー載置台の数が前記第一条件を満たすバッテリー載置台の数よりも小さいというものである。
条件（３）は、残りのバッテリー載置台における、前記第二条件を満たすバッテリー載置台の数が前記第一条件を満たすバッテリー載置台の数よりも小さく、しかも、両者の差分の絶対値が第二差分閾値よりも小さいというものである。
条件（４）は、残りのバッテリー載置台における、前記第二条件を満たすバッテリー載置台の数が第二数閾値よりも小さいというものである。
【０２８０】
実施例２９
本実施例に係バッテリー交換制御方法は、実施例２５に基づいてさらに変形してなされたものであって、ステップ２３’に、バッテリー載置・交換装置を配置し、ステップ２４’に、バッテリー取り外し・交換装置を配置することが主なことである。前記バッテリー交換装置は、大雑把に、単一機能のバッテリー交換装置と、多機能のバッテリー交換装置に分かられる。単一機能のバッテリー交換装置は、その構成が比較的単一であり、第一構成を有し、しかも、バッテリー載置・交換装置としてしか配置されておらず、或いは、第二構成を有し、しかも、バッテリー取り外し・交換装置としてしか配置されない。多機能のバッテリー交換装置は、その構成が比較的複雑であり、前記第一構成及び前記第二構成を兼有し、しかも、バッテリー取り外し・交換装置及びバッテリー載置・交換装置のうちのいずれか一つとして設置される。
【０２８１】
そのうち、前記第一構成は、前記搭載待ちバッテリーを前記第一バッテリー載置台から取り外して前記電気自動車に搭載することを実現することに必要な構成を含み、例えば、前記搭載待ちバッテリーを前記第一バッテリー載置台から取り外するための把持機構や前記搭載待ちバッテリーを前記電気自動車に搭載するための持ち上がり機構等を含む。
【０２８２】
前記第二構成は、前記残量が少ないバッテリーを前記電気自動車から取り外し前記第二バッテリー載置台に載置することが実現されることに必要な構成を含み、例えば、前記残量が少ないバッテリーを前記電気自動車からアンロックするアンロック機構、前記残量が少ないバッテリーを前記第二バッテリー載置台に載置する載置機構などを含む。
【０２８３】
本実施例に係るバッテリー交換制御方法は、前記少なくとも二つのバッテリー交換装置が共に単一機能のバッテリー交換装置であってもよく（しかしながら、前記第一構成を有する単一機能のバッテリー交換装置と、前記第二構成を有する単一機能のバッテリー交換装置との両者が存在していることが必要となる）、或いは、共に多機能のバッテリー交換装置であってもよく、或いは、一部が単一機能のバッテリー交換装置であるが一部が多機能のバッテリー交換装置であってもよい。
【０２８４】
前記バッテリー載置・交換装置による移動距離及び移動時間を短くし、バッテリーを交換する効率を高めるように、ステップ２３’に、前記バッテリー載置・交換装置として設置されるバッテリー交換装置は、前記第一バッテリー載置台と距離が最も近いバッテリー交換装置が好ましい。具体的に、ステップ２３’は、ステップ２１’に第一バッテリー載置台を選択してから実行され、前記第一バッテリー載置台の位置を特定し、第一構成を有する単一機能のバッテリー交換装置及び多機能のバッテリー交換装置を選別し、それぞれ、第一構成を有する単一機能のバッテリー交換装置及び多機能のバッテリー交換装置のそれぞれについて、前記第一バッテリー載置台までの距離を算出し、距離が最も近い一つのバッテリー交換装置を選択してバッテリー載置・交換装置として選択する、ことを備えてもよい。
【０２８５】
前記バッテリー取り外し・交換装置による移動距離及び移動時間を短くし、バッテリーを交換する効率を高めるように、ステップ２４’に前記バッテリー取り外し・交換装置として設置されるバッテリー交換装置は、前記電気自動車と距離が最も近いバッテリー交換装置が好ましい（前記電気自動車がまだ駐車していないと、前記電気自動車を駐車するための駐車プラットフォームと距離が最も近いバッテリー交換装置が好ましい）。具体的に、ステップ２４’には、第二構成を有する単一機能のバッテリー交換装置及び多機能のバッテリー交換装置を選別し、第二構成を有する単一機能のバッテリー交換装置及び多機能のバッテリー交換装置のそれぞれについて、前記電気自動車までの距離を算出し（前記電気自動車がまだ駐車していないと、それぞれ、選別されているバッテリー交換装置から前記駐車プラットフォームまでの距離を算出する）、距離が最も近い一つのバッテリー交換装置配置をバッテリー取り外し・交換装置として選択することを備えてもよい。
【０２８６】
他の実施例では、バッテリー交換装置を便宜に管理して分配するように、各前記バッテリー載置台は、少なくとも一つの前記バッテリー交換装置との所定の紐付け関係を有しており、ちまり、各バッテリー載置台は、紐付け関係を有するバッテリー交換装置のみによりバッテリーを着脱できる。
【０２８７】
ステップ２３’は、バッテリー載置・交換装置を配置すると、前記第一バッテリー載置台との紐付け関係を有するバッテリー交換装置、又は、前記第一バッテリー載置台との紐付け関係を有し、しかも、前記第一バッテリー載置台と距離が最も近いバッテリー交換装置が好ましい。具体的に、ステップ２３’は、第一バッテリー載置台を選択してから、前記第一バッテリー載置台との紐付け関係を選別し、しかも、第一構成を有する単一機能のバッテリー交換装置及び多機能のバッテリー交換装置を選別し、そのうちから一つをランダムに選択し、バッテリー載置・交換装置として配置し、或いは、さらに、前記第一バッテリー載置台の位置を特定し、それぞれ、選別されているバッテリー交換装置から前記第一バッテリー載置台までの距離を算出し、距離が最も近い一つのバッテリー交換装置を選択しバッテリー載置・交換装置として配置すること、を備えてもよい。
【０２８８】
ステップ２４’に、バッテリー取り外し・交換装置を配置する時に、前記第二バッテリー載置台との紐付け関係を有するバッテリー交換装置、或いは、前記第二バッテリー載置台との紐付け関係を有し、しかも、前記電気自動車と距離が最も近いバッテリー交換装置が好ましい（前記バッテリー車がまだ駐車していない場合に、前記第二バッテリー載置台との紐付け関係を有し、しかも、前記電気自動車を駐車するための駐車プラットフォームホルダーと距離が最も近いバッテリー交換装置が好ましい）。具体的に、ステップ２４’は、第二バッテリー載置台を選択してから、前記第二バッテリー載置台との紐付け関係を有し、しかも、第二構成を有する単一機能のバッテリー交換装置及び多機能のバッテリー交換装置を選別し、そのうちから一つをランダムに選択し、バッテリー取り外し・交換装置として配置し、或いは、さらに、それぞれ、選別されているバッテリー交換装置から前記電気自動車までの距離を算出し（前記バッテリー車がまだ駐車していない場合に、選別されているバッテリー交換装置から前記駐車プラットフォームまでの距離を算出する）、距離が最も近い一つのバッテリー交換装置を選択しバッテリー取り外し・交換装置として配置する、ことを備えてもよい。
【０２８９】
実施例３０
本実施例に係バッテリー交換制御方法は、実施例２５に基づいてさらに変形してなされたものであって、前記バッテリー交換制御方法におけるバッテリーを交換する制御の流れが主なことである。本実施例では、図１１に示されるように、バッテリーを交換する制御の流れは、電気自動車がプラットフォームに駐車する前にバッテリーを交換する用意の流れと、電気自動車がプラットフォームに駐車しているときバッテリーを交換する操作の流れとに分かられる。
【０２９０】
バッテリーを交換する用意の流れでは、前記バッテリー交換制御方法は、前記第二バッテリー載置台を予め選択し、次に、バッテリー取り外し・交換装置を配置することを備える。そのうち、前記第二バッテリー載置台を選択する方法については、実施例２６−２８を参照すればよく、バッテリー取り外し・交換装置を配置する方法については、実施例２９を参照すればよい。
【０２９１】
バッテリーを交換する操作の流れでは、前記バッテリー交換制御方法は、前記バッテリー取り外し・交換装置がバッテリーを交換する所定の位置まで移動して駐車するように命令することを備える。
【０２９２】
前記電気自動車が前記駐車プラットフォームに駐車し、しかも、前記バッテリー取り外し・交換装置が前記バッテリーを交換する所定の位置に駐車している場合には、前記バッテリー取り外し・交換装置が前記電気自動車から前記残量が少ないバッテリーを取り外すように命令する。
【０２９３】
本実施例では、前記バッテリーを交換する所定の位置は、前記駐車プラットフォームに駐車している電気自動車からバッテリーを取り出すことが適用される位置であり、理解すると、前記バッテリー取り外し・交換装置が前記バッテリーを交換する所定の位置に位置すると、前記バッテリー取り外し・交換装置が、最も少ない動作により、前記駐車プラットフォームに駐車している電気自動車からバッテリーを取り外すことができるということである。前記バッテリーを交換する所定の位置は、具体的に、前記駐車プラットフォームの構成により、前記バッテリーを交換する所定の位置が前記駐車プラットフォームの下方に位置するとそれとも、上方に位置するかを特定する（前記バッテリーを交換する所定の位置についての具体的な説明は、実施例２５を参照すればよい）。
【０２９４】
前記バッテリーを交換する所定の位置は、さらに、前記駐車プラットフォームの構成により、さらに、前記バッテリー取り外し・交換装置の第二構成、残量が少ないバッテリーを取り出す第二構成の移動経路等の条件に基づいて設定されてもよい。
【０２９５】
前記バッテリー取り外し・交換装置は、前記電気自動車から前記残量が少ないバッテリーを取り外した後に、前記バッテリー取り外し・交換装置が第二バッテリー載置台まで移動し前記残量が少ないバッテリーを前記空のバッテリー載置棚に置くように命令する。
【０２９６】
バッテリーを交換する操作の流れでは、前記バッテリー交換制御方法は、前記第一バッテリー載置台を選択し、次に、バッテリー載置・交換装置を配置し、前記バッテリー載置・交換装置が前記第一バッテリー載置台から前記搭載待ちバッテリーを取り外すように命令することをさらに備える。そのうち、前記第一バッテリー載置台を選択する方法については、実施例２６−２８を参照すればよく、バッテリー載置・交換装置を配置する方法については、実施例２９を参照すればよい。
【０２９７】
前記バッテリー取り外し・交換装置が前記バッテリーを交換する所定の位置から、又は、前記バッテリーを交換する所定の位置から離れた距離が第三距離閾値を超えると、前記バッテリー載置・交換装置がバッテリーを交換する所定の位置まで移動するように命令する。
【０２９８】
前記バッテリー載置・交換装置がバッテリーを交換する所定の位置まで移動した後に、前記バッテリー載置・交換装置が前記搭載待ちバッテリーを前記電気自動車に搭載するように命令する。ここまで、前記電気自動車にバッテリーを交換することが済む。
【０２９９】
最後に、前記バッテリー載置・交換装置が前記バッテリーを交換する所定の位置から離れて走行するように命令する。
【０３００】
実施例３１
本実施例に係るバッテリー交換制御方法が実施例２５に基づいてさらに変形してなされたものであって、前記バッテリー交換制御方法におけるバッテリーを交換する制御の流れが主なことである。本実施例では、バッテリーを交換する制御の流れは、電気自動車がプラットフォームに駐車する前にバッテリーを交換する用意の流れと、電気自動車が駐車プラットフォームに駐車しているとバッテリーを交換する操作の流れとに分かられる。図１２に示されるように、バッテリーを交換する用意の流れ及びバッテリーを交換する操作の流れでは、前記バッテリー交換制御方法に含まれているステップが実施例３０に係るものと異なる。
【０３０１】
バッテリーを交換する用意の流れでは、前記バッテリー交換制御方法は、バッテリーを外す時間を省くように、前記第二バッテリー載置台を予め選択し、前記バッテリー取り外し・交換装置を配置し、また、前記バッテリー取り外し・交換装置が一部の操作を完了させるように命令することを備える。そのうち、前記第二バッテリー載置台を選択する方法については実施例２６−２８を参照すればよく、バッテリー取り外し・交換装置を配置する方法については実施例２９を参照すればよい。
【０３０２】
そのうち、前記バッテリー取り外し・交換装置が一部の操作を完了させるように命令することは、前記バッテリーを交換する所定の位置が駐車可能状態にあるかどうかを判断し、第二所定の待ち位置を設定し、前記バッテリー取り外し・交換装置が前記第二所定の待ち位置に予め駐車するように命令する、ことを備える。そのうち、前記第二所定の待ち位置は、前記バッテリーを交換する所定の位置と関連しており、前記バッテリーを交換する所定の位置と同じ位置であってもよく、或いは、前記バッテリーを交換する所定の位置と近い位置であってもよい（前記バッテリーを交換する所定の位置についての具体的な説明は、実施例３０を参照すればよい）。
【０３０３】
前記判断バッテリーを交換する所定の位置が駐車可能状態にあるかどうかということは、具体的に、前記バッテリーを交換する所定の位置が空いている位置である条件（１）、前記バッテリー取り外し・交換装置がバッテリーを交換する所定の位置まで移動するための通過道路が存在している条件（２）、前記バッテリー取り外し・交換装置が前記バッテリーを交換する所定の位置に駐車していると、前記バッテリー取り外し・交換装置が前記駐車プラットフォームへ走行する電気自動車に、支障を与えないと予測する条件（３）、という三つの条件が同時に満たされている場合には、前記バッテリーを交換する所定の位置が駐車可能状態となり、さもなければ、前記バッテリーを交換する所定の位置が駐車不可状態となるということを備える。
【０３０４】
条件（３）を満たしているかどうということは、通常に、駐車プラットフォームの構成による。
【０３０５】
前記バッテリーを交換する所定の位置が駐車可能状態にある場合には、前記第二所定の待ち位置が前記バッテリーを交換する所定の位置と同じ位置である。前記バッテリーを交換する所定の位置が駐車不可状態にある場合には、前記第二所定の待ち位置が前記バッテリーを交換する所定の位置からの距離が第二距離閾値を超えない位置であり、つまり、前記バッテリーを交換する所定の位置と近い位置する。
【０３０６】
本実施例では、前記電気自動車がプラットフォームに駐車する前に、前記電気自動車に適用されるバッテリーの型番が予め分かる場合には、バッテリーを交換する用意の流れで、前記バッテリー交換制御方法は、さらに、バッテリーを搭載する時間を省くように、前記第一バッテリー載置台を予め選択し、前記バッテリー載置・交換装置を配置し、また、前記バッテリー載置・交換装置が一部の操作を完了させるように命令することを備える。そのうち、前記第二バッテリー載置台を選択する方法については実施例２６−２８を参照すればよく、バッテリー取り外し・交換装置を配置する方法については、実施例２９を参照すればよく。また、前記駐車プラットフォームに、前記型番のバッテリーである電気自動車しかを駐車できないことが限定して適用されるということにより、前記電気自動車に適用されるバッテリーの型番が予め分かるようにする。例えば、ある所定の駐車プラットフォームには、特定の型番のバッテリーである電気自動車しかを駐車できないことが限定されると、電気自動車が駐車プラットフォームに駐車しているかどうかに関わらず、電気自動車に適用されるバッテリーの型番が必ず前記特定型番であることを特定することができる。
【０３０７】
そのうち、前記バッテリー載置・交換装置が一部の操作を完了させるように命令することは、前記バッテリー載置・交換装置が前記第一バッテリー載置台から前記搭載待ちバッテリーを取り外すように命令することを備える。
【０３０８】
前記バッテリー載置・交換装置が前記第一バッテリー載置台から前記搭載待ちバッテリーを取り外した後に、前記バッテリー載置・交換装置が第一所定の待ち位置に予め駐車するように命令し、前記第一所定の待ち位置は、前記駐車プラットフォームと近く、前記駐車プラットフォームからの距離が第一距離閾値を超えない位置である。
【０３０９】
ここまで、バッテリーを交換する用意の流れが済み、前記電気自動車が前記駐車プラットフォームに走行して駐車することを待ち、バッテリーを交換する操作の流れへ移行する。
【０３１０】
バッテリーを交換する操作の流れでは、前記バッテリー交換制御方法は、前記バッテリー取り外し・交換装置の位置する第二所定の待ち位置が前記バッテリーを交換する所定の位置と同じ位置であるかどうかを判断し、同じである場合に、前記バッテリー取り外し・交換装置が前記電気自動車から前記残量が少ないバッテリーを取り外すように命令し、さもなければ、前記バッテリー取り外し・交換装置が前記第二所定の待ち位置から前記バッテリーを交換する所定の位置まで移動するように命令し、次に、前記バッテリー取り外し・交換装置が前記電気自動車から前記残量が少ないバッテリーを取り外すように命令することを備える。
【０３１１】
前記バッテリー取り外し・交換装置が前記バッテリー取り外し命令を実行した後に、前記バッテリー取り外し・交換装置が前記第二バッテリー載置台まで移動し、前記残量が少ないバッテリーを前記空のバッテリー載置棚に置くように命令する。
【０３１２】
前記バッテリー取り外し・交換装置が前記バッテリーを交換する所定の位置から、又は、前記バッテリーを交換する所定の位置から離れた距離が第三距離閾値を超えると、前記バッテリー載置・交換装置がバッテリーを交換する所定の位置まで移動するように命令する。
【０３１３】
前記バッテリー載置・交換装置がバッテリーを交換する所定の位置まで移動した後に、前記バッテリー載置・交換装置が前記搭載待ちバッテリーを前記電気自動車に搭載するように命令する。ここまで、前記電気自動車にバッテリーを交換することが済む。
【０３１４】
前記バッテリー載置・交換装置が前記バッテリーを交換する所定の位置から離れて走行するように命令する。
【０３１５】
本実施例のバッテリー交換制御方法は、バッテリーを交換する用意の過程において一部の制御が行われることから、電気自動車が駐車プラットフォームへ走行してからバッテリーを交換される時間が大幅に短くなり、バッテリーを交換する効率が高まる。
【０３１６】
実施例３２
図１３は、本実施例に係るバッテリー交換制御方法を示す。
前記バッテリー交換制御方法は、以下のステップを備える。
ステップ２１’は、バッテリー交換待ち電気自動車に適用されるバッテリーの型番を特定する。
ステップ２２’は、少なくとも一つのバッテリー載置台から、第一条件を満たすバッテリー載置台を、第一バッテリー載置台として選択する。そのうち、前記バッテリー載置台は、バッテリーを置くための一つ以上のバッテリー載置棚を有し、前記第一条件は、前記バッテリーの型番であるバッテリーが置かれている旨として設置され、前記電気自動車に適用されるバッテリーは、通常に、前記電気自動車に使用されるバッテリーの型番と同じである。
ステップ２３’は、前記少なくとも一つのバッテリー載置台から、第二条件を満たすバッテリー載置台を、第二バッテリー載置台として選択する。そのうち、前記第二条件は、空のバッテリー載置棚が置かれている旨として設置される。
ステップ２４’は、前記少なくとも二つのバッテリー交換装置における少なくとも一つのバッテリー交換装置をバッテリー載置・交換装置として配置する。そのうち、前記バッテリー載置・交換装置は、搭載待ちバッテリーを搬送することに用いられ、前記搭載待ちバッテリーは、前記第一バッテリー載置台から取り出されたものであって、前記バッテリーの型番であり、しかも、前記電気自動車に搭載されるバッテリーである。
ステップ２５’は、前記少なくとも二つのバッテリー交換装置における少なくとも一つのバッテリー交換装置をバッテリー取り外し・交換装置として配置する。そのうち、前記バッテリー取り外し・交換装置は、残量が少ないバッテリーを搬送することに用いられ、前記残量が少ないバッテリーは、前記電気自動車から取り出されたものであって、しかも、前記空のバッテリー載置棚に置かれるバッテリーである。
【０３１７】
上記したステップ順番は、上記した各ステップに対する一つの可能な順番付けであり、他の実施例では、上記した各ステップが他の順番であってもよく、例えば、先にステップ２３’を実行し、次に順番に従ってステップ２５’、ステップ２１’、ステップ２３’、ステップ２４’を実行し、或いは、先にステップ２１’を実行し、次に、順番に従ってステップ２２’、ステップ２４’、ステップ２３’、ステップ２５’を実行してもよい。
【０３１８】
本実施例では、電気自動車に適用されるバッテリーの型番を確認することにより、第一バッテリー載置台への選択、及び、搭載待ちバッテリーへの抽出を便宜にすることができ、車にバッテリーを交換する過程全体に、バッテリー載置・交換装置、及び、バッテリー取り外し・交換装置という二つのバッテリー交換装置が使われており、バッテリー載置・交換装置による移動軌跡は、第一バッテリー載置台と電気自動車との間にあり、搭載待ちバッテリーを搬送し、バッテリー取り外し・交換装置による移動軌跡は、電気自動車と第二バッテリー載置台との間に、残量が少ないバッテリーを搬送する。当該二つのバッテリー交換装置は、それぞれ、異なる役割を有し、一緒に、バッテリーを交換するタスクを完成させることから、バッテリーを交換することにかかる時間全体は、一つのバッテリー交換装置だけによりバッテリーの交換を実現することに比べると、少なくとも、半分の時間を短くすることができ、バッテリーを交換するスピード及び効率が向上する。
【０３１９】
実施例３３
本実施例に係るバッテリー交換制御方法は、実施例３２に基づいてさらに変形してなされたものであって、本実施例における実施例３２への変形が実施例２６における実施例２５への変形に比べると基本的に同じであるが、その相違点が、前記第一条件は、前記バッテリーの型番であり、しかも、満充電となるバッテリーが置かれている旨として設置されてもよく、或いは、電気自動車にバッテリーを交換できる確率を高めるように、前記第一条件は、優先的に、前記バッテリーの型番であり、しかも、満充電となるバッテリーが置かれている旨として設置されてもよく、前記少なくとも一つのバッテリー載置台に前記第一条件を満たすバッテリー載置台を有さない場合に、前記第一条件は、前記バッテリーの型番であり、しかも、残量が最も多いバッテリーが置かれている旨に補正して設置される、ということにある。
それに伴い、ステップ２２’は、具体的に、前記第一条件を、前記バッテリーの型番であり、しかも、満充電となるバッテリーが置かれている旨として設置し、前記少なくとも一つのバッテリー載置台に、デフォルトとしての第一条件を満たすバッテリー載置台が存在しているかどうかを判断し、存在している場合に、そのうち、一つを第一バッテリー載置台として選択し、さもなければ、前記第一条件を、前記バッテリーの型番であり、しかも残量が最も多いバッテリーが置かれている旨に補正して設置し、前記少なくとも一つのバッテリー載置台に、現在の第一条件を満たすバッテリー載置台が存在しているかどうかを再度判断し、存在している場合に、そのうちから一つを第一バッテリー載置台として選択する、ことを備える。依然として、前記第一条件を満たすバッテリー載置台が存在しない場合には、警報信号を送信し、前記電気自動車にバッテリーを交換できないように提示する。
【０３２０】
実施例３４
本実施例に係るバッテリー交換制御方法は、実施例３２又は実施例３３に基づいてさらに変形してなされたものであって、本実施例における実施例３２又は実施例３３への変形が実施例２７における実施例２５又は実施例２６への変形に比べると基本的に同じであるが、その相違点が、前記バッテリー載置・交換装置による移動距離及び移動時間を短くし、バッテリーを交換する効率を高めるように、前記第一条件を満たすバッテリー載置台から、前記電気自動車と距離が最も近い一つのバッテリー載置台或いは前記電気自動車を駐車するための駐車プラットフォームホルダーと距離が最も近い一つのバッテリー載置台を前記第一バッテリー載置台として選択する。
【０３２１】
同様に、前記バッテリー取り外し・交換装置による移動距離及び移動時間を短くし、バッテリーを交換する効率を高めるように、前記第二条件を満たすバッテリー載置台から、前記電気自動車と距離が最も近い一つのバッテリー載置台、又は、前記電気自動車を駐車するための駐車プラットフォームホルダーと距離が最も近い一つのバッテリー載置台を、前記第二バッテリー載置台として選択する。
【０３２２】
また、本実施例では、前記駐車プラットフォームは、車にバッテリーを交換する専用のプラットフォーム、或いは、車を駐車し、しかも、バッテリーを便宜に交換する他の普通のプラットフォームとされてもよい。
【０３２３】
実施例３５
本実施例に係るバッテリー交換制御方法は、実施例３２又は実施例３３に基づいてさらに変形してなされたものであって、本実施例に、実施例３２又は実施例３３を変形したところについては、実施例２７における実施例２５又は実施例２６を変形したところを参照すればよい。
【０３２４】
実施例３６
本実施例に係るバッテリー交換制御方法は、実施例３２に基づいてさらに変形してなされたものであって、本実施例における実施例３２への変形が実施例２９における実施例２５への変形に比べると基本的に同じであるが、その相違点が、本実施例では、前記バッテリー取り外し・交換装置による移動距離及び移動時間を短くし、バッテリーを交換する効率を高めるように、ステップ２５’に、前記バッテリー取り外し・交換装置として設置されるバッテリー交換装置は、前記電気自動車と距離が最も近いバッテリー交換装置、或いは、前記電気自動車を駐車するための駐車プラットフォームと距離が最も近いバッテリー交換装置が好ましい。具体的に、ステップ２５’は、第二構成を有する単一機能のバッテリー交換装置及び多機能のバッテリー交換装置を選別し、第二構成を有する単一機能のバッテリー交換装置及び多機能のバッテリー交換装置のそれぞれについて、前記電気自動車までの距離、又は、前記駐車プラットフォームまでの距離を算出し、距離が最も近い一つのバッテリー交換装置を選択しバッテリー取り外し・交換装置として配置することを備えてもよい。
【０３２５】
ステップ２５’には、バッテリー取り外し・交換装置を配置すると、前記第二バッテリー載置台との紐付け関係を有するバッテリー交換装置、或いは、前記第二バッテリー載置台との紐付け関係を有し、しかも、前記電気自動車と距離が最も近いバッテリー交換装置、或いは、前記電気自動車を駐車するための駐車プラットフォームホルダーと距離が最も近いバッテリー交換装置が好ましい。具体的に、ステップ２５’には、第二バッテリー載置台を選択した後に、前記第二バッテリー載置台との紐付け関係を有し、しかも、第二構成を有する単一機能のバッテリー交換装置及び多機能のバッテリー交換装置を選別し、そのうち一つをランダムに選択し、バッテリー取り外し・交換装置として配置し、或いは、さらに、それぞれ、選別されているバッテリー交換装置から前記電気自動車までの距離、又は、前記駐車プラットフォームまでの距離を算出し、距離が最も近い一つのバッテリー交換装置を選択しバッテリー取り外し・交換装置として配置することを備える。
【０３２６】
実施例３７
本実施例に係るバッテリー交換制御方法は、実施例３２に基づいてさらに変形してなされたものであって、本実施例における実施例１３への変形が実施例３０における実施例２５への変形に比べると基本的に同じであるが、その相違点が、図１４に示されるように、本実施例では、バッテリーを交換する制御の流れは、電気自動車がプラットフォームに駐車する前にバッテリーを交換する用意の流れと、電気自動車がプラットフォームに駐車しているとバッテリーを交換する操作の流れとに分かられるということにある。
【０３２７】
バッテリーを交換する用意の流れでは、前記バッテリー交換制御方法は、前記第二バッテリー載置台を予め選択し、次に、バッテリー取り外し・交換装置を配置することを備える。そのうち、前記第二バッテリー載置台を選択する方法については、実施例３３−３５を参照すればよく、バッテリー取り外し・交換装置を配置する方法については、実施例３６を参照すればよい。
【０３２８】
本実施例では、前記バッテリーを交換する所定の位置に対する具体的な説明について、実施例３０を参照すればよい。
【０３２９】
バッテリーを交換する操作の流れでは、前記バッテリー交換制御方法は、前記電気自動車がプラットフォームに駐車し、或いは、前記電気自動車のナンバープレートが見えると、前記電気自動車のナンバープレートを走査し、前記ナンバープレートにより、前記電気自動車に適用されるバッテリーの型番を特定し、そして、前記第一バッテリー載置台を選択し、次に、バッテリー載置・交換装置を配置し、前記バッテリー載置・交換装置が前記第一バッテリー載置台から前記搭載待ちバッテリーを取り外すように命令することをさらに備える。そのうち、前記第一バッテリー載置台を選択する方法については、実施例３３−３５を参照すればよく、バッテリー載置・交換装置を配置する方法については、実施例３６を参照すればよい。
【０３３０】
前記バッテリー載置・交換装置が前記第一バッテリー載置台から前記搭載待ちバッテリーを取り外した後に、前記バッテリー載置・交換装置が第一所定の待ち位置に予め駐車するように命令する。前記第一所定の待ち位置は、前記駐車プラットフォームからの距離が第一距離閾値を超えない位置である。
【０３３１】
前記バッテリー取り外し・交換装置が前記バッテリーを交換する所定の位置から、又は、前記バッテリーを交換する所定の位置から離れた距離が第三距離閾値を超えると、前記バッテリー載置・交換装置がバッテリーを交換する所定の位置まで移動するように命令する。
【０３３２】
前記バッテリー載置・交換装置がバッテリーを交換する所定の位置まで移動した後に、前記バッテリー載置・交換装置が前記搭載待ちバッテリーを前記電気自動車に搭載するように命令する。ここまで、前記電気自動車にバッテリーを交換することが済む。
【０３３３】
最後に、前記バッテリー載置・交換装置が前記バッテリーを交換する所定の位置から離れて走行するように命令する。
【０３３４】
実施例３８
本実施例に係るバッテリー交換制御方法は、実施例３２に基づいてさらに変形してなされたものであって、前記バッテリー交換制御方法におけるバッテリーを交換する制御の流れが主なことである。本実施例では、バッテリーを交換する制御の流れが、電気自動車がプラットフォームに駐車する前にバッテリーを交換する用意の流れと、電気自動車がプラットフォームに駐車しているとバッテリーを交換する操作の流れとに分かられる。図１５に示されるように、バッテリーを交換する用意の流れ及びバッテリーを交換する操作の流れでは、前記バッテリー交換制御方法に含まれているステップが実施例３７に係るものと異なる。
【０３３５】
バッテリーを交換する用意の流れでは、前記バッテリー交換制御方法は、バッテリーを外す時間を省くように、前記第二バッテリー載置台を予め選択し、前記バッテリー取り外し・交換装置を配置し、また、前記バッテリー取り外し・交換装置が一部の操作を完了させるように命令することを備える。そのうち、前記第二バッテリー載置台を選択する方法については、実施例３３−３５を参照すればよく、バッテリー取り外し・交換装置を配置する方法については、実施例３６を参照すればよい。
【０３３６】
そのうち、前記バッテリー取り外し・交換装置が一部の操作を完了させるように命令することは、前記バッテリーを交換する所定の位置が駐車可能状態にあるかどうかを判断し、第二所定の待ち位置を設定し、前記バッテリー取り外し・交換装置が前記第二所定の待ち位置に予め駐車するように命令することを備える。そのうち、前記第二所定の待ち位置は、前記バッテリーを交換する所定の位置に関連し、前記バッテリーを交換する所定の位置と同じ位置であってもよく、或いは、前記バッテリーを交換する所定の位置と近い位置であってもよい（前記バッテリーを交換する所定の位置についての具体的な説明は、実施例３０を参照すればよい）。
【０３３７】
前記バッテリーを交換する所定の位置が駐車可能状態にあるかどうかを判断することは、具体的に、前記バッテリーを交換する所定の位置が空いている位置である条件（１）、前記バッテリー取り外し・交換装置がバッテリーを交換する所定の位置まで移動するための通過道路が存在している条件（２）、及び、前記バッテリー取り外し・交換装置が前記バッテリーを交換する所定の位置に駐車していると、前記バッテリー取り外し・交換装置が前記駐車プラットフォームへ走行する電気自動車に支障を与えないと予測する条件（３）、という三つの条件が同時に満たされている場合には、前記バッテリーを交換する所定の位置が駐車可能状態となり、さもなければ、前記バッテリーを交換する所定の位置が駐車不可状態となる、ということを備える。
【０３３８】
条件（３）を満たしているかどうかということは、通常に、駐車プラットフォームの構成による。
【０３３９】
前記バッテリーを交換する所定の位置が駐車可能状態にある場合には、前記第二所定の待ち位置は、前記バッテリーを交換する所定の位置と同じ位置である。前記バッテリーを交換する所定の位置が駐車不可状態にある場合には、前記第二所定の待ち位置は、前記バッテリーを交換する所定の位置からの距離が第二距離閾値を超えない位置であり、つまり、前記バッテリーを交換する所定の位置と近い位置である。
【０３４０】
ここまで、バッテリーを交換する用意の流れが済み、前記電気自動車が前記駐車プラットフォームに走行して駐車することを待ち、バッテリーを交換する操作の流れへ移行する。
【０３４１】
バッテリーを交換する操作の流れでは、前記バッテリー交換制御方法は、前記バッテリー取り外し・交換装置の位置する第二所定の待ち位置が前記バッテリーを交換する所定の位置と同じ位置であるかどうかを判断し、同じ位置である場合に、前記バッテリー取り外し・交換装置が前記電気自動車から前記残量が少ないバッテリーを取り外すように命令し、さもなければ、前記バッテリー取り外し・交換装置が前記第二所定の待ち位置から前記バッテリーを交換する所定の位置まで移動するように命令し、次に、前記バッテリー取り外し・交換装置が前記電気自動車から前記残量が少ないバッテリーを取り外すように命令することを備える。
【０３４２】
前記バッテリー取り外し・交換装置が前記バッテリー取り外し命令を実行した後に、前記バッテリー取り外し・交換装置が前記第二バッテリー載置台まで移動し、前記残量が少ないバッテリーを前記空のバッテリー載置棚に置くように命令する。
【０３４３】
バッテリーを交換する操作の流れでは、前記バッテリー交換制御方法は、さらに、前記電気自動車が駐車プラットフォームに駐車している時に、或いは、前記電気自動車のナンバープレートを見ることができる時に、前記電気自動車のナンバープレートを走査し、前記ナンバープレートにより、前記電気自動車に適用されるバッテリーの型番を特定して前記第一載置台を選択してから、バッテリー載置・交換装置を配置し、前記バッテリー載置・交換装置が前記第一バッテリー載置台から前記搭載待ちバッテリーを取り外すように命令することを備える。
【０３４４】
前記バッテリー載置・交換装置が前記第一バッテリー載置台から前記搭載待ちバッテリーを取り外した後に、前記バッテリー載置・交換装置が第一所定の待ち位置に予め駐車するように命令する。前記第一所定の待ち位置は、前記駐車プラットフォームとの距離が第一距離閾値を超えない位置である。
【０３４５】
前記バッテリー取り外し・交換装置は、前記バッテリーを交換する所定の位置から、又は、前記バッテリーを交換する所定の位置から離れた距離が第三距離閾値を超えると、前記バッテリー載置・交換装置が前記バッテリーを交換する所定の位置まで移動するように命令する。
【０３４６】
前記バッテリー載置・交換装置がバッテリーを交換する所定の位置まで移動した後に、前記バッテリー載置・交換装置が前記搭載待ちバッテリーを前記電気自動車に搭載するように命令する。ここまで、前記電気自動車にバッテリーを交換することが済む。
【０３４７】
前記バッテリー載置・交換装置が前記バッテリーを交換する所定の位置から離れて走行するように命令する。
【０３４８】
本実施例に係るバッテリー交換制御方法は、バッテリーを交換する用意の工程に、一部の制御が済むことから、電気自動車が駐車プラットフォームに走行してからバッテリーを交換される時間を大幅に短くすることができ、バッテリーを交換する効率が向上する。
【０３４９】
以上には、本発明の具体的な実施形態を説明したが、これらが例示的な説明に過ぎず、本発明による保護範囲が特許請求の範囲に限定されていることが当業者にとって理解されるべきである。当業者は、本発明の原理及び趣旨を逸脱しない限り、これらの実施形態について数多くの変形や補正を実施することが可能であり、これらの変形や補正は、いずれも、本願の保護範囲に含まれている。
【０３５０】
本願は、出願日が２０１８／７／２０である中国特許出願２０１８１０８０５３１６６、出願日が２０１８／７／２０である中国特許出願２０１８１０８０５３０９６、及び、出願日が２０１８／７／２０である中国特許出願２０１８１０８０５３０６２という優先権を主張している。本願は、上記した中国特許出願の全てを含んでいるとする。
【図１】
2021532012.tif 000003
【図２】
2021532012.tif 000004
【図３】
2021532012.tif 000005
【図４】
2021532012.tif 000006
【図５】
2021532012.tif 000007
【図６】
2021532012.tif 000008
【図７】
2021532012.tif 000009
【図８】
2021532012.tif 000010
【図９】
2021532012.tif 000011
【図１０】
2021532012.tif 000012
【図１１】
2021532012.tif 000013
【図１２】
2021532012.tif 000014
【図１３】
2021532012.tif 000015
【図１４】
2021532012.tif 000016
【図１５】
2021532012.tif 000017
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
制御手段及びバッテリー交換装置を備え、
前記制御手段は、電気自動車に適用されるバッテリーの型番を特定することに用いられ、
前記制御手段は、さらに、少なくとも一つのバッテリー載置台から、第一条件を満たすバッテリー載置台を第一バッテリー載置台として選択し、前記少なくとも一つのバッテリー載置台から、第二条件を満たすバッテリー載置台を第二バッテリー載置台として選択することに用いられ、前記バッテリー載置台は、バッテリーを載置するための一つ以上のバッテリー載置棚を有し、前記第一条件は、前記バッテリーの型番であるバッテリーが載置されている旨として設置され、前記第二条件は、空のバッテリー載置棚を有している旨として設置され、
前記バッテリー交換装置は、バッテリーを交換する所定の位置まで移動し、前記電気自動車から残量が少ないバッテリーを取り外し、前記残量が少ないバッテリーを第二載置台に搬送し、前記空のバッテリー載置棚に載置してから、前記第一バッテリー載置台まで移動し、前記第一バッテリー載置台から前記バッテリーの型番であるバッテリーを取り外し、前記バッテリーの型番であるバッテリーを、前記バッテリーを交換する所定の位置に搬送し、前記電気自動車に搭載する、ことに用いられ、
前記バッテリーを交換する所定の位置は、前記電気自動車にバッテリーを着脱することに適合される位置である、ことを特徴とするバッテリー交換制御システム。
【請求項２】
前記制御手段は、前記バッテリー載置台に載置されるバッテリーの残量を監視することに用いられ、
前記第一条件は、前記バッテリーの型番でありしかも満充電となるバッテリーを載置している旨として設置され、或いは、前記第一条件は、優先的に、前記バッテリーの型番でありしかも満充電となるバッテリーを載置している旨として設置され、
前記少なくとも一つのバッテリー載置台に、前記第一条件を満たしているバッテリー載置台を有していない場合には、前記第一条件が、前記バッテリーの型番でありしかも残量が最も多いとなるバッテリーを載置している旨に補正される、ことを特徴とする請求項１に記載のバッテリー交換制御システム。
【請求項３】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、或いは、前記第二バッテリー載置台とバッテリー車両との間の経路に位置する一つのバッテリー載置台を前記第一バッテリー載置台として選択し、或いは、前記経路に位置し、しかも、前記電気自動車又は前記駐車プラットフォームと距離が最も近い一つのバッテリー載置台を前記第一バッテリー載置台として選択することに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択することに用いられる、ことを特徴とする請求項１に記載のバッテリー交換制御システム。
【請求項４】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択し、或いは、前記第二バッテリー載置台とバッテリー車両との間の経路に位置する一つのバッテリー載置台を前記第一バッテリー載置台として選択し、或いは、前記経路に位置し、しかも、前記電気自動車又は前記駐車プラットフォームと距離が最も近い一つのバッテリー載置台を前記第一バッテリー載置台として選択することに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択することに用いられる、
ことを特徴とする請求項２に記載のバッテリー交換制御システム。
【請求項５】
前記バッテリー載置台は、前記電気自動車が前記駐車プラットフォームへ走行する方向に沿って、前記駐車プラットフォームの両側に分布される、ことを特徴とする請求項３に記載のバッテリー交換制御システム。 
【請求項６】
前記バッテリー載置台は、前記電気自動車が前記駐車プラットフォームへ走行する方向に沿って、前記駐車プラットフォームの両側に分布される、ことを特徴とする請求項４に記載のバッテリー交換制御システム。
【請求項７】
前記少なくとも一つのバッテリー載置台に、多機能のバッテリー載置台が存在しており、前記多機能のバッテリー載置台が、前記第一条件及び前記第二条件を共に満たすバッテリー載置台である場合には、前記制御手段は、さらに、前記多機能のバッテリー載置台を、同時に、前記第一バッテリー載置台及び前記第二バッテリー載置台とすることに用いられる、ことを特徴とする請求項１に記載のバッテリー交換制御システム。
【請求項８】
前記空のバッテリー載置棚は、さらに、前記残量が少ないバッテリーを充電することに用いられ、
前記空のバッテリー載置棚は、バッテリー充電回路を有し、前記バッテリー充電回路は、前記バッテリーの型番とマッチングする一定の電力パラメータを有し、或いは、調節可能な電力パラメータを有し、
前記制御手段は、さらに、前記電力パラメータが前記バッテリーの型番とマッチングするように、前記バッテリーの型番に基づいて、前記電力パラメータを調節することに用いられる、ことを特徴とする請求項１に記載のバッテリー交換制御システム。
【請求項９】
前記制御手段は、さらに、前記電気自動車のナンバープレートを走査し、前記ナンバープレートにより、前記電気自動車に適用されるバッテリーの型番を特定することに用いられる、ことを特徴とする請求項１に記載のバッテリー交換制御システム。
【請求項１０】
前記バッテリー交換装置は、前記制御手段により制御され、
前記制御手段は、前記電気自動車が駐車プラットフォームに駐車する前に、前記バッテリー交換装置が予め所定の待ち位置に駐車するように命令するための駐車命令を前記バッテリー交換装置に送信して実行することに用いられる、ことを特徴とする請求項１に記載のバッテリー交換制御システム。
【請求項１１】
バッテリーを交換する所定の位置が駐車可能状態にある場合には、前記所定の待ち位置が前記バッテリーを交換する所定の位置と同じ位置であり、
又は、
バッテリーを交換する所定の位置が駐車不可状態にある場合には、前記所定の待ち位置が、前記バッテリーを交換する所定の位置からの距離が第一距離閾値を超えない位置であり、
前記制御手段は、さらに、前記電気自動車が前記駐車プラットフォームに駐車していると、バッテリー取り外し・交換装置に微細調節命令を送信することに用いられ、前記微細調節命令は、前記バッテリー交換装置が前記所定の待ち位置から前記バッテリーを交換する所定の位置に移動するように命令するためのものである、ことを特徴とする請求項１０に記載のバッテリー交換制御システム。
【請求項１２】
前記バッテリーを交換する所定の位置が、空いている位置である条件、
前記バッテリー交換装置が前記バッテリーを交換する所定の位置まで移動するための通過道路が存在している条件、及び、
前記バッテリー交換装置が前記バッテリーを交換する所定の位置に駐車する時に、前記バッテリー交換装置が、前記駐車プラットフォームに走行する電気自動車に支障を与えないと予測する条件、
という三つの条件が同時に満たされている場合には、前記バッテリーを交換する所定の位置は、駐車可能状態となり、さもなければ、前記バッテリーを交換する所定の位置は、駐車不可状態となる、ことを特徴とする請求項１１に記載のバッテリー交換制御システム。
【請求項１３】
前記駐車プラットフォームの構成により、前記バッテリーを交換する所定の位置が前記駐車プラットフォームの下方に位置するか、それとも、その上方に位置するかを特定する、ことを特徴とする請求項１１に記載のバッテリー交換制御システム。
【請求項１４】
前記バッテリー交換装置は、前記制御手段により制御され、
前記制御手段は、さらに、前記電気自動車が駐車プラットフォームに駐車していると、前記電気自動車に以下の命令を送信し、前記バッテリー交換装置が以下の命令を実行するようにし、これらの命令は、
前記バッテリー交換装置が前記電気自動車から前記残量が少ないバッテリーを取り外すように命令するためのバッテリー取り外し命令、
前記バッテリー交換装置が第二バッテリー載置台まで移動するように命令するための第一移動命令、
前記バッテリー交換装置が、前記残量が少ないバッテリーを前記空のバッテリー載置棚に置くように命令するためのバッテリー置き命令、
前記バッテリー交換装置が前記第一バッテリー載置台まで移動するように命令するための第二移動命令、
前記バッテリー交換装置が前記第一バッテリー載置台から前記バッテリーの型番であるバッテリーを取り外すように命令するためのバッテリー取り出し命令、
前記バッテリー交換装置が前記バッテリーを交換する所定の位置まで移動するように命令するための第三移動命令、及び、
前記バッテリー交換装置が前記バッテリーの型番であるバッテリーを前記電気自動車に搭載するように命令するためのバッテリー搭載命令である、ことを特徴とする請求項１に記載のバッテリー交換制御システム。
【請求項１５】
制御手段、及び、少なくとも二つのバッテリー交換装置を備え、
前記制御手段は、少なくとも一つのバッテリー載置台から、第一条件を満たすバッテリー載置台を第一バッテリー載置台として選択し、前記少なくとも一つのバッテリー載置台から、第二条件を満たすバッテリー載置台を第二バッテリー載置台として選択することに用いられ、前記バッテリー載置台は、バッテリーを載置するための一つ以上のバッテリー載置棚を有し、前記第一条件は、電気自動車のバッテリーを載置することに適用される旨として設置され、第二条件設置は、空のバッテリー載置棚を有する旨として設置され、
前記制御手段は、さらに、前記少なくとも二つのバッテリー交換装置における少なくとも一つのバッテリー交換装置をバッテリー載置・交換装置として配置し、前記少なくとも二つのバッテリー交換装置における少なくとも一つのバッテリー交換装置をバッテリー取り外し・交換装置として配置する、ことに用いられ、
前記バッテリー載置・交換装置は、待ちバッテリーを搬送することに用いられ、搭載待ちバッテリーは、前記第一バッテリー載置台から取り外されたものであって、前記電気自動車に適用され、しかも前記電気自動車に搭載されるバッテリーであり、
前記バッテリー取り外し・交換装置は、残量が少ないバッテリーを搬送することに用いられ、前記残量が少ないバッテリーは、前記電気自動車が取り外されたものであって、しかも、前記空のバッテリー載置棚に置かれるバッテリーである、ことを特徴とするバッテリー交換制御システム。
【請求項１６】
前記制御手段は、さらに、前記バッテリー載置台に置かれているバッテリーの残量を監視することに用いられ、
前記第一条件は、前記電気自動車に適用されしかも満充電となるバッテリーが置かれている旨として設置され、或いは、
前記第一条件は、優先的に、前記電気自動車に適用されしかも満充電となるバッテリーが置かれている旨として設置され、
前記少なくとも一つのバッテリー載置台に、前記第一条件を満たすバッテリー載置台を有しない場合に、前記第一条件は、前記電気自動車に適用されしかも残量が最も多いバッテリーが置かれている旨に補正して設置される、ことを特徴とする請求項１５に記載のバッテリー交換制御システム。
【請求項１７】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択することに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記電気自動車を駐車するための駐車プラットフォームと距離が最も近い一つのバッテリー載置台を前記第二バッテリー載置台として選択することに用いられる、ことを特徴とする請求項１５又は請求項１６に記載のバッテリー交換制御システム。
【請求項１８】
制御手段及び少なくとも二つのバッテリー交換装置を備え、
前記制御手段は、バッテリー交換待ち電気自動車に適用されるバッテリーの型番を特定することに用いられ、
前記制御手段は、さらに、少なくとも一つのバッテリー載置台から第一条件を満たすバッテリー載置台を第一バッテリー載置台として選択し、前記少なくとも一つのバッテリー載置台から第二条件を満たすバッテリー載置台を第二バッテリー載置台として選択することに用いられ、前記バッテリー載置台は、バッテリーを置くための一つ以上のバッテリー載置棚を有し、前記第一条件は、前記バッテリーの型番であるバッテリーが置かれている旨として設置され、前記第二条件は、空のバッテリー載置棚を有する旨として設置され、
前記制御手段は、さらに、前記少なくとも二つのバッテリー交換装置における少なくとも一つのバッテリー交換装置をバッテリー載置・交換装置として配置し、前記少なくとも二つのバッテリー交換装置における少なくとも一つのバッテリー交換装置をバッテリー取り外し・交換装置として配置することに用いられ、
前記バッテリー載置・交換装置は、搭載待ちバッテリーを搬送することに用いられ、前記搭載待ちバッテリーが前記第一バッテリー載置台から取り出されたものであって、前記バッテリーの型番であり、しかも、前記電気自動車に搭載されるバッテリーであり、
前記バッテリー取り外し・交換装置は、残量が少ないバッテリーを搬送することに用いられ、前記残量が少ないバッテリーは、前記電気自動車から取り出されたものであって、しかも前記空のバッテリー載置棚に置かれるバッテリーである、ことを特徴とするバッテリー交換制御システム。
【請求項１９】
前記制御手段は、さらに、前記バッテリー載置台に置かれているバッテリーの残量を監視することに用いられ、
前記第一条件は、前記バッテリーの型番であり、しかも、満充電となるバッテリーが置かれている旨として設置され、或いは、
前記第一条件は、優先的に、前記バッテリーの型番であり、しかも、満充電となるバッテリーが置かれている旨として設置され、
前記少なくとも一つのバッテリー載置台に、前記第一条件を満たすバッテリー載置台を有さない場合には、前記第一条件が、前記バッテリーの型番であり、しかも、残量が最も多いバッテリーが置かれている旨に補正して設置される、ことを特徴とする請求項１８に記載のバッテリー交換制御システム。
【請求項２０】
前記制御手段は、さらに、前記第一条件を満たすバッテリー載置台が一つを超えると、前記第一条件を満たすバッテリー載置台から、一つのバッテリー載置台を前記第一バッテリー載置台としてランダムに選択し、或いは、前記電気自動車又は前記電気自動車を駐車するための駐車プラットフォームと距離が最も近い一つのバッテリー載置台を前記第一バッテリー載置台として選択する、ことに用いられ、及び／或いは、
前記制御手段は、さらに、前記第二条件を満たすバッテリー載置台が一つを超えると、前記第二条件を満たすバッテリー載置台から、一つのバッテリー載置台を前記第二バッテリー載置台としてランダムに選択し、或いは、前記電気自動車又は前記駐車プラットフォームと距離が最も近い一つのバッテリー載置台を前記第二バッテリー載置台として選択する、ことに用いられることを特徴とする請求項１９に記載のバッテリー交換制御システム。
【国際調査報告】
2021532012.tif 000018
2021532012.tif 000019
2021532012.tif 000020
2021532012.tif 000021